(57)【特許請求の範囲】
【請求項１】
伸縮性を有する生地からなるガードル本体の背面部分の股下から上がった部分に幅が前記ガードル本体の背面部分の幅一杯または前記ガードル本体の前面部分の両脇まで届く開口部を設けて、
前記ガードル本体の背面部分の左側から右側へ及び右側から左側へ交差させることによって、前記ガードル本体の前記開口部で交差させ、ヒップラインに沿って形成した１対の伸縮性及び弾力性を有する生地からなる背面交差部分を設けた骨盤矯正ガードルであって、
前記１対の背面交差部分は２枚以上の伸縮性及び弾力性を有する生地を縫い合わせてなるものであり、
前記１対の背面交差部分の先端部分は、前記ガードル本体の両脇部分または前面左右部分または前中心に、また、前記１対の背面交差部分の後端部分は、前記ガードル本体に、その縁に沿って縫い付けられていることを特徴とする骨盤矯正ガードル。
【請求項２】
前記１対の背面交差部分が交差する前記ガードル本体の開口部は、空間になっていることを特徴とする請求項１に記載の骨盤矯正ガードル。
【請求項３】
前記１対の背面交差部分が交差する前記ガードル本体の開口部には、伸縮性を有する生地が縫付けられていることを特徴とする請求項１に記載の骨盤矯正ガードル。
【請求項４】
前記１対の背面交差部分の先端部分が縫い付けられる前記ガードル本体の前面左右部分は、左右の大転子が当接する部分またはその近傍であることを特徴とする請求項１乃至請求項３のいずれか１つに記載の骨盤矯正ガードル。
【請求項５】
前記１対の背面交差部分が交差する部分は、前記１対の背面交差部分の一方に紐部材の両端を固定して前記１対の背面交差部分の他方を前記紐部材の中を貫通させてなることを特徴とする請求項１乃至請求項４のいずれか１つに記載の骨盤矯正ガードル。
【請求項６】
前記開口部の下縁の前記ガードル本体の背面部分の股下からの長さは５ｃｍ〜１０ｃｍの範囲内であり、前記開口部の高さは５ｃｍ〜１５ｃｍの範囲内であることを特徴とする請求項１乃至請求項５のいずれか１つに記載の骨盤矯正ガードル。
【請求項７】
前記ガードル本体のウエスト上端は、腰回りより上方にまで長く伸ばしたことを特徴とする請求項１乃至請求項６のいずれか１つに記載の骨盤矯正ガードル。
【請求項８】
前記ガードル本体のウエスト上端は、腰回りより下方に短く設定したことを特徴とする請求項１乃至請求項６のいずれか１つに記載の骨盤矯正ガードル。
【発明の詳細な説明】
【技術分野】
【０００１】
本発明は、ズボン、スカート等の衣服の下に、または単独で着用して生活するだけで骨盤の歪みを矯正して正常な骨盤形状を回復させるとともに、骨盤の歪みに起因する種々の症状を改善して健康な肉体と美しいプロポーションを得ることができる骨盤矯正ガードルに関するものであり、衣服の下に着用することにより衣服全般に適用できるものである。
【背景技術】
【０００２】
現代人は歩くときも、椅子に座るときも、また畳の上に正座するときも姿勢が悪い人が多いため、骨盤が歪んでいる人が多く、そのためプロポーションが悪くなるだけでなく、健康にも支障をきたしている場合がある。骨盤の具体的な構造について、図１を参照して説明する。図１は、骨盤とその周辺の骨を正面から見て示す概略図である。
【０００３】
図１に示されるように、骨盤１は、「仙骨」２・「寛骨」３・「尾骨」４という三つの骨によって構成されており、腰椎８から続く逆三角形の骨が「仙骨」２、その両側の蝶の羽のような形状の腸骨５とそこから続く坐骨６と恥骨７をまとめて「寛骨」３、さらに仙骨２の先端にあるのが「尾骨」４である。骨盤１は仙骨２部分で背骨９に直結し、寛骨３の下部で両足の骨１０（大転子１０ａ）へとつながっている。
【０００４】
通常、骨と骨は関節によってつながっているが、骨盤１を形成する三つの骨２，３，４は周囲の筋肉と靭帯によって支えられていて、唯一の関節は仙骨２と腸骨５とをつなぐ仙腸関節のみであり、この関節がずれたり開いたりしてそのまま固まってしまう結果、骨盤１が歪む。骨盤１が歪めば、当然それを包む筋肉にも影響が出て、お尻の中で骨盤１が横に広がったり歪んだりする結果、お尻が横に広がったり垂れてしまったりする（非特許文献１：２２頁〜２３頁）。
【０００５】
そこで、非特許文献１の４４頁〜４５頁においては、骨盤１の歪みを直す基本の体操として、ゴムのチューブを大転子１０ａの位置に当ててお尻で交差させ、骨盤１の一番出っ張った部分へ巻いて体の前で結んで、腰を大きく左右に回す体操を推奨している。また、非特許文献２の８０頁〜８３頁においては、骨盤１の歪みを直す方法として骨盤１を動かして歩く“ビーナスウォーク”という、より効果的な歩き方を提唱している。この歩き方をマスターして続けることによって、骨盤１の歪みを矯正することができ、骨盤１の歪みに起因する内臓の下垂による不調や血行不良も解消されて、種々の不快な症状も改善されるとしている。
【先行技術文献】
【非特許文献】
【０００６】
【非特許文献１】「新骨盤ダイエット」著者・芝崎義夫、出版社・高橋書店、出版年月日・平成１５年７月１０日
【非特許文献２】「骨盤スリミング」著者・立花みどり、出版社・日本文芸社、出版年月日・平成１４年１０月２５日
【発明の概要】
【発明が解決しようとする課題】
【０００７】
しかしながら、非特許文献１において推奨されている腰を回す体操等の体操だけでは、なかなか骨盤の歪みを矯正することができない。また、非特許文献２において提唱されている“ビーナスウォーク”は骨盤の歪みを矯正することはできるが、骨盤を内側にねじりながら歩かなければならず、この際に肩や首など上半身は動かさない等意識しなければならないポイントが多過ぎて、この歩き方をマスターするのは非常に困難であるという問題点があった。
【０００８】
そこで、本発明は、ズボンやスカート等の下に、または単独で着用して歩くだけで特に意識しなくても自然と“ビーナスウォーク”をすることができ、骨盤の歪みを矯正することができる骨盤矯正ガードルの提供を課題とするものである。
【課題を解決するための手段】
【０００９】
請求項１の発明にかかる骨盤矯正ガードルは、伸縮性を有する生地からなるガードル本体の背面部分の股下から上がった部分に幅が前記ガードル本体の背面部分の幅一杯または前記ガードル本体の前面部分の両脇まで届く開口部を設けて、前記ガードル本体の背面部分の股下の上部の左側から右側へ及び右側から左側へ交差した１対の伸縮性及び弾力性を有する生地からなる背面交差部分を設けた骨盤矯正ガードルであって、前記１対の背面交差部分は２枚の伸縮性及び弾力性を有する生地を縫い合わせてなるものであり、前記１対の背面交差部分の前記ガードル本体の背面部分の股下の上部からヒップラインに沿って配置され、前記１対の背面交差部分の先端部分は、前記ガードル本体の両脇部分または前面左右部分または前中心に、前記１対の背面交差部分の後端部分は、前記ガードル本体に、それぞれ、その縁に沿って縫い付けられているものである。
【００１０】
ここで、「伸縮性を有する生地」としては、具体的にはサテンネット生地、パワーネット生地、スパンレックス生地、等がある。また、「伸縮性及び弾力性を有する生地」としては、具体的にはサテンネット生地、パワーネット生地、等がある。
【００１１】
請求項２の発明にかかる骨盤矯正ガードルは、請求項１の構成において、前記１対の背面交差部分が交差する前記ガードル本体の開口部は空間になっているものである。
【００１２】
請求項３の発明にかかる骨盤矯正ガードルは、請求項１の構成において、前記１対の背面交差部分が交差する前記ガードル本体の開口部には伸縮性を有する生地が縫付けられているものである。
【００１３】
請求項４の発明にかかる骨盤矯正ガードルは、請求項１乃至請求項３のいずれか１つの構成において、前記１対の背面交差部分の先端部分が縫い付けられる前記ガードルの前面左右部分は左右の大転子が当接する部分またはその近傍であるものである。
【００１４】
請求項５の発明にかかる骨盤矯正ガードルは、請求項１乃至請求項４のいずれか１つの構成において、前記１対の背面交差部分が交差する部分において前記１対の背面交差部分の一方に紐部材の両端を固定して前記１対の背面交差部分の他方を前記紐部材の中を貫通させたものである。
【００１５】
請求項６の発明にかかる骨盤矯正ガードルは、請求項１乃至請求項５のいずれか１つの構成において、前記開口部の下縁の前記ガードル本体の背面部分の股下からの長さは５ｃｍ〜１０ｃｍの範囲内であり、前記開口部の高さは５ｃｍ〜１５ｃｍの範囲内であるものである。
【００１６】
請求項７の発明にかかる骨盤矯正ガードルは、請求項１乃至請求項６のいずれか１つの構成において、前記ガードル本体のウエスト上端を腰回りより上方にまで長く伸ばしたものである。
【００１７】
請求項８の発明にかかる骨盤矯正ガードルは、請求項１乃至請求項６のいずれか１つの構成において、前記ガードル本体のウエスト上端を腰回りより下方に短く設定したものである。
【発明の効果】
【００１８】
請求項１の発明にかかる骨盤矯正ガードルは、伸縮性を有する生地からなるガードル本体の背面部分の幅または前記ガードル本体の前面部分の両脇まで届く開口部を設けて、前記開口部に背面部分の股下の上部の左側から右側へ及び右側から左側へ交差した１対の伸縮性及び弾力性を有する生地からなる背面交差部分を設けた骨盤矯正ガードルにおいて、前記１対の背面交差部分は２枚の伸縮性及び弾力性を有する生地を縫い合わせ、前記１対の背面交差部分の前記ガードル本体の背面部分の股下の上部からヒップラインに沿って配置され、前記１対の背面交差部分の先端部分は、前記ガードル本体の両脇部分または前面左右部分または前中心に、前記１対の背面交差部分の後端部分は、前記ガードル本体に、それぞれ、その縁に沿って縫い付けられているものである。
【００１９】
これによって、背面で交差した１対の伸縮性及び弾力性を有する生地からなる背面交差部分によって骨盤が引っ張られ、ヒップが引き締められて正しい姿勢を保つことができる。したがって、本発明にかかる骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
また、本発明にかかる骨盤矯正ガードルは、１対の背面交差部分が２枚の伸縮性及び弾力性を有する生地を縫い合わせてなるものであり、２枚の伸縮性及び弾力性を有する生地がガードル本体の背面部分の股下の上部からさらに反対側へヒップラインに沿って伸びてガードルの両脇部分までまたは前面左右部分までまたは前中心まで伸びて縫付けられている。これによって、二重にヒップが引き締められるとともに骨盤が引っ張られることになり、より強力に骨盤が引っ張られ、ヒップが引き締められて正しい姿勢を保つことができる。
さらに、本発明にかかる骨盤矯正ガードルは、１対の背面交差部分の先端部分及び１対の背面交差部分の後端がガードルの裏側に縫付けられている。これによって、表から見たときの製品としての見栄えが向上し、消費者の購買意欲をそそる作用効果が得られる。
さらに、本発明にかかる骨盤矯正ガードルは、１対の背面交差部分の先端部分及び１対の背面交差部分の後端部分は、１対の背面交差部分の先端部分及び１対の背面交差部分の後端部分の縁に沿って縫い付けたものであることから、それらの縁に沿って縫付けることができるため、縫製を短時間でスムーズに行うことができ、大量生産向きの製品となる。
【００２０】
このようにして、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる骨盤矯正ガードルとなる。そして、より強力に骨盤が引っ張られ、ヒップが引き締められて正しい姿勢を保つことができ、表から見たときの製品としての見栄えが向上し、消費者の購買意欲をそそる作用効果が得られ、縫製を短時間でスムーズに行うことができ、大量生産向きの製品となる。
【００２１】
請求項２の発明にかかる骨盤矯正ガードルは、１対の背面交差部分が交差するガードルの背面部分は空間になっている。これによって、骨盤矯正ガードルの製造が容易になり、骨盤矯正ガードルの下に下着を着用することによって、ヒップ部分の弛んだ部分が空間から飛び出ることも防止される。
【００２２】
そして、背面で交差した１対の伸縮性及び弾力性を有する生地からなる背面交差部分によって骨盤が引っ張られ、ヒップが引き締められて正しい姿勢を保つことができる。したがって、本発明にかかる骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【００２３】
請求項３の発明にかかる骨盤矯正ガードルは、１対の背面交差部分が交差するガードル本体の背面部分には伸縮性を有する生地が縫付けられている。これによって、ヒップ部分の弛んだ部分が飛び出ることが確実に防止されるとともに、１対の背面交差部分が骨盤を引張りヒップ部分を持ち上げる作用を妨げることもない。
【００２４】
そして、背面で交差した１対の伸縮性及び弾力性を有する生地からなる背面交差部分によって骨盤が引っ張られ、ヒップが引き締められて正しい姿勢を保つことができる。したがって、本発明にかかる骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【００２５】
請求項４の発明にかかる骨盤矯正ガードルは、１対の背面交差部分の先端が縫い付けられるガードルの前面左右部分は左右の大転子が当接する部分またはその近傍である。これによって、左右１対の背面交差部分による足の付け根近傍が内側へ引っ張られる効果が増大して、背面で交差した１対の伸縮性及び弾力性を有する生地からなる背面交差部分によって骨盤が引っ張られ、ヒップが引き締められて正しい姿勢を保つことができる。したがって、本発明にかかる骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【００２６】
請求項５の発明にかかる骨盤矯正ガードルは、１対の背面交差部分が交差する部分において１対の背面交差部分の一方に紐部材の両端を固定して１対の背面交差部分の他方を紐部材の中を貫通させたものである。これによって、１対の背面交差部分が互いの伸縮を妨げることなく、互いに離れてしまうことを防止することができ、１対の背面交差部分によるヒップの引き締め効果を確実に得ることができる。
【００２７】
かかる構成を有する骨盤矯正ガードルを着用することによって、背面で交差した１対の二重の伸縮性及び弾力性を有する生地からなる背面交差部分によって骨盤が引っ張られ、ヒップが引き締められて正しい姿勢を保つことができる。したがって、骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【００２８】
請求項６の発明にかかる骨盤矯正ガードルは、開口部の下縁のガードル本体の背面部分の股下からの長さは５ｃｍ〜１０ｃｍの範囲内であり、開口部の高さは５ｃｍ〜１５ｃｍの範囲内である。本発明者が開口部の位置及び高さについて、最も効果的にヒップを引き締める効果が得られる範囲について鋭意実験研究を重ねた結果、股下からの長さが５ｃｍ〜１０ｃｍの範囲内で開口部の高さが５ｃｍ〜１５ｃｍの範囲内である場合に最も効果的にヒップを引き締める効果が得られることを見出し、この知見に基づいて本発明を完成させたものである。
【００２９】
開口部の位置及び高さをこのような範囲内とすることによって、製造が容易であり、製品としての見栄えもよく、ヒップの締め付け効果が確実に得られる。
【００３０】
請求項７の発明にかかる骨盤矯正ガードルは、ガードル本体のウエスト上端を腰回りより上方にまで長く伸ばしたものである。このようなハイウエストタイプの骨盤矯正ガードルは、着用して真っ直ぐに歩くだけで自然に“ビーナスウォーク”をすることができ、骨盤の歪みを矯正できるだけでなく、腰回りが締め付けられてウエストラインが美しく見えるとともに、寒い時期でも暖かいという効果が得られる。
【００３１】
請求項８の発明にかかる骨盤矯正ガードルは、前記ガードル本体のウエスト上端を腰回りより下方に短く設定したものである。このようなローウエストタイプの骨盤矯正ガードルは、着用して真っ直ぐに歩くだけで自然に“ビーナスウォーク”をすることができ、骨盤の歪みを矯正できるだけでなく、若い人を中心に流行しているローライズジーンズ等の腰回りが低いボトムスの下にも着用することができるとともに、交差部分によって足の付け根近傍を内側へ引っ張る効果が最も大きいという特長がある。
【図面の簡単な説明】
【００３２】
【図１】図１は、骨盤とその周辺の骨を正面から見て示す概略図である。
【図２】図２（ａ）は本発明の参考例１にかかる骨盤矯正ガードルの全体構成を示す正面図、（ｂ）は背面図、（ｃ）は本発明の参考例１にかかる骨盤矯正ガードルのウエスト上端を腰回りより上方にまで長く伸ばしたハイウエストタイプの全体構成を示す正面図、（ｄ）はその背面図、（ｅ）は本発明の参考例１にかかる骨盤矯正ガードルのウエスト上端を腰回りより下方に短く設定したローウエストタイプの全体構成を示す正面図、（ｆ）はその背面図である。
【図３】図３（ａ）は本発明の参考例１の第１変形例にかかる骨盤矯正ガードルの全体構成を示す正面図、（ｂ）は背面図、（ｃ）は本発明の参考例１の第１変形例にかかる骨盤矯正ガードルのウエスト上端を腰回りより上方にまで長く伸ばしたハイウエストタイプの全体構成を示す正面図、（ｄ）はその背面図、（ｅ）は本発明の参考例１の第１変形例にかかる骨盤矯正ガードルのウエスト上端を腰回りより下方に短く設定したローウエストタイプの全体構成を示す正面図、（ｆ）はその背面図である。
【図４】図４（ａ）は本発明の参考例１の第２変形例にかかる骨盤矯正ガードルの全体構成を示す正面図、（ｂ）は背面図、（ｃ）は本発明の参考例１の第２変形例にかかる骨盤矯正ガードルのウエスト上端を腰回りより上方にまで長く伸ばしたハイウエストタイプの全体構成を示す正面図、（ｄ）はその背面図、（ｅ）は本発明の参考例１の第２変形例にかかる骨盤矯正ガードルのウエスト上端を腰回りより下方に短く設定したローウエストタイプの全体構成を示す正面図、（ｆ）はその背面図である。
【図５】図５（ａ）は本発明の参考例２にかかる骨盤矯正ガードルの全体構成を示す正面図、（ｂ）は本発明の参考例２にかかる骨盤矯正ガードルのウエスト上端を腰回りより上方にまで長く伸ばしたハイウエストタイプの全体構成を示す正面図、（ｃ）は本発明の参考例２にかかる骨盤矯正ガードルのウエスト上端を腰回りより下方に短く設定したローウエストタイプの全体構成を示す正面図、（ｄ）は着脱可能な左右の交差部分の裏側を拡大して示す図である。
【図６】図６（ａ）は本発明の参考例３にかかる骨盤矯正ガードルの全体構成を示す正面図、（ｂ）は背面図である。
【図７】図７（ａ）は本発明の参考例３の変形例にかかる骨盤矯正ガードルの全体構成を示す正面図、（ｂ）は背面図である。
【図８】図８（ａ）は本発明の参考例４にかかる骨盤矯正ガードルの全体構成を示す正面図、（ｂ）は背面図である。
【図９】図９（ａ）は本発明の参考例４の変形例にかかる骨盤矯正ガードルの全体構成を示す正面図、（ｂ）は背面図、（ｃ）は上下を分離した図である。
【図１０】図１０（ａ）は本発明の参考例５にかかる骨盤矯正ガードルの全体構成を示す正面図、（ｂ）は背面図である。
【図１１】図１１（ａ）は本発明の参考例５の変形例にかかる骨盤矯正ガードルの全体構成を示す正面図、（ｂ）は背面図、（ｃ）は裏側に取付ける伸縮性生地を示す図である。
【図１２】図１２（ａ）は本発明の参考例６にかかる骨盤矯正ガードルの全体構成を示す正面図、（ｂ）は背面図である。
【図１３】図１３（ａ）は本発明の参考例６の変形例にかかる骨盤矯正ガードルの全体構成を示す正面図、（ｂ）は背面図である。
【図１４】図１４（ａ）は本発明の参考例７にかかる骨盤矯正ガードルの全体構成を示す正面図、（ｂ）は左側面図、（ｃ）は背面図である。
【図１５】図１５（ａ）は本発明の参考例７の変形例にかかる骨盤矯正ガードルの全体構成を示す正面図、（ｂ）は左側面図、（ｃ）は背面図である。
【図１６】図１６（ａ）は本発明の参考例８にかかる骨盤矯正ガードルの全体構成を示す正面図、（ｂ）は左側面図、（ｃ）は背面図である。
【図１７】図１７（ａ）は本発明の参考例８の変形例にかかる骨盤矯正ガードルの全体構成を示す正面図、（ｂ）は左側面図、（ｃ）は背面図である。
【図１８】図１８（ａ）は本発明の参考例９にかかる骨盤矯正ガードルの全体構成を示す正面図、（ｂ）は左側面図、（ｃ）は背面図である。
【図１９】図１９（ａ）は本発明の参考例１０にかかる骨盤矯正ガードルの全体構成を示す正面図、（ｂ）は左側面図、（ｃ）は背面図である。
【図２０】図２０（ａ）は本発明の参考例１１にかかる骨盤矯正ガードルの全体構成を示す正面図、（ｂ）は左側面図、（ｃ）は背面図である。
【図２１】図２１（ａ）は本発明の参考例１２にかかる骨盤矯正ガードルの全体構成を示す正面図、（ｂ）は背面図である。
【図２２】図２２（ａ）は本発明の参考例１２の第１変形例にかかる骨盤矯正ガードルの全体構成を示す正面図、（ｂ）は背面図である。
【図２３】図２３（ａ）は本発明の参考例１２の第２変形例にかかる骨盤矯正ガードルの全体構成を示す正面図、（ｂ）は背面図である。
【図２４】図２４（ａ）は本発明の参考例１２の第３変形例にかかる骨盤矯正ガードルの全体構成を示す正面図、（ｂ）は背面図である。
【図２５】図２５（ａ）は本発明の参考例１３にかかる骨盤矯正ガードルの全体構成を示す正面図、（ｂ）は背面図である。
【図２６】図２６（ａ）は本発明の参考例１３の第１変形例にかかる骨盤矯正ガードルの全体構成を示す正面図、（ｂ）は背面図である。
【図２７】図２７（ａ）は本発明の参考例１３の第２変形例にかかる骨盤矯正ガードルの全体構成を示す正面図、（ｂ）は背面図である。
【図２８】図２８（ａ）は本発明の参考例１４にかかる骨盤矯正ガードルの全体構成を示す正面図、（ｂ）は背面図である。
【図２９】図２９（ａ）は本発明の参考例１４の変形例にかかる骨盤矯正ガードルの全体構成を示す正面図、（ｂ）は背面図である。
【図３０】図３０（ａ）は本発明の参考例１５にかかる骨盤矯正ガードルの全体構成を示す正面図、（ｂ）は背面斜視図、（ｃ）は背面図である。
【図３１】図３１（ａ）は本発明の参考例１５の変形例にかかる骨盤矯正ガードルの全体構成を示す正面図、（ｂ）は背面斜視図、（ｃ）は背面図である。
【図３２】図３２（ａ）は本発明の参考例１６にかかる骨盤矯正ガードルの全体構成を示す正面図、（ｂ）は背面斜視図、（ｃ）は背面図である。
【図３３】図３３（ａ）は本発明の参考例１６の変形例であり、実施の形態１にかかる骨盤矯正ガードルの全体構成を示す正面図、（ｂ）は背面斜視図、（ｃ）は背面図である。
【図３４】図３４（ａ）は本発明の参考例１７であり、実施の形態１の変形例１にかかる骨盤矯正ガードルの全体構成を示す正面図、（ｂ）は背面斜視図、（ｃ）は背面図である。
【図３５】図３５（ａ）は本発明の参考例１７の変形例であり、実施の形態１の変形例２にかかる骨盤矯正ガードルの全体構成を示す正面図、（ｂ）は背面斜視図、（ｃ）は背面図である。
【図３６】図３６は本発明の参考例１８にかかる骨盤矯正ガードルの全体構成を示す正面図である。
【図３７】図３７は本発明の参考例１８の変形例にかかる骨盤矯正ガードルの全体構成を示す正面図である。
【図３８】図３８は本発明の参考例１９にかかる骨盤矯正ガードルの全体構成を示す正面図である。
【図３９】図３９は本発明の参考例１９の第１変形例にかかる骨盤矯正ガードルの全体構成を示す正面図である。
【図４０】図４０は本発明の参考例１９の第２変形例にかかる骨盤矯正ガードルの全体構成を示す正面図である。
【図４１】図４１は本発明の参考例１９の第３変形例にかかる骨盤矯正ガードルの全体構成を示す正面図である。
【図４２】図４２は本発明の参考例２０にかかる骨盤矯正ガードルの全体構成を示す背面図である。
【図４３】図４３は本発明の参考例２０の第１変形例にかかる骨盤矯正ガードルの全体構成を示す背面図である。
【図４４】図４４は本発明の参考例２０の第２変形例にかかる骨盤矯正ガードルの全体構成を示す背面図である。
【図４５】図４５（ａ）は本発明の参考例２１であり、実施の形態２にかかる骨盤矯正ガードルの全体構成を示す正面図、（ｂ）は背面斜視図、（ｃ）は背面図である。
【図４６】図４６（ａ）は本発明の参考例２１の変形例であり、実施の形態２の変形例にかかる骨盤矯正ガードルの全体構成を示す正面図、（ｂ）は背面斜視図、（ｃ）は背面図である。
【図４７】図４７は本発明の参考例２２にかかる骨盤矯正ガードルの全体構成を示す正面図である。
【図４８】図４８は本発明の参考例２２の変形例にかかる骨盤矯正ガードルの全体構成を示す正面図である。
【図４９】図４９は本発明の参考例２３であり、実施の形態３にかかる骨盤矯正ガードルの全体構成を示す正面図である。
【図５０】図５０は本発明の骨盤矯正ガードルの製造方法の参考例２４にかかる骨盤矯正ガードルの主な構成部品を示す図である。
【図５１】図５１（ａ）は本発明の参考例２４にかかる骨盤矯正ガードルの製造方法の第１段階を示す図、（ｂ）は第２段階を示す図、（ｃ）は骨盤矯正ガードルの完成状態を示す正面図である。
【図５２】図５２（ａ）は本発明の参考例２５にかかる骨盤矯正ガードルの全体構成を示す正面図、（ｂ）は背面斜視図、（ｃ）は背面図である。
【図５３】図５３（ａ）は本発明の参考例２５の変形例にかかる骨盤矯正ガードルの全体構成を示す正面図、（ｂ）は背面斜視図、（ｃ）は背面図である。
【図５４】図５４（ａ）は本発明の参考例２６にかかる骨盤矯正スパッツの全体構成を示す正面図、（ｂ）は背面図である。
【図５５】図５５（ａ）は本発明の参考例２７にかかる骨盤矯正スパッツの全体構成を示す正面図、（ｂ）は背面図である。
【図５６】図５６（ａ）は本発明の参考例２８にかかる骨盤矯正トレーニングパンツの全体構成を示す正面図、（ｂ）は背面図である。
【図５７】図５７（ａ）は本発明の参考例２９にかかる骨盤矯正トレーニングパンツの全体構成を示す正面図、（ｂ）は背面図である。
【発明を実施するための形態】
【００３３】
以下、本発明の実施の形態及び参考例について、図面を参照しつつ説明する。
【００３４】
参考例１
まず、本発明の参考例１について、図２乃至図４を参照して説明する。
【００３５】
図２（ａ）は本発明の参考例１にかかる骨盤矯正ガードルの全体構成を示す正面図、（ｂ）は背面図、（ｃ）は本発明の参考例１にかかる骨盤矯正ガードルのウエスト上端を腰回りより上方にまで長く伸ばしたハイウエストタイプの全体構成を示す正面図、（ｄ）はその背面図、（ｅ）は本発明の参考例１にかかる骨盤矯正ガードルのウエスト上端を腰回りより下方に短く設定したローウエストタイプの全体構成を示す正面図、（ｆ）はその背面図である。
【００３６】
図３（ａ）は本発明の参考例１の第１変形例にかかる骨盤矯正ガードルの全体構成を示す正面図、（ｂ）は背面図、（ｃ）は本発明の参考例１の第１変形例にかかる骨盤矯正ガードルのウエスト上端を腰回りより上方にまで長く伸ばしたハイウエストタイプの全体構成を示す正面図、（ｄ）はその背面図、（ｅ）は本発明の参考例１の第１変形例にかかる骨盤矯正ガードルのウエスト上端を腰回りより下方に短く設定したローウエストタイプの全体構成を示す正面図、（ｆ）はその背面図である。
【００３７】
図４（ａ）は本発明の参考例１の第２変形例にかかる骨盤矯正ガードルの全体構成を示す正面図、（ｂ）は背面図、（ｃ）は本発明の参考例１の第２変形例にかかる骨盤矯正ガードルのウエスト上端を腰回りより上方にまで長く伸ばしたハイウエストタイプの全体構成を示す正面図、（ｄ）はその背面図、（ｅ）は本発明の参考例１の第２変形例にかかる骨盤矯正ガードルのウエスト上端を腰回りより下方に短く設定したローウエストタイプの全体構成を示す正面図、（ｆ）はその背面図である。
【００３８】
図２（ａ）に示されるように、参考例１にかかる骨盤矯正ガードル１１αは、ウエスト上端１２αの位置が腰回りの高さのレギュラータイプであり、ウエスト上端１２αの全周には図示しないウエストゴムが取付けられている。この骨盤矯正ガードル１１αは、前面中央部分に前面空間を設けて、右腰近傍から左足付け根近傍にかけて及び左腰近傍から右足付け根近傍にかけて前面空間で交差する左右１対の交差部分１３Ａ，１３Ｂを設けたものである。参考例１においては、骨盤矯正ガードル１１αの生地としては通常用いられるサテンネットを用いている。
【００３９】
このように、骨盤矯正ガードル１１αに右腰近傍から左足付け根近傍にかけて及び左腰近傍から右足付け根近傍にかけて左右１対の交差部分１３Ａ，１３Ｂを設けることによって、交差部分１３Ａ，１３Ｂの根元１４Ａ，１４Ｂが脚部の骨の大転子１０ａに当接するとともに、足の付け根近傍が内側へ引っ張られるため、着用して良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【００４０】
そして、図２（ａ），（ｂ）に破線で示されるように、左右１対の交差部分１３Ａ，１３Ｂを始めとする背面の抉り部分１５Ａ，１５Ｂを含む前面空間に臨む縁には、サテンネット生地がほつれないようにかがり縫いが施されている。左右の太もも部分１６Ａ，１６Ｂについては、通常のガードルと変わるところはない。
【００４１】
図２（ｃ），（ｄ）に示される骨盤矯正ガードル１１βは、ウエスト上端１２βの位置を腰回りより上方にまで長く伸ばしたハイウエストタイプであり、ウエスト上端１２βの全周には図示しないウエストゴムが取付けられている。このようなハイウエストタイプの骨盤矯正ガードル１１βは、腰回りが締め付けられてウエストラインが美しく見えるとともに、寒い時期でも暖かいという効果が得られる。それ以外の部分の構成及び作用効果は、上記レギュラータイプの骨盤矯正ガードル１１αと同様なので、同一符号を付して説明を省略する。
【００４２】
図２（ｅ），（ｆ）に示される骨盤矯正ガードル１１γは、ウエスト上端１２γの位置を腰回りより下方に短く設定したローウエストタイプであり、ウエスト上端１２γの全周には図示しないウエストゴムが取付けられている。このようなローウエストタイプの骨盤矯正ガードル１１γは、若い人を中心に流行しているローライズジーンズ等の腰回りが低いボトムスの下にも着用することができるとともに、交差部分１３Ａ，１３Ｂによって足の付け根近傍を内側へ引っ張る効果が最も大きいという特長がある。それ以外の部分の構成及び作用効果は、上記レギュラータイプの骨盤矯正ガードル１１αと同様なので、同一符号を付して説明を省略する。
【００４３】
このようにして、参考例１にかかる骨盤矯正ガードル１１α，１１β，１１γにおいては、着用して良い姿勢で真っ直ぐに歩くだけで自然に骨盤が内側へ回転して“ビーナスウォーク”をすることができ、これを何日も続けることによって骨盤の歪みが矯正される。そして、前面空間に面している縁にはかがり縫いが施されているので、サテンネット生地がほつれることがない。
【００４４】
次に、参考例１の第１変形例にかかる骨盤矯正ガードルについて、図３を参照して説明する。
【００４５】
図３（ａ）に示されるように、参考例１の第１変形例にかかる骨盤矯正ガードル２１αは、ウエスト上端１２αの位置が腰回りの高さのレギュラータイプであり、ウエスト上端１２αの全周には図示しないウエストゴムが取付けられている。この骨盤矯正ガードル２１αも、前面中央部分に前面空間を設けて、右腰近傍から左足付け根近傍にかけて及び左腰近傍から右足付け根近傍にかけて前面空間で交差する左右１対の交差部分１３Ａ，１３Ｂを設けたものである。
【００４６】
そして、図３（ａ），（ｂ）に示されるように、左右１対の交差部分１３Ａ，１３Ｂを始めとする背面の抉り部分１５Ａ，１５Ｂを含む前面空間に臨む縁には、幅の細い弾性材としての幅約１ｃｍのオペロンゴム２０がサテンネット生地に縫付けられている。左右の太もも部分１６Ａ，１６Ｂについては、通常のガードルと変わるところはない。
【００４７】
このように、骨盤矯正ガードル２１αに右腰近傍から左足付け根近傍にかけて及び左腰近傍から右足付け根近傍にかけて左右１対の交差部分１３Ａ，１３Ｂを設け、さらにその両縁に幅約１ｃｍのオペロンゴム２０を縫付けることによって、交差部分１３Ａ，１３Ｂの根元１４Ａ，１４Ｂが脚部の骨の大転子１０ａに当接するとともに、足の付け根近傍が内側へより強く引っ張られるため、着用して良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【００４８】
図３（ｃ），（ｄ）に示される骨盤矯正ガードル２１βは、ウエスト上端１２βの位置を腰回りより上方にまで長く伸ばしたハイウエストタイプであり、ウエスト上端１２βの全周には図示しないウエストゴムが取付けられている。このようなハイウエストタイプの骨盤矯正ガードル２１βは、腰回りが締め付けられてウエストラインが美しく見えるとともに、寒い時期でも暖かいという効果が得られる。それ以外の部分の構成及び作用効果は、上記レギュラータイプの骨盤矯正ガードル２１αと同様なので、同一符号を付して説明を省略する。
【００４９】
図３（ｅ），（ｆ）に示される骨盤矯正ガードル２１γは、ウエスト上端１２γの位置を腰回りより下方に短く設定したローウエストタイプであり、ウエスト上端１２γの全周には図示しないウエストゴムが取付けられている。このようなローウエストタイプの骨盤矯正ガードル２１γは、若い人を中心に流行しているローライズジーンズ等の腰回りが低いボトムスの下にも着用することができるとともに、交差部分１３Ａ，１３Ｂによって足の付け根近傍を内側へ引っ張る効果が最も大きいという特長がある。それ以外の部分の構成及び作用効果は、上記レギュラータイプの骨盤矯正ガードル２１αと同様なので、同一符号を付して説明を省略する。
【００５０】
このようにして、参考例１の第１変形例にかかる骨盤矯正ガードル２１α，２１β，２１γにおいても、着用して良い姿勢で真っ直ぐに歩くだけで自然に骨盤が内側へ回転して“ビーナスウォーク”をすることができ、これを何日も続けることによって骨盤の歪みが矯正される。そして、前面空間に面している縁には幅の細い弾性材としての幅の細いオペロンゴム２０が縫付けられているので、サテンネット生地がほつれることがなく、骨盤を内側へ回転させる効果も強化される。
【００５１】
次に、参考例１の第２変形例にかかる骨盤矯正ガードルについて、図４を参照して説明する。
【００５２】
図４（ａ）に示されるように、参考例１の第２変形例にかかる骨盤矯正ガードル２２αは、ウエスト上端１２αの位置が腰回りの高さのレギュラータイプであり、ウエスト上端１２αの全周には図示しないウエストゴムが取付けられている。この骨盤矯正ガードル２２αも、前面中央部分に前面空間を設けて、右腰近傍から左足付け根近傍にかけて及び左腰近傍から右足付け根近傍にかけて前面空間で交差する左右１対の交差部分１３Ａ，１３Ｂを設けたものである。
【００５３】
そして、図４（ａ），（ｂ）に示されるように、左右１対の交差部分１３Ａ，１３Ｂを始めとする背面の抉り部分１５Ａ，１５Ｂを含む前面空間に臨む縁には、細い弾性材としての幅約１ｃｍのオペロンゴム２０がサテンネット生地に縫付けられている。さらに、左右１対の交差部分１３Ａ，１３Ｂの裏面には、幅の広い弾性材としての幅広のオペロンゴム２３Ａ，２３Ｂが縫付けられている。左右の太もも部分１６Ａ，１６Ｂについては、通常のガードルと変わるところはない。
【００５４】
このように、骨盤矯正ガードル２２αに右腰近傍から左足付け根近傍にかけて及び左腰近傍から右足付け根近傍にかけて左右１対の交差部分１３Ａ，１３Ｂを設け、さらにその両縁に幅約１ｃｍのオペロンゴム２０を縫付け、さらに裏側に幅広のオペロンゴム２３Ａ，２３Ｂを縫付けることによって、交差部分１３Ａ，１３Ｂの根元１４Ａ，１４Ｂが脚部の骨の大転子１０ａに当接するとともに、足の付け根近傍が内側へさらに強力に引っ張られるため、着用して良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【００５５】
図４（ｃ），（ｄ）に示される骨盤矯正ガードル２２βは、ウエスト上端１２βの位置を腰回りより上方にまで長く伸ばしたハイウエストタイプであり、ウエスト上端１２βの全周には図示しないウエストゴムが取付けられている。このようなハイウエストタイプの骨盤矯正ガードル２１βは、腰回りが締め付けられてウエストラインが美しく見えるとともに、寒い時期でも暖かいという効果が得られる。それ以外の部分の構成及び作用効果は、上記レギュラータイプの骨盤矯正ガードル２２αと同様なので、同一符号を付して説明を省略する。
【００５６】
図４（ｅ），（ｆ）に示される骨盤矯正ガードル２２γは、ウエスト上端１２γの位置を腰回りより下方に短く設定したローウエストタイプであり、ウエスト上端１２γの全周には図示しないウエストゴムが取付けられている。このようなローウエストタイプの骨盤矯正ガードル２１γは、若い人を中心に流行しているローライズジーンズ等の腰回りが低いボトムスの下にも着用することができるとともに、交差部分１３Ａ，１３Ｂによって足の付け根近傍を内側へ引っ張る効果が最も大きいという特長がある。それ以外の部分の構成及び作用効果は、上記レギュラータイプの骨盤矯正ガードル２２αと同様なので、同一符号を付して説明を省略する。
【００５７】
このようにして、参考例１の第２変形例にかかる骨盤矯正ガードル２２α，２２β，２２γにおいても、着用して良い姿勢で真っ直ぐに歩くだけで自然に骨盤が内側へ回転して“ビーナスウォーク”をすることができ、これを何日も続けることによって骨盤の歪みが矯正される。そして、前面空間に面している縁には幅の細い弾性材としての幅の細いオペロンゴム２０が縫付けられているのでサテンネット生地がほつれることがなく、さらに交差部分１３Ａ，１３Ｂの裏側には幅の広い弾性材としての幅広のオペロンゴム２３Ａ，２３Ｂが縫付けられているため、骨盤を内側へ回転させる効果もより一層強化される。
【００５８】
参考例２
次に、本発明の参考例２について、図５を参照して説明する。
【００５９】
図５（ａ）は本発明の参考例２にかかる骨盤矯正ガードルの全体構成を示す正面図、（ｂ）は本発明の参考例２にかかる骨盤矯正ガードルのウエスト上端を腰回りより上方にまで長く伸ばしたハイウエストタイプの全体構成を示す正面図、（ｃ）は本発明の参考例２にかかる骨盤矯正ガードルのウエスト上端を腰回りより下方に短く設定したローウエストタイプの全体構成を示す正面図、（ｄ）は着脱可能な左右の交差部分の裏側を拡大して示す図である。
【００６０】
図５（ａ）に示されるように、参考例２にかかる骨盤矯正ガードル２５αは、ウエスト上端１２αの位置が腰回りの高さのレギュラータイプであり、ウエスト上端１２αの全周には図示しないウエストゴムが取付けられている。この骨盤矯正ガードル２５αは、前面中央部分に前面空間を設けて、右腰近傍から左足付け根近傍にかけて及び左腰近傍から右足付け根近傍にかけて前面空間で交差する左右１対の交差部分２６Ａ，２６Ｂを設けるとともに、左右１対の交差部分２６Ａ，２６Ｂをそれぞれ上部の付け根で分離して、１対の調節機能付き接続具としての複数の接続位置に取付けられたメンカンを有するカギホック２７Ａ，２８Ａ，２７Ｂ，２８Ｂで接続可能としたものである。
【００６１】
そして、図５（ａ）に示されるように、左右１対の交差部分２６Ａ，２６Ｂを始めとする背面の抉り部分１５Ａ，１５Ｂを含む前面空間に臨む縁には、幅の細い弾性材としての幅約１ｃｍのオペロンゴム２０がサテンネット生地に縫付けられている。さらに、左右１対の交差部分２６Ａ，２６Ｂの裏面には、幅の広い弾性材としての幅広のオペロンゴム２３Ａ，２３Ｂが縫付けられており、図５（ｄ）に示されるように、その上から幅広のオペロンゴム２３Ａ，２３Ｂを覆うように伸縮性生地としてのパワーネット２９が縫付けられている。左右の太もも部分１６Ａ，１６Ｂについては、通常のガードルと変わるところはない。
【００６２】
これによって、カギホックを構成するホック２７Ａ，２７Ｂを複数の接続位置に取付けられたメンカン２８Ａ，２８Ｂのどの位置に接続するかによって、左右１対の交差部分２６Ａ，２６Ｂによる内側への引張り力を調節することができる。そして、左右１対の交差部分２６Ａ，２６Ｂの両縁に幅約１ｃｍのオペロンゴム２０を縫付け、さらに裏側に幅広のオペロンゴム２３Ａ，２３Ｂを縫付けることによって、交差部分２６Ａ，２６Ｂの根元１４Ａ，１４Ｂが脚部の骨の大転子１０ａに当接するとともに、足の付け根近傍が内側へさらに強力に引っ張られるため、着用して良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。
【００６３】
また、参考例２にかかる骨盤矯正ガードル２５αにおいては、図５（ｄ）に示されるように、幅広のオペロンゴム２３Ａ，２３Ｂを覆うようにパワーネット２９が縫付けられているために、幅広のオペロンゴム２３Ａ，２３Ｂが直接肌に触れないため、付け心地が向上するという効果も得られる。
【００６４】
図５（ｂ）に示される骨盤矯正ガードル２５βは、ウエスト上端１２βの位置を腰回りより上方にまで長く伸ばしたハイウエストタイプであり、ウエスト上端１２βの全周には図示しないウエストゴムが取付けられている。このようなハイウエストタイプの骨盤矯正ガードル２５βは、腰回りが締め付けられてウエストラインが美しく見えるとともに、寒い時期でも暖かいという効果が得られる。それ以外の部分の構成及び作用効果は、上記レギュラータイプの骨盤矯正ガードル２５αと同様なので、同一符号を付して説明を省略する。
【００６５】
図５（ｃ）に示される骨盤矯正ガードル２５γは、ウエスト上端１２γの位置を腰回りより下方に短く設定したローウエストタイプであり、ウエスト上端１２γの全周には図示しないウエストゴムが取付けられている。このようなローウエストタイプの骨盤矯正ガードル２５γは、若い人を中心に流行しているローライズジーンズ等の腰回りが低いボトムスの下にも着用することができるとともに、交差部分２６Ａ，２６Ｂによって足の付け根近傍を内側へ引っ張る効果が最も大きいという特長がある。それ以外の部分の構成及び作用効果は、上記レギュラータイプの骨盤矯正ガードル２５αと同様なので、同一符号を付して説明を省略する。
【００６６】
このようにして、参考例２にかかる骨盤矯正ガードル２５α，２５β，２５γにおいても、着用して良い姿勢で真っ直ぐに歩くだけで自然に骨盤が内側へ回転して“ビーナスウォーク”をすることができ、これを何日も続けることによって骨盤の歪みが矯正される。そして、前面空間に面している縁には幅の細い弾性材としての幅の細いオペロンゴム２０が縫付けられているのでサテンネット生地がほつれることがなく、さらに交差部分２６Ａ，２６Ｂの裏側には幅の広い弾性材としての幅広のオペロンゴム２３Ａ，２３Ｂが縫付けられているため、骨盤を内側へ回転させる効果もより一層強化される。また、幅広のオペロンゴム２３Ａ，２３Ｂが直接肌に触れないため、付け心地が向上する効果も得られる。
【００６７】
参考例３
次に、本発明の参考例３について、図６及び図７を参照して説明する。図６（ａ）は本発明の参考例３にかかる骨盤矯正ガードルの全体構成を示す正面図、（ｂ）は背面図である。図７（ａ）は本発明の参考例３の変形例にかかる骨盤矯正ガードルの全体構成を示す正面図、（ｂ）は背面図である。
【００６８】
図６（ａ），（ｂ）に示されるように、参考例３にかかる骨盤矯正ガードル３１は、前面左右部分に骨盤矯正ガードル３１の股部を向いて傾斜した１対の深い抉り部分３２Ａ，３２Ｂを設けるとともに、背面中央部分に背面空間を設けて、右臀部近傍から左足付け根後部近傍にかけて及び左臀部近傍から右足付け根後部近傍にかけて背面空間で交差する左右１対の交差部分３３Ａ，３３Ｂを設けたものである。
【００６９】
そして、左右１対の交差部分３３Ａ，３３Ｂの両縁を始めとする１対の深い抉り部分３２Ａ，３２Ｂを含む背面空間に臨む縁に幅約１ｃｍのオペロンゴム２０を縫付けることによって、交差部分３３Ａ，３３Ｂの根元１４Ａ，１４Ｂが脚部の骨の大転子１０ａに当接するとともに、１対の深い抉り部分３２Ａ，３２Ｂによって前面にも交差部分と同様の引張り力が働き、足の付け根近傍が内側へ引っ張られるため、着用して良い姿勢で真っ直ぐに歩くだけで自然に骨盤が内側へ回転して“ビーナスウォーク”をすることができるとともに、交差部分３３Ａ，３３Ｂによってヒップ部分が引き上げられ、ヒップアップの効果も得ることができる。
【００７０】
次に、参考例３の変形例にかかる骨盤矯正ガードルについて、図７を参照して説明する。図７（ａ），（ｂ）に示されるように、参考例３の変形例にかかる骨盤矯正ガードル３５は、前面左右部分に骨盤矯正ガードル３５の股部を向いて傾斜した１対の深い抉り部分３２Ａ，３２Ｂを設けるとともに、背面中央部分に背面空間を設けて、左足付け根後部近傍から右臀部近傍にかけて及び右足付け根後部近傍から左臀部近傍にかけて背面空間で交差する左右１対の交差部分３６Ａ，３６Ｂを設けるとともに、左右１対の交差部分３６Ａ，３６Ｂをそれぞれ上部の付け根で分離して、前面の深い抉り部分３２Ａ，３２Ｂの上方において、１対の調節機能付き接続具としての複数の接続位置に取付けられたメンカンを有するカギホック３４Ａ，３５Ａ，３４Ｂ，３５Ｂで接続可能としたものである。
【００７１】
そして、左右１対の交差部分３６Ａ，３６Ｂを始めとする前面の深い抉り部分３２Ａ，３２Ｂを含む背面空間に臨む縁には、幅の細い弾性材としての幅約１ｃｍのオペロンゴム２０がサテンネット生地に縫付けられている。さらに、左右１対の交差部分３６Ａ，３６Ｂの裏面には、幅の広い弾性材としての幅広のオペロンゴム３７Ａ，３７Ｂが縫付けられている。これによって、交差部分３６Ａ，３６Ｂの根元１４Ａ，１４Ｂが脚部の骨の大転子１０ａに当接するとともに、１対の深い抉り部分３２Ａ，３２Ｂによって前面にも交差部分と同様の引張り力が働き、足の付け根近傍が内側へ引っ張られる。
【００７２】
このため、骨盤矯正ガードル３５を着用して良い姿勢で真っ直ぐに歩くだけで自然に骨盤が内側へ回転して“ビーナスウォーク”をすることができ、また交差部分３６Ａ，３６Ｂによってヒップ部分が引き上げられ、ヒップアップの効果も得ることができる。そして、カギホック３４Ａ，３５Ａ，３４Ｂ，３５Ｂをそれぞれどの位置で接続するかによってこれらの引張り力を適切に調節することができる。
【００７３】
このようにして、参考例３にかかる骨盤矯正ガードル３１，３５においては、着用して良い姿勢で真っ直ぐに歩くだけで自然に骨盤が内側へ回転して“ビーナスウォーク”をすることができ、これを何日も続けることによって骨盤の歪みが矯正される。そして、背面空間に面している縁には幅の細い弾性材としての幅の細いオペロンゴム２０が縫付けられているのでサテンネット生地がほつれることがなく、さらに交差部分３６Ａ，３６Ｂの裏側には幅の広い弾性材としての幅広のオペロンゴム３７Ａ，３７Ｂが縫付けられているため、ヒップアップの効果もより一層強化される。
【００７４】
なお、参考例３にかかる骨盤矯正ガードル３１，３５においては、ウエスト上端１２αの位置が腰回りの高さのレギュラータイプについて説明したが、ウエスト上端の位置を腰回りより上方にまで長く伸ばしたハイウエストタイプや、ウエスト上端の位置を腰回りより下方に短く設定したローウエストタイプとすることもできる。
【００７５】
参考例４
次に、本発明の参考例４について、図８及び図９を参照して説明する。図８（ａ）は本発明の参考例４にかかる骨盤矯正ガードルの全体構成を示す正面図、（ｂ）は背面図である。図９（ａ）は本発明の参考例４の変形例にかかる骨盤矯正ガードルの全体構成を示す正面図、（ｂ）は背面図、（ｃ）は上下を分離した図である。
【００７６】
図８（ａ），（ｂ）に示されるように、参考例４にかかる骨盤矯正ガードル４１は、前面中央部分に前面空間を設けて、右腰近傍から左足付け根近傍にかけて及び左腰近傍から右足付け根近傍にかけて前面空間で交差する左右１対の交差部分４２Ａ，４２Ｂを設けるとともに、背面中央部分にも背面空間を設けて、右臀部近傍から左足付け根後部近傍にかけて及び左臀部近傍から右足付け根後部近傍にかけて背面空間で交差する左右１対の交差部分４３Ａ，４３Ｂを設けたものである。
【００７７】
このように、骨盤矯正ガードル４１に右腰近傍から左足付け根近傍にかけて及び左腰近傍から右足付け根近傍にかけて左右１対の交差部分４２Ａ，４２Ｂを設けることによって、交差部分４２Ａ，４２Ｂの根元１４Ａ，１４Ｂが脚部の骨の大転子１０ａに当接するとともに、足の付け根近傍が内側へ引っ張られるため、着用して良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。そして、背面の交差部分４３Ａ，４３Ｂによってヒップ部分が引き上げられ、ヒップアップの効果も得ることができる。
【００７８】
そして、左右１対の交差部分４２Ａ，４２Ｂ及び背面の交差部分４３Ａ，４３Ｂを始めとする前面空間及び背面空間に面している縁には、幅の細い弾性材としての幅の細いオペロンゴム２０が縫付けられているのでサテンネット生地がほつれることがなく、さらに骨盤の矯正効果もヒップアップの効果もより強化される。
【００７９】
次に、参考例４の変形例にかかる骨盤矯正ガードルについて、図９を参照して説明する。図９（ａ），（ｂ）に示されるように、参考例４の変形例にかかる骨盤矯正ガードル４５は、前面中央部分に前面空間を設けて、右腰近傍から左足付け根近傍にかけて及び左腰近傍から右足付け根近傍にかけて前面空間で交差する左右１対の交差部分２６Ａ，２６Ｂを設けるとともに、背面中央部分にも背面空間を設けて、右臀部近傍から左足付け根後部近傍にかけて及び左臀部近傍から右足付け根後部近傍にかけて背面空間で交差する左右１対の交差部分２６Ｃ，２６Ｄを設けたものである。
【００８０】
そして、前後の各左右１対の交差部分２６Ａ，２６Ｂ，２６Ｃ，２６Ｄをそれぞれ上部の付け根で分離して、各１対の調節機能付き接続具としての複数の接続位置に取付けられたメンカンを有するカギホック２７Ａ，２８Ａ，２７Ｂ，２８Ｂ，２７Ｃ，２８Ｃ，２７Ｄ，２８Ｄでそれぞれ接続可能としたものである。
【００８１】
また、前後の各左右１対の交差部分２６Ａ，２６Ｂ，２６Ｃ，２６Ｄを始めとする前面空間及び背面空間に臨む縁には、幅の細い弾性材としての幅約１ｃｍのオペロンゴム２０がサテンネット生地に縫付けられている。さらに、各左右１対の交差部分２６Ａ，２６Ｂ，２６Ｃ，２６Ｄの裏面には、幅の広い弾性材としての幅広のオペロンゴム２３Ａ，２３Ｂ，２３Ｃ，２３Ｄが縫付けられている。これによって、各左右１対の交差部分２６Ａ，２６Ｂ，２６Ｃ，２６Ｄの根元１４Ａ，１４Ｂが脚部の骨の大転子１０ａに当接するとともに、足の付け根近傍が内側へ強力に引っ張られる。
【００８２】
このため、骨盤矯正ガードル４５を着用して良い姿勢で真っ直ぐに歩くだけで自然に骨盤が内側へ回転して“ビーナスウォーク”をすることができ、また交差部分２６Ｃ，２６Ｄによってヒップ部分が引き上げられ、ヒップアップの効果も得ることができる。そして、カギホック２７Ａ，２８Ａ，２７Ｂ，２８Ｂ，２７Ｃ，２８Ｃ，２７Ｄ，２８Ｄをそれぞれどの位置で接続するかによってこれらの引張り力を適切に調節することができる。
【００８３】
このようにして、参考例４にかかる骨盤矯正ガードル４１，４５においては、着用して良い姿勢で真っ直ぐに歩くだけで自然に骨盤が内側へ回転して“ビーナスウォーク”をすることができ、これを何日も続けることによって骨盤の歪みが矯正される。そして、背面空間に面している縁には幅の細い弾性材としての幅の細いオペロンゴム２０が縫付けられているのでサテンネット生地がほつれることがなく、さらに各左右１対の交差部分２６Ａ，２６Ｂ，２６Ｃ，２６Ｄの裏側には幅の広い弾性材としての幅広のオペロンゴム２３Ａ，２３Ｂ，２３Ｃ，２３Ｄが縫付けられているため、骨盤の矯正効果もヒップアップの効果もより一層強化される。
【００８４】
ここで、幅広のオペロンゴム２３Ａ，２３Ｂ，２３Ｃ，２３Ｄの上から、オペロンゴム２３Ａ，２３Ｂ，２３Ｃ，２３Ｄを覆うように伸縮性生地としてのパワーネット２９が縫付けられているために、オペロンゴム２３Ａ，２３Ｂ，２３Ｃ，２３Ｄが直接肌に触れることがなく、着け心地を損なうことがない。また、図９（ｃ）に示されるように、交差部分２６Ａの裏側には交差部分２６Ｂを通すためのループ４６が縫付けられており、同様に交差部分２６Ｃの裏側にも交差部分２６Ｄを通すためのループが縫付けられているため、図９（ｃ）に示されるように骨盤矯正ガードル４５の上下を分離した状態でも、交差部分２６Ａ，２６Ｂ，２６Ｃ，２６Ｄが絡まってしまうことはない。
【００８５】
なお、参考例４にかかる骨盤矯正ガードル４１，４５においては、ウエスト上端１２αの位置が腰回りの高さのレギュラータイプについて説明したが、ウエスト上端の位置を腰回りより上方にまで長く伸ばしたハイウエストタイプや、ウエスト上端の位置を腰回りより下方に短く設定したローウエストタイプとすることもできる。
【００８６】
参考例５
次に、本発明の参考例５について、図１０及び図１１を参照して説明する。
図１０（ａ）は本発明の参考例５にかかる骨盤矯正ガードルの全体構成を示す正面図、（ｂ）は背面図である。図１１（ａ）は本発明の参考例５の変形例にかかる骨盤矯正ガードルの全体構成を示す正面図、（ｂ）は背面図、（ｃ）は裏側に取付ける伸縮性生地を示す図である。
【００８７】
図１０（ａ），（ｂ）に示されるように、参考例５にかかる骨盤矯正ガードル５０は、前面中央部分に左右の太もも部分５１Ａ，５１Ｂ先端近傍までの大きな前面空間を設けて、右太もも５１Ａ近傍から左足付け根近傍にかけて及び左太もも５１Ｂ近傍から右足付け根近傍にかけて大きな前面空間で交差する左右１対の交差部分５２Ａ，５２Ｂを設けるとともに、背面左右部分に股部を向いて傾斜した１対の深い抉り部分５３Ａ，５３Ｂを設けたものである。
【００８８】
このように、骨盤矯正ガードル５０に右太もも５１Ａ近傍から左足付け根近傍にかけて及び左太もも５１Ｂ近傍から右足付け根近傍にかけて左右１対の交差部分５２Ａ，５２Ｂを設けることによって、交差部分５２Ａ，５２Ｂの根元１４Ａ，１４Ｂが脚部の骨の大転子１０ａに当接するとともに、足の付け根近傍が内側へ引っ張られるため、着用して良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。そして、背面の深い抉り部分５３Ａ，５３Ｂによってヒップアップの効果も得ることができる。
【００８９】
そして、左右１対の交差部分５２Ａ，５２Ｂ及び背面の深い抉り部分５３Ａ，５３Ｂを始めとする大きな前面空間に面している縁には、幅の細い弾性材としての幅の細いオペロンゴム２０が縫付けられているのでサテンネット生地がほつれることがなく、さらに骨盤の矯正効果もヒップアップの効果もより強化される。
【００９０】
次に、参考例５の変形例にかかる骨盤矯正ガードルについて、図１１を参照して説明する。図１１（ａ），（ｂ）に示されるように、参考例５の変形例にかかる骨盤矯正ガードル５５は、前面中央部分に左右の太もも部分５１Ａ，５１Ｂ先端近傍までの大きな前面空間を設けて、右太もも５１Ａ近傍から左足付け根近傍にかけて及び左太もも５１Ｂ近傍から右足付け根近傍にかけて大きな前面空間で交差する左右１対の交差部分５６Ａ，５６Ｂを設けるとともに、背面左右部分に股部を向いて傾斜した１対の深い抉り部分５３Ａ，５３Ｂを設けたものである。そして、左右１対の交差部分５６Ａ，５６Ｂをそれぞれ上部の付け根で分離して、１対の調節機能付き接続具としての複数の接続位置に取付けられたメンカンを有するカギホック２７Ａ，２８Ａ，２７Ｂ，２８Ｂで接続可能としたものである。
【００９１】
また、左右１対の交差部分５６Ａ，５６Ｂ及び背面の深い抉り部分５３Ａ，５３Ｂを始めとする大きな前面空間に面している縁には、幅の細い弾性材としての幅の細いオペロンゴム２０が縫付けられているのでサテンネット生地がほつれることがなく、さらに左右１対の交差部分５６Ａ，５６Ｂを含む下方前面の裏側には、図１１（ｃ）に示されるような形状の伸縮性生地としてのパワーネット５７Ａ，５７Ｂが、ステッチ５８Ａで示される部分のみ縫付けられており、矢印δで示されるように先端は引伸ばされてカギホック２７Ａ，２７Ｂに縫付けられる。このように、パワーネット５７Ａ，５７Ｂはオペロンゴムと異なり直線状のみでなく、任意の形状の部分に引張り力を付与することができ、これによって左右１対の交差部分５６Ａ，５６Ｂの根元１４Ａ，１４Ｂが脚部の骨の大転子１０ａに当接するとともに、足の付け根近傍が内側へ強力に引っ張られる。
【００９２】
このため、骨盤矯正ガードル５５を着用して良い姿勢で真っ直ぐに歩くだけで自然に骨盤が内側へ回転して“ビーナスウォーク”をすることができ、また背面の深い抉り部分５３Ａ，５３Ｂによってヒップアップの効果も得ることができる。そして、カギホック２７Ａ，２８Ａ，２７Ｂ，２８Ｂをそれぞれどの位置で接続するかによって引張り力を適切に調節することができる。
【００９３】
このようにして、参考例５にかかる骨盤矯正ガードル５０，５５においては、着用して良い姿勢で真っ直ぐに歩くだけで自然に骨盤が内側へ回転して“ビーナスウォーク”をすることができ、これを何日も続けることによって骨盤の歪みが矯正される。そして、大きな前面空間に面している縁には幅の細い弾性材としての幅の細いオペロンゴム２０が縫付けられているのでサテンネット生地がほつれることがなく、さらに骨盤矯正ガードル５５においては、各左右１対の交差部分５６Ａ，５６Ｂを含む下方前側の裏側に伸縮性生地としてのパワーネット５７Ａ，５７Ｂが縫付けられているため、骨盤の矯正効果もより一層強化される。
【００９４】
なお、参考例５にかかる骨盤矯正ガードル５０，５５においては、ウエスト上端１２αの位置が腰回りの高さのレギュラータイプについて説明したが、ウエスト上端の位置を腰回りより上方にまで長く伸ばしたハイウエストタイプや、ウエスト上端の位置を腰回りより下方に短く設定したローウエストタイプとすることもできる。
【００９５】
参考例６
次に、本発明の参考例６について、図１２及び図１３を参照して説明する。
【００９６】
図１２（ａ）は本発明の参考例６にかかる骨盤矯正ガードルの全体構成を示す正面図、（ｂ）は背面図である。図１３（ａ）は本発明の参考例６の変形例にかかる骨盤矯正ガードルの全体構成を示す正面図、（ｂ）は背面図である。
【００９７】
図１２（ａ），（ｂ）に示されるように、参考例６にかかる骨盤矯正ガードル６０は、前面左右部分に股部を向いて傾斜した１対の深い抉り部分６１Ａ，６１Ｂを設けるとともに、背面中央部分に左右の太もも部分５１Ａ，５１Ｂ先端近傍までの大きな背面空間を設けて、右太もも５１Ａ後部近傍から左足付け根後部近傍にかけて及び左太もも５１Ｂ後部近傍から右足付け根後部近傍にかけて大きな背面空間で交差する左右１対の交差部分６２Ａ，６２Ｂを設けたものである。
【００９８】
このように、骨盤矯正ガードル６０に前面左右の深い抉り部分６１Ａ，６１Ｂを設けることによって、前面に交差部分を設けたのと同様の引張り力がかかり、深い抉り部分６１Ａ，６１Ｂの根元１４Ａ，１４Ｂが脚部の骨の大転子１０ａに当接するとともに、足の付け根近傍が内側へ引っ張られるため、着用して良い姿勢で真っ直ぐに歩くだけで自然に骨盤が内側へ回転して“ビーナスウォーク”をすることができ、これを何日も続けることによって骨盤の歪みが矯正されて、骨盤の歪みに起因する種々の不快な症状も改善される。そして、右太もも５１Ａ後部近傍から左足付け根後部近傍にかけて及び左太もも５１Ｂ後部近傍から右足付け根後部近傍にかけて左右１対の交差部分６２Ａ，６２Ｂを設けることによって、ヒップ部分が持ち上げられてヒップアップの効果も得ることができる。
【００９９】
そして、左右１対の交差部分６２Ａ，６２Ｂ及び前面の深い抉り部分６１Ａ，６１Ｂを始めとする大きな背面空間に面している縁には、幅の細い弾性材としての幅の細いオペロンゴム２０が縫付けられているのでサテンネット生地がほつれることがなく、さらに骨盤の矯正効果もヒップアップの効果もより強化される。
【０１００】
次に、参考例６の変形例にかかる骨盤矯正ガードルについて、図１３を参照して説明する。図１３（ａ），（ｂ）に示されるように、参考例６の変形例にかかる骨盤矯正ガードル６５は、前面左右部分に股部を向いて傾斜した１対の深い抉り部分６１Ａ，６１Ｂを設けるとともに、背面中央部分に左右の太もも部分５１Ａ，５１Ｂ先端近傍までの大きな背面空間を設けて、右太もも５１Ａ後部近傍から左足付け根後部近傍にかけて及び左太もも５１Ｂ後部近傍から右足付け根後部近傍にかけて大きな背面空間で交差する左右１対の交差部分６６Ａ，６６Ｂを設けたものである。そして、左右１対の交差部分６６Ａ，６６Ｂをそれぞれ上部の付け根で分離して、１対の調節機能付き接続具としての複数の接続位置に取付けられたメンカンを有するカギホック６７Ａ，６８Ａ，６７Ｂ，６８Ｂで接続可能としたものである。
【０１０１】
また、左右１対の交差部分６６Ａ，６６Ｂ及び前面の深い抉り部分６１Ａ，６１Ｂを始めとする大きな背面空間に面している縁には、幅の細い弾性材としての幅の細いオペロンゴム２０が縫付けられているのでサテンネット生地がほつれることがなく、さらに左右１対の交差部分６６Ａ，６６Ｂを含む下方背面の裏側には、伸縮性生地としてのパワーネット５７Ａ，５７Ｂが縫付けられており、先端は引伸ばされてカギホック６７Ａ，６７Ｂに縫付けられている。このように、パワーネット５７Ａ，５７Ｂはオペロンゴムと異なり直線状のみでなく、任意の形状の部分に引張り力を付与することができ、これによって左右１対の交差部分６６Ａ，６６Ｂによってヒップ部分が強力に持ち上げられる。
【０１０２】
このため、骨盤矯正ガードル６５を着用して良い姿勢で真っ直ぐに歩くだけで前面の深い抉り部分６１Ａ，６１Ｂによって自然に骨盤が内側へ回転して“ビーナスウォーク”をすることができ、また左右１対の交差部分６６Ａ，６６Ｂによってヒップアップの効果も得ることができる。そして、カギホック６７Ａ，６８Ａ，６７Ｂ，６８Ｂをそれぞれどの位置で接続するかによって引張り力を適切に調節することができる。
【０１０３】
このようにして、参考例６にかかる骨盤矯正ガードル６０，６５においては、着用して良い姿勢で真っ直ぐに歩くだけで自然に骨盤が内側へ回転して“ビーナスウォーク”をすることができ、これを何日も続けることによって骨盤の歪みが矯正される。そして、大きな背面空間に面している縁には幅の細い弾性材としての幅の細いオペロンゴム２０が縫付けられているのでサテンネット生地がほつれることがなく、さらに骨盤矯正ガードル６５においては、各左右１対の交差部分６６Ａ，６６Ｂを含む下方後側の裏側に伸縮性生地としてのパワーネット５７Ａ，５７Ｂが縫付けられているため、ヒップアップの効果もより一層強化される。
【０１０４】
なお、参考例６にかかる骨盤矯正ガードル６０，６５においては、ウエスト上端１２αの位置が腰回りの高さのレギュラータイプについて説明したが、ウエスト上端の位置を腰回りより上方にまで長く伸ばしたハイウエストタイプや、ウエスト上端の位置を腰回りより下方に短く設定したローウエストタイプとすることもできる。
【０１０５】
参考例７
次に、本発明の参考例７について、図１４及び図１５を参照して説明する。
【０１０６】
図１４（ａ）は本発明の参考例７にかかる骨盤矯正ガードルの全体構成を示す正面図、（ｂ）は左側面図、（ｃ）は背面図である。図１５（ａ）は本発明の参考例７の変形例にかかる骨盤矯正ガードルの全体構成を示す正面図、（ｂ）は左側面図、（ｃ）は背面図である。
【０１０７】
図１４に示されるように、参考例７にかかる骨盤矯正ガードル７１は、通常のガードル７０に幅の広い弾性材としての幅の広いオペロンゴム７３を取付けたものである。即ち、図１４（ａ）に示されるように、ガードル７０の前面中央やや上方に所定の幅を有し左右方向に貫通した補強部７２を上下で縫付けて、幅の広いオペロンゴム７３を補強部７２の中に通し、図１４（ｂ）に示されるように骨盤の左右に沿って斜めに下降させ、図１４（ｃ）に示されるように幅の広いオペロンゴム７３の左右の先端をガードル７０の左右の臀部下方にそれぞれステッチ７４Ａ，７４Ｂで縫付けている。
【０１０８】
これによって、骨盤が内側に引っ張られるため、骨盤矯正ガードル７１を着用して良い姿勢で真っ直ぐに歩くだけで自然に骨盤が内側へ回転して“ビーナスウォーク”をすることができ、これを何日も続けることによって骨盤の歪みが矯正される。また、通常のガードル７０に幅の広い弾性材としての幅の広いオペロンゴム７３を取付けているために、着脱が容易であるという長所もある。この点については、以下に述べる参考例８乃至参考例１４においても同様である。
【０１０９】
なお、幅の広いオペロンゴム７３をステッチ７４Ａ，７４Ｂで縫付ける位置は、図１４（ｃ）に示される位置に限られず、ガードル７０の左右の太もも部分１６Ａ，１６Ｂの背面側であれば、左右の臀部下方のどの位置でも良い。
【０１１０】
次に、本発明の参考例７の変形例について、図１５を参照して説明する。図１５に示されるように、参考例７の変形例にかかる骨盤矯正ガードル７５は、やはり通常のガードル７０に幅の広い弾性材としての幅の広いオペロンゴム７７を取付けたものであるが、取付け方法が異なる。
【０１１１】
即ち、図１５（ａ）に示されるように、ガードル７０の前面中央上部に１組の調節機能付き接続具の一方としての上下方向に複数の接続位置を有するメンカン７６ｂを縫付けて、幅の広いオペロンゴム７７の中央部分に１組の調節機能付き接続具の他方としてのカギホック７６ａを固定して、カギホック７６ａを上下方向に複数の接続位置を有するメンカン７６ｂに接続する。そして、図１５（ｂ）に示されるように、幅の広いオペロンゴム７７をガードル７０の両側面に設けた補強部７８Ａ，７８Ｂの中を通して、骨盤の左右に沿って斜めに下降させて、図１４（ｃ）に示されるように幅の広いオペロンゴム７７の左右の先端をガードル７０の左右の臀部下方にそれぞれステッチ７９Ａ，７９Ｂで縫付けている。
【０１１２】
これによって、骨盤が内側に引っ張られるため、骨盤矯正ガードル７５を着用して良い姿勢で真っ直ぐに歩くだけで自然に骨盤が内側へ回転して“ビーナスウォーク”をすることができ、これを何日も続けることによって骨盤の歪みが矯正される。さらに、骨盤矯正ガードル７５においては、カギホック７６ａをメンカン７６ｂの上下方向のどの接続位置に接続するかによって引張り力を調節することができ、最適な引張り力で“ビーナスウォーク”をすることができる。なお、幅の広いオペロンゴム７７をステッチ７９Ａ，７９Ｂで縫付ける位置は、図１５（ｃ）に示される位置に限られず、ガードル７０の左右の太もも部分１６Ａ，１６Ｂの背面側であれば、左右の臀部下方のどの位置でも良い。
【０１１３】
このようにして、参考例７にかかる骨盤矯正ガードル７１，７５は、通常のガードル７０に幅の広い弾性材としての幅の広いオペロンゴム７３，７７を取付けたことによって、着用して良い姿勢で真っ直ぐに歩くだけで自然に骨盤が内側へ回転して“ビーナスウォーク”をすることができ、これを何日も続けることによって骨盤の歪みを矯正することができる。また、構造も簡単なので短時間で製造することができ、低コスト化することができる。
【０１１４】
なお、参考例７にかかる骨盤矯正ガードル７１，７５においては、ウエスト上端１２αの位置が腰回りＷの高さのレギュラータイプについて説明したが、ウエスト上端の位置を腰回りＷより上方にまで長く伸ばしたハイウエストタイプや、ウエスト上端の位置を腰回りＷより下方に短く設定したローウエストタイプとすることもできる。
【０１１５】
参考例８
次に、本発明の参考例８について、図１６及び図１７を参照して説明する。
【０１１６】
図１６（ａ）は本発明の参考例８にかかる骨盤矯正ガードルの全体構成を示す正面図、（ｂ）は左側面図、（ｃ）は背面図である。図１７（ａ）は本発明の参考例８の変形例にかかる骨盤矯正ガードルの全体構成を示す正面図、（ｂ）は左側面図、（ｃ）は背面図である。
【０１１７】
図１６に示されるように、参考例８にかかる骨盤矯正ガードル８１は、通常のガードル７０に幅の広い弾性材としての幅の広いオペロンゴム８２を、ガードル７０の前面で交差させて取付けたものである。
【０１１８】
即ち、図１６（ｃ）に示されるようにガードル７０の背面中央上部に１組の調節機能付き接続具の一方としての上下方向に複数の接続位置を有するメンカン７６ｂを縫付けて、幅の広いオペロンゴム８２の中央部分に１組の調節機能付き接続具の他方としてのカギホック７６ａを固定して、カギホック７６ａを上下方向に複数の接続位置を有するメンカン７６ｂに接続する。そして、図１６（ａ），（ｂ）に示されるように、幅の広いオペロンゴム８２をガードル７０の前面で交差させて骨盤の左右に沿って斜めに下降させて、幅の広いオペロンゴム８２の左右の先端をガードル７０の左右の臀部下方にそれぞれステッチ８３Ａ，８３Ｂで縫付けている。
【０１１９】
これによって、交差した幅の広いオペロンゴム８２によって骨盤が内側に引っ張られるため、骨盤矯正ガードル８１を着用して良い姿勢で真っ直ぐに歩くだけで自然に骨盤が内側へ回転して“ビーナスウォーク”をすることができ、これを何日も続けることによって骨盤の歪みが矯正される。さらに、骨盤矯正ガードル８１においては、カギホック７６ａをメンカン７６ｂの上下方向のどの接続位置に接続するかによって引張り力を調節することができ、最適な引張り力で“ビーナスウォーク”をすることができる。なお、幅の広いオペロンゴム８２をステッチ８３Ａ，８３Ｂで縫付ける位置は、図１６（ｃ）に示される位置に限られず、ガードル７０の左右の太もも部分１６Ａ，１６Ｂの背面側であれば、左右の臀部下方のどの位置でも良い。
【０１２０】
次に、本発明の参考例８の変形例について、図１７を参照して説明する。図１７に示されるように、参考例８の変形例にかかる骨盤矯正ガードル８５は、やはり通常のガードル７０に幅の広い弾性材としての幅の広いオペロンゴム７７をガードル７０の前面で交差させて取付けたものであるが、取付け方法が異なる。
【０１２１】
即ち、図１７（ｃ）に示されるように、ガードル７０の背面中央上部に両端にそれぞれ１組の調節機能付き接続具の一方としての左右方向に複数の接続位置を有するメンカン８７Ａ，８７Ｂを縫付けた補強部８６を縫付けて、２本の幅の広い弾性材としての幅の広いオペロンゴム８９Ａ，８９Ｂの先端に１組の調節機能付き接続具の他方としてのカギホック８８Ａ，８８Ｂを固定して、カギホック８８Ａ，８８Ｂを複数の接続位置を有するメンカン８７Ａ，８７Ｂにそれぞれ接続する。
【０１２２】
そして、図１７（ａ），（ｂ）に示されるように、２本の幅の広いオペロンゴム８９Ａ，８９Ｂをガードル７０の前面で交差させて骨盤の左右に沿って斜めに下降させて、２本の幅の広いオペロンゴム８９Ａ，８９Ｂの他端をガードル７０の左右の臀部下方にそれぞれステッチ８９Ｃ，８９Ｄで縫付けている。さらに、骨盤矯正ガードル８５においては、幅の広いオペロンゴム８９Ａ，８９Ｂが交差するガードル７０の前面に、幅の広いオペロンゴム８９Ａ，８９Ｂが貫通する１対の交差する補強部９０Ａ，９０Ｂを縫付けている。
【０１２３】
これによって、交差した幅の広いオペロンゴム８９Ａ，８９Ｂによって骨盤が内側に引っ張られるため、骨盤矯正ガードル８５を着用して良い姿勢で真っ直ぐに歩くだけで自然に骨盤が内側へ回転して“ビーナスウォーク”をすることができ、これを何日も続けることによって骨盤の歪みが矯正される。さらに、骨盤矯正ガードル８１においては、カギホック７６ａをメンカン７６ｂの上下方向のどの接続位置に接続するかによって引張り力を調節することができ、最適な引張り力で“ビーナスウォーク”をすることができる。また、１対の交差する補強部９０Ａ，９０Ｂを設けていることによって、幅の広いオペロンゴム８９Ａ，８９Ｂの位置がずれないため、常に効果的な引張り力を付与することができる。
【０１２４】
なお、幅の広いオペロンゴム８９Ａ，８９Ｂをステッチ８９Ｃ，８９Ｄで縫付ける位置は、図１７（ｃ）に示される位置に限られず、ガードル７０の左右の太もも部分１６Ａ，１６Ｂの背面側であれば、左右の臀部下方のどの位置でも良い。また、左右方向に複数の接続位置を有するメンカン８７Ａ，８７Ｂを縫付けた補強部８６を縫付ける代わりに、ガードル７０の左右側面上部にそれぞれ左右方向に複数の接続位置を有するメンカン８７Ａ，８７Ｂを直接縫付けても良い。
【０１２５】
このようにして、参考例８にかかる骨盤矯正ガードル８１，８５は、通常のガードル７０に幅の広い弾性材としての幅の広いオペロンゴム８２，８９Ａ，８９Ｂを取付けたことによって、着用して良い姿勢で真っ直ぐに歩くだけで自然に骨盤が内側へ回転して“ビーナスウォーク”をすることができ、これを何日も続けることによって骨盤の歪みを矯正することができる。また、構造も簡単なので短時間で製造することができ、低コスト化することができる。
【０１２６】
なお、骨盤矯正ガードル８１に１対の交差する補強部９０Ａ，９０Ｂを設けても良いし、骨盤矯正ガードル８５に１対の交差する補強部９０Ａ，９０Ｂを設けないものとすることもできる。また、参考例８にかかる骨盤矯正ガードル８１，８５においては、ウエスト上端１２αの位置が腰回りＷの高さのレギュラータイプについて説明したが、ウエスト上端の位置を腰回りＷより上方にまで長く伸ばしたハイウエストタイプや、ウエスト上端の位置を腰回りＷより下方に短く設定したローウエストタイプとすることもできる。
【０１２７】
参考例９
次に、本発明の参考例９について、図１８を参照して説明する。図１８（ａ）は本発明の参考例９にかかる骨盤矯正ガードルの全体構成を示す正面図、（ｂ）は左側面図、（ｃ）は背面図である。
【０１２８】
図１８に示されるように、参考例９にかかる骨盤矯正ガードル９１は、通常のガードル７０に幅の広い弾性材としての幅の広いオペロンゴム９４Ａ，９４Ｂ，９５Ａ，９５Ｂの４本を、幅の広いオペロンゴム９５Ａ，９５Ｂはガードル７０の前面で交差させて、幅の広いオペロンゴム９４Ａ，９４Ｂはそれと略平行に取付けたものである。
【０１２９】
即ち、骨盤矯正ガードル９１においては、図１８（ａ）に示されるように、ガードル７０の前面に２本の幅の広い弾性材としての幅の広いオペロンゴム９５Ａ，９５Ｂが交差しつつ貫通する４箇所の開口部を有する補強部９２を縫付け、２本の幅の広いオペロンゴム９５Ａ，９５Ｂの上端には調節機能付き接続具の一方としての複数の接続位置を有するメンカン９２Ａ，９２Ｂを接続方向が直角になるようにそれぞれ固定し、２本の幅の広いオペロンゴム９５Ａ，９５Ｂを補強部９２の内部で交差させて、図１８（ｂ），（ｃ）に示されるように骨盤の左右に沿って斜めに下降させて、２本の幅の広いオペロンゴム９５Ａ，９５Ｂの他端をガードル７０の左右の臀部下方にそれぞれステッチ９７Ａ，９７Ｂで縫付けている。
【０１３０】
さらに、先端に調節機能付き接続具の他方としてのカギホック９３Ａ，９３Ｂをそれぞれ固定した他の２本の幅の広い弾性材としての幅の広いオペロンゴム９４Ａ，９４Ｂを、２本の幅の広いオペロンゴム９５Ａ，９５Ｂ上端に固定された複数の接続位置を有するメンカン９２Ａ，９２Ｂにそれぞれ接続して、骨盤の左右に沿って斜めに下降させて、他の２本の幅の広い幅の広いオペロンゴム９４Ａ，９４Ｂの他端をガードル７０の左右の臀部下方にそれぞれステッチ９６Ａ，９６Ｂで縫付けている。
【０１３１】
なお、４本の幅の広いオペロンゴム９４Ａ，９４Ｂ，９５Ａ，９５Ｂをそれぞれステッチ９６Ａ，９６Ｂ，９７Ａ，９７Ｂで縫付ける位置は、図１８（ｃ）に示される位置に限られず、ガードル７０の左右の太もも部分１６Ａ，１６Ｂの背面側であれば、左右の臀部下方のどの位置でも良い。
【０１３２】
このようにして、参考例９にかかる骨盤矯正ガードル９１は、通常のガードル７０に幅の広い弾性材としての幅の広い４本のオペロンゴム９４Ａ，９４Ｂ，９５Ａ，９５Ｂを取付けたことによって、骨盤を内側へ引っ張る力が強化されて、着用して良い姿勢で真っ直ぐに歩くだけで自然に骨盤が内側へ回転して、より効果的に“ビーナスウォーク”をすることができ、これを何日も続けることによって骨盤の歪みを矯正することができる。
【０１３３】
なお、参考例９にかかる骨盤矯正ガードル９１においては、ウエスト上端１２αの位置が腰回りＷの高さのレギュラータイプについて説明したが、ウエスト上端の位置を腰回りより上方にまで長く伸ばしたハイウエストタイプや、ウエスト上端の位置を腰回りより下方に短く設定したローウエストタイプとすることもできる。
【０１３４】
参考例１０
次に、本発明の参考例１０について、図１９を参照して説明する。図１９（ａ）は本発明の参考例１０にかかる骨盤矯正ガードルの全体構成を示す正面図、（ｂ）は左側面図、（ｃ）は背面図である。
【０１３５】
図１９に示されるように、参考例１０にかかる骨盤矯正ガードル１００は、通常のガードル７０に幅の広い弾性材としての幅の広いオペロンゴム１０２を、ガードル７０の前面で交差させて取付けたものである。
【０１３６】
即ち、図１９（ｃ）に示されるようにガードル７０の背面中央上部に１組の調節機能付き接続具の一方としての上下方向に複数の接続位置を有するメンカン１０５ｂを縫付けて、幅の広いオペロンゴム１０２の中央部分に１組の調節機能付き接続具の他方としてのカギホック１０５ａを固定して、カギホック１０５ａを上下方向に複数の接続位置を有するメンカン１０５ｂに接続する。そして、図１９（ａ），（ｂ）に示されるように、幅の広いオペロンゴム１０２をガードル７０の前面で交差させて骨盤の左右に沿って斜めに下降させて、幅の広いオペロンゴム１０２の左右の先端をガードル７０の左右の臀部下方にそれぞれステッチ１０６Ａ，１０６Ｂで縫付けている。
【０１３７】
さらに、図１９（ａ）に示されるように、ガードル７０の前面に幅の広いオペロンゴム１０２が交差しつつ貫通する４箇所の開口部を有する補強部１０１を縫付け、左右の側面の上方及び下方に幅の広いオペロンゴム１０２が貫通する補強部１０３Ａ，１０３Ｂ，１０４Ａ，１０４Ｂを縫付けている。
【０１３８】
これによって、交差した幅の広いオペロンゴム１０２によって骨盤が内側に引っ張られるため、骨盤矯正ガードル１００を着用して良い姿勢で真っ直ぐに歩くだけで自然に骨盤が内側へ回転して“ビーナスウォーク”をすることができ、これを何日も続けることによって骨盤の歪みが矯正される。さらに、骨盤矯正ガードル１００においては、カギホック１０５ａをメンカン１０５ｂの上下方向のどの接続位置に接続するかによって引張り力を調節することができ、最適な引張り力で“ビーナスウォーク”をすることができる。また、前面の補強部１０１及び側面の補強部１０３Ａ，１０３Ｂ，１０４Ａ，１０４Ｂを設けていることによって、幅の広いオペロンゴム１０２の位置がずれないため、常に効果的な引張り力を付与することができる。
【０１３９】
なお、幅の広いオペロンゴム１０２をステッチ１０６Ａ，１０６Ｂで縫付ける位置は、図１９（ｃ）に示される位置に限られず、ガードル７０の左右の太もも部分１６Ａ，１６Ｂの背面側であれば、左右の臀部下方のどの位置でも良い。また、側面の補強部１０３Ａ，１０３Ｂ，１０４Ａ，１０４Ｂは必ずしも全て設けなくとも良く、上部の補強部１０３Ａ，１０３Ｂのみとしても、下部の補強部１０４Ａ，１０４Ｂのみとしても良く、さらには４箇所とも設けなくても構わない。
【０１４０】
このようにして、参考例１０にかかる骨盤矯正ガードル１００は、通常のガードル７０に幅の広い弾性材としての幅の広いオペロンゴム１０２を前面で交差させて取付けたことによって、着用して良い姿勢で真っ直ぐに歩くだけで自然に骨盤が内側へ回転して“ビーナスウォーク”をすることができ、これを何日も続けることによって骨盤の歪みを矯正することができる。また、カギホック１０５ａをメンカン１０５ｂの上下方向のどの接続位置に接続するかによって引張り力を調節することができるので、より効果的で付け心地も良い。
【０１４１】
なお、参考例１０にかかる骨盤矯正ガードル１００においては、ウエスト上端１２αの位置が腰回りＷの高さのレギュラータイプについて説明したが、ウエスト上端の位置を腰回りＷより上方にまで長く伸ばしたハイウエストタイプや、ウエスト上端の位置を腰回りＷより下方に短く設定したローウエストタイプとすることもできる。
【０１４２】
参考例１１
次に、本発明の参考例１１について、図２０を参照して説明する。図２０（ａ）は本発明の参考例１１にかかる骨盤矯正ガードルの全体構成を示す正面図、（ｂ）は左側面図、（ｃ）は背面図である。
【０１４３】
図２０に示されるように、参考例１１にかかる骨盤矯正ガードル１０７は、通常のガードル７０に幅の広い弾性材としての２本の幅の広いオペロンゴム１０９Ａ，１０９Ｂを、ガードル７０の前面で交差させて取付けたものである。
【０１４４】
即ち、図２０（ｂ）に示されるように、ガードル７０の左右側面上部にそれぞれ１組の調節機能付き接続具の一方としての左右方向に複数の接続位置を有するメンカン１１２Ａ，１１２Ｂを直接縫付け固定して、２本の幅の広い弾性材としての幅の広いオペロンゴム１０９Ａ，１０９Ｂの先端に１組の調節機能付き接続具の他方としてのカギホック１１０Ａ，１１０Ｂを固定して、カギホック１１０Ａ，１１０Ｂをメンカン１１２Ａ，１１２Ｂにそれぞれ接続し、２本の幅の広いオペロンゴム１０９Ａ，１０９Ｂをガードル７０の前面で交差させて骨盤の左右に沿って斜めに下降させて、幅の広いオペロンゴム１０９Ａ，１０９Ｂの他端をガードル７０の左右の臀部下方にそれぞれステッチ１１３Ａ，１１３Ｂでそれぞれ縫付けている。
【０１４５】
さらに、幅の広いオペロンゴム１０９Ａ，１０９Ｂが交差するガードル７０の前面に幅の広いオペロンゴム１０９Ａ，１０９Ｂが貫通する４箇所の開口部を有する補強部１０８を縫付けており、また幅の広いオペロンゴム１０９Ａ，１０９Ｂの上端に固定されたカギホック１１０Ａ，１１０Ｂが補強部１０８の内部に入ってしまわないように、カギホック１１０Ａ，１１０Ｂとメンカン１１２Ａ，１１２Ｂとをそれぞれ紐１１１Ａ，１１１Ｂでつないでいる。
【０１４６】
これによって、交差した幅の広いオペロンゴム１０９Ａ，１０９Ｂによって骨盤が内側に引っ張られるため、骨盤矯正ガードル１０７を着用して良い姿勢で真っ直ぐに歩くだけで自然に骨盤が内側へ回転して“ビーナスウォーク”をすることができ、これを何日も続けることによって骨盤の歪みが矯正される。さらに、骨盤矯正ガードル１０７においては、カギホック１１０Ａ，１１０Ｂをメンカン１１２Ａ，１１２Ｂの左右方向のどの接続位置に接続するかによって引張り力を調節することができ、最適な引張り力で“ビーナスウォーク”をすることができる。また、前面の補強部１０８を設けていることによって、幅の広いオペロンゴム１０９Ａ，１０９Ｂの位置がずれないため、常に効果的な引張り力を付与することができる。
【０１４７】
なお、幅の広いオペロンゴム１０９Ａ，１０９Ｂをステッチ１１３Ａ，１１３Ｂで縫付ける位置は、図２０（ｃ）に示される位置に限られず、ガードル７０の左右の太もも部分１６Ａ，１６Ｂの背面側であれば、左右の臀部下方のどの位置でも良い。
【０１４８】
このようにして、参考例１１にかかる骨盤矯正ガードル１０７は、通常のガードル７０に幅の広い弾性材としての幅の広いオペロンゴム１０９Ａ，１０９Ｂを前面で交差させて取付けたことによって、着用して良い姿勢で真っ直ぐに歩くだけで自然に骨盤が内側へ回転して“ビーナスウォーク”をすることができ、これを何日も続けることによって骨盤の歪みを矯正することができる。また、カギホック１１０Ａ，１１０Ｂをメンカン１１２Ａ，１１２Ｂの左右方向のどの接続位置に接続するかによって引張り力を調節することができるので、より効果的で付け心地も良い。
【０１４９】
なお、参考例１１にかかる骨盤矯正ガードル１０７においては、ウエスト上端１２αの位置が腰回りＷの高さのレギュラータイプについて説明したが、ウエスト上端の位置を腰回りＷより上方にまで長く伸ばしたハイウエストタイプや、ウエスト上端の位置を腰回りＷより下方に短く設定したローウエストタイプとすることもできる。
【０１５０】
参考例１２
次に、本発明の参考例１２について、図２１乃至図２４を参照して説明する。
【０１５１】
図２１（ａ）は本発明の参考例１２にかかる骨盤矯正ガードルの全体構成を示す正面図、（ｂ）は背面図である。図２２（ａ）は本発明の参考例１２の第１変形例にかかる骨盤矯正ガードルの全体構成を示す正面図、（ｂ）は背面図である。図２３（ａ）は本発明の参考例１２の第２変形例にかかる骨盤矯正ガードルの全体構成を示す正面図、（ｂ）は背面図である。図２４（ａ）は本発明の参考例１２の第３変形例にかかる骨盤矯正ガードルの全体構成を示す正面図、（ｂ）は背面図である。
【０１５２】
図２１に示されるように、参考例１２にかかる骨盤矯正ガードル１１５は、通常のガードル７０の前面上端にＶ字形の切り込みを入れて、幅の広い弾性材としての幅の広いオペロンゴム１１６を、ガードル７０の前面で交差させて取付けたものである。
【０１５３】
即ち、ガードル７０の前面上端をＶ字形にカットして、幅の広いオペロンゴム１１６をガードル７０の背面上端表側にステッチ１１７で縫付けてさらにガードル７０の前面上端表側のＶ字形に沿わせて交差させ、ガードル７０の背面表側の左右の足の付け根部分に股の中央に届くまでステッチ１１７で縫い付けて、交差部分の周辺のみは縫付けていない。
【０１５４】
これによって、交差した幅の広いオペロンゴム１１６の縫付けられていない交差部分によって骨盤が内側に引っ張られるため、骨盤矯正ガードル１１５を着用して良い姿勢で真っ直ぐに歩くだけで自然に骨盤が内側へ回転して“ビーナスウォーク”をすることができ、これを何日も続けることによって骨盤の歪みが矯正される。さらに、骨盤矯正ガードル１１５においては、幅の広いオペロンゴム１１６の交差部分周辺以外の部分を全てステッチ１１７でガードル７０に縫い付けているため、幅の広いオペロンゴム１１６の位置がずれることがなく、常に効果的な引張り力を付与することができる。
【０１５５】
また、ガードル７０の前面上端にＶ字形の切り込みを入れているため、小さ目の骨盤矯正ガードル１１５でも容易に着用することができ、着脱が容易である。
【０１５６】
また、図２２に示される参考例１２の第１変形例にかかる骨盤矯正ガードル１１８は、ガードル７０の前面上端をＶ字形にカットして、幅の広いオペロンゴム１１９をガードル７０の背面上端表側にステッチ１２０で縫付けてさらにガードル７０の前面上端表側のＶ字形に沿わせて交差させ、ガードル７０の背面表側の左右の足の付け根部分に途中までステッチ１２０で縫い付けて、交差部分の周辺のみは縫付けていない。即ち、上記骨盤矯正ガードル１１５との相違点は、幅の広いオペロンゴム１１９をガードル７０の背面表側の左右の臀部下方の途中まで縫付けている点のみで、他の部分は全く同様である。したがって、上記骨盤矯正ガードル１１５と同様の作用効果が得られる。
【０１５７】
即ち、交差した幅の広いオペロンゴム１１９の縫付けられていない交差部分によって骨盤が内側に引っ張られるため、骨盤矯正ガードル１１８を着用して良い姿勢で真っ直ぐに歩くだけで自然に骨盤が内側へ回転して“ビーナスウォーク”をすることができ、これを何日も続けることによって骨盤の歪みが矯正される。さらに、骨盤矯正ガードル１１８においても、幅の広いオペロンゴム１１９の交差部分周辺以外の部分を全てステッチ１２０でガードル７０に縫い付けているため、幅の広いオペロンゴム１１９の位置がずれることがなく、常に効果的な引張り力を付与することができる。
【０１５８】
また、ガードル７０の前面上端にＶ字形の切り込みを入れているため、小さ目の骨盤矯正ガードル１１８でも容易に着用することができ、着脱が容易である。
【０１５９】
次に、図２３を参照して、参考例１２の第２変形例にかかる骨盤矯正ガードル１２１について説明する。図２３に示されるように、参考例１２の第２変形例にかかる骨盤矯正ガードル１２１は、通常のガードル７０の背面上端にＶ字形の切り込みを入れて、幅の広い弾性材としての幅の広いオペロンゴム１２２を、ガードル７０の背面で交差させて取付けたものである。
【０１６０】
即ち、ガードル７０の背面上端をＶ字形にカットして、幅の広いオペロンゴム１２２をガードル７０の前面上端表側にステッチ１２３で縫付けてさらにガードル７０の背面上端表側のＶ字形に沿わせて背面表側で交差させ、ガードル７０の前面表側の左右の足付け根部分に股の中央に届くまでステッチ１２３で縫い付けて、交差部分の周辺のみは縫付けていない。
【０１６１】
これによって、背面で交差した幅の広いオペロンゴム１２２の縫付けられていない交差部分によって骨盤が引っ張られるため、骨盤矯正ガードル１２１を着用して良い姿勢で真っ直ぐに歩くだけで自然に骨盤が内側へ回転して“ビーナスウォーク”をすることができ、これを何日も続けることによって骨盤の歪みが矯正されるとともに、幅の広いオペロンゴム１２２によってヒップ部分が引き上げられるため、ヒップアップの効果も得ることができる。さらに、骨盤矯正ガードル１２１においては、幅の広いオペロンゴム１２２の交差部分周辺以外の部分を全てステッチ１２３でガードル７０に縫い付けているため、幅の広いオペロンゴム１２２の位置がずれることがなく、常に効果的な引張り力を付与することができる。
【０１６２】
また、ガードル７０の背面上端にＶ字形の切り込みを入れているため、小さ目の骨盤矯正ガードル１２１でも容易に着用することができ、着脱が容易である。
【０１６３】
また、図２４に示される参考例１２の第３変形例にかかる骨盤矯正ガードル１２４は、ガードル７０の背面上端をＶ字形にカットして、幅の広いオペロンゴム１２５をガードル７０の前面上端表側にステッチ１２６で縫付けてさらにガードル７０の背面上端表側のＶ字形に沿わせて背面表側で交差させ、ガードル７０の前面表側の左右の足付け根部分に途中までステッチ１２６で縫い付けて、交差部分の周辺のみは縫付けていない。即ち、上記第２変形例にかかる骨盤矯正ガードル１２１との相違点は、幅の広いオペロンゴム１２５をガードル７０の背面表側の左右の臀部下方の途中まで縫付けている点のみで、他の部分は全く同様である。したがって、上記骨盤矯正ガードル１２１と同様の作用効果が得られる。
【０１６４】
即ち、背面で交差した幅の広いオペロンゴム１２５の縫付けられていない交差部分によって骨盤が引っ張られるため、骨盤矯正ガードル１２４を着用して良い姿勢で真っ直ぐに歩くだけで自然に骨盤が内側へ回転して“ビーナスウォーク”をすることができ、これを何日も続けることによって骨盤の歪みが矯正されるとともに、幅の広いオペロンゴム１２５によってヒップ部分が引き上げられるため、ヒップアップの効果も得ることができる。
【０１６５】
さらに、骨盤矯正ガードル１２４においては、幅の広いオペロンゴム１２５の交差部分周辺以外の部分を全てステッチ１２６でガードル７０に縫い付けているため、幅の広いオペロンゴム１２５の位置がずれることがなく、常に効果的な引張り力を付与することができる。また、ガードル７０の背面上端にＶ字形の切り込みを入れているため、小さ目の骨盤矯正ガードル１２４でも容易に着用することができ、着脱が容易である。
【０１６６】
このようにして、参考例１２にかかる骨盤矯正ガードル１１５，１１８，１２１，１２４においては、通常のガードル７０の前面上端または背面上端にＶ字形の切り込みを入れて、幅の広い弾性材としての幅の広いオペロンゴムを、ガードル７０の前面または背面で交差させて取付けたものであるため、交差した幅の広いオペロンゴムの縫付けられていない交差部分によって骨盤が引っ張られ、骨盤矯正ガードル１１５，１１８，１２１，１２４を着用して良い姿勢で真っ直ぐに歩くだけで自然に骨盤が内側へ回転して“ビーナスウォーク”をすることができ、これを何日も続けることによって骨盤の歪みが矯正される。また、ガードル７０の前面または背面上端にＶ字形の切り込みを入れているため、小さ目の骨盤矯正ガードルでも容易に着用することができる。
【０１６７】
なお、参考例１２にかかる骨盤矯正ガードル１１５，１１８，１２１，１２４においては、ウエスト上端１２αの位置が腰回りの高さのレギュラータイプについて説明したが、ウエスト上端の位置を腰回りより上方にまで長く伸ばしたハイウエストタイプや、ウエスト上端の位置を腰回りより下方に短く設定したローウエストタイプとすることもできる。
【０１６８】
参考例１３
次に、本発明の参考例１３について、図２５乃至図２７を参照して説明する。
【０１６９】
図２５（ａ）は本発明の参考例１３にかかる骨盤矯正ガードルの全体構成を示す正面図、（ｂ）は背面図である。図２６（ａ）は本発明の参考例１３の第１変形例にかかる骨盤矯正ガードルの全体構成を示す正面図、（ｂ）は背面図である。図２７（ａ）は本発明の参考例１３の第２変形例にかかる骨盤矯正ガードルの全体構成を示す正面図、（ｂ）は背面図である。
【０１７０】
図２５に示されるように、参考例１３にかかる骨盤矯正ガードル１２７は、通常のガードル７０の前面上端にＶ字形の切り込みを入れて、幅の広い弾性材としての幅の広いオペロンゴム１２８を、ガードル７０の裏側に前面で交差させて取付けたものである。
【０１７１】
即ち、ガードル７０の前面上端をＶ字形にカットして、幅の広いオペロンゴム１２８をガードル７０の背面上端裏側にステッチ１２９で縫付けてさらにガードル７０の前面上端裏側のＶ字形に沿わせて交差させ、ガードル７０の背面裏側の左右の足の付け根部分に股の中央に届く手前までステッチ１２９で縫い付けて、前面途中で１箇所１３０で縫付け、裏側交差部分の周辺のみは縫付けていない。
【０１７２】
これによって、交差した幅の広いオペロンゴム１２８の縫付けられていない交差部分によって骨盤が内側に引っ張られるため、骨盤矯正ガードル１２７を着用して良い姿勢で真っ直ぐに歩くだけで自然に骨盤が内側へ回転して“ビーナスウォーク”をすることができ、これを何日も続けることによって骨盤の歪みが矯正される。また、骨盤矯正ガードル１２７においては、幅の広いオペロンゴム１２８の交差部分周辺以外の部分を全てステッチ１２９でガードル７０の裏側に縫い付けているため、幅の広いオペロンゴム１２８の位置がずれることがなく、常に効果的な引張り力を付与することができる。
【０１７３】
さらに、幅の広いオペロンゴム１２８をガードル７０の裏側に縫付けているため、着用したときに幅の広いオペロンゴム１２８が見えず、通常のガードルに見えて目立たないだけでなく、骨盤矯正ガードル１２７の上に薄い生地のズボンやスカート等のボトムスを着用した場合でも、幅の広いオペロンゴム１２８の当りが出ることがなく、見栄えが良い。また、ガードル７０の前面上端にＶ字形の切り込みを入れているため、小さ目の骨盤矯正ガードル１２７でも容易に着用することができる。
【０１７４】
なお、参考例１３においては、ガードル７０の前面上端にＶ字形の切り込みを入れた場合についてのみ説明したが、上記参考例１２の第２変形例・第３変形例にかかる骨盤矯正ガードル１２１，１２４のように、ガードル７０の背面上端にＶ字形の切り込みを入れて、ガードル７０の裏側に幅の広い弾性材を縫付けることもできる。
【０１７５】
次に、図２６を参照して、参考例１３の第１変形例にかかる骨盤矯正ガードル１３１について説明する。図２６に示されるように、第１変形例にかかる骨盤矯正ガードル１３１においては、ガードル７０の上端に切り込みを入れず、上端１２αの全周に幅の細い弾性材としての幅の細いオペロンゴム１３２を縫付けている。そして、幅の広い弾性材としての幅の広いオペロンゴム１３３を、ガードル７０の背面上端裏側にステッチ１３５で縫付けてさらにガードル７０の前面裏側で交差させ、ガードル７０の背面裏側の左右の臀部下方に股の中央に届く手前までステッチ１３５で縫い付けて、前面途中で１箇所１３４で縫付け、裏側交差部分の周辺のみは縫付けていない。
【０１７６】
これによって、交差した幅の広いオペロンゴム１３３の縫付けられていない交差部分によって骨盤が内側に引っ張られるため、骨盤矯正ガードル１３１を着用して良い姿勢で真っ直ぐに歩くだけで自然に骨盤が内側へ回転して“ビーナスウォーク”をすることができ、これを何日も続けることによって骨盤の歪みが矯正される。また、骨盤矯正ガードル１３１においては、幅の広いオペロンゴム１３３の交差部分周辺以外の部分を全てステッチ１３５でガードル７０の裏側に縫い付けているため、幅の広いオペロンゴム１３３の位置がずれることがなく、常に効果的な引張り力を付与することができる。
【０１７７】
さらに、幅の広いオペロンゴム１３３をガードル７０の裏側に縫付けているため、着用したときに幅の広いオペロンゴム１３３が見えず、通常のガードルに見えて目立たないだけでなく、骨盤矯正ガードル１３１の上に薄い生地のズボンやスカート等のボトムスを着用した場合でも、幅の広いオペロンゴム１３３の当りが出ることがなく、見栄えが良い。また、ガードル７０の上端１２αの全周に幅の細いオペロンゴム１３２を縫付けているため、着用したとき腰回りがフィットして心地良い着用感が得られる。
【０１７８】
次に、図２７を参照して、参考例１３の第２変形例にかかる骨盤矯正ガードル１３６について説明する。図２７に示されるように、第２変形例にかかる骨盤矯正ガードル１３６においてもガードル７０の上端に切り込みを入れず、幅の広い弾性材としての幅の広いオペロンゴム１３７を、ガードル７０の前面上端裏側にステッチ１３８で縫付けてさらにガードル７０の背面裏側で交差させ、ガードル７０の前面裏側の左右の足付け根部分に股の中央に届く手前までステッチ１３８で縫い付けて、背面途中で１箇所１３９で縫付け、背面裏側交差部分の周辺のみは縫付けていない。
【０１７９】
これによって、背面で交差した幅の広いオペロンゴム１３７の縫付けられていない交差部分によって骨盤が引っ張られるため、骨盤矯正ガードル１３６を着用して良い姿勢で真っ直ぐに歩くだけで自然に骨盤が内側へ回転して“ビーナスウォーク”をすることができ、これを何日も続けることによって骨盤の歪みが矯正される。のみならず、背面で交差した幅の広いオペロンゴム１３７によってヒップ部分が持ち上げられるため、ヒップアップの効果も得ることができる。
【０１８０】
また、骨盤矯正ガードル１３６においては、幅の広いオペロンゴム１３７の交差部分周辺以外の部分を全てステッチ１３８でガードル７０の裏側に縫い付けているため、幅の広いオペロンゴム１３７の位置がずれることがなく、常に効果的な引張り力を付与することができる。さらに、幅の広いオペロンゴム１３７をガードル７０の裏側に縫付けているため、着用したときに幅の広いオペロンゴム１３７が見えず、通常のガードルに見えて目立たないだけでなく、骨盤矯正ガードル１３６の上に薄い生地のズボンやスカート等のボトムスを着用した場合でも、幅の広いオペロンゴム１３７の当りが出ることがなく、見栄えが良い。
【０１８１】
このようにして、参考例１３にかかる骨盤矯正ガードル１２８１３１，１３６においては、通常のガードル７０の前面上端または背面上端にＶ字形の切り込みを入れて、または切り込みを入れないで、幅の広い弾性材としての幅の広いオペロンゴムを、ガードル７０の裏側にガードル７０の前面または背面で交差させて取付けたものであるため、交差した幅の広いオペロンゴムの縫付けられていない交差部分によって骨盤が引っ張られ、骨盤矯正ガードル１２８１３１，１３６を着用して良い姿勢で真っ直ぐに歩くだけで自然に骨盤が内側へ回転して“ビーナスウォーク”をすることができ、これを何日も続けることによって骨盤の歪みが矯正される。
【０１８２】
また、幅の広いオペロンゴムをガードル７０の裏側に縫付けているため、着用したときに幅の広いオペロンゴムが見えず、通常のガードルに見えて目立たないだけでなく、骨盤矯正ガードル１２８１３１，１３６の上に薄い生地のズボンやスカート等のボトムスを着用した場合でも、幅の広いオペロンゴムの当りが出ることがなく、見栄えが良い。
【０１８３】
なお、参考例１３にかかる骨盤矯正ガードル１２８１３１，１３６においては、ウエスト上端１２αの位置が腰回りの高さのレギュラータイプについて説明したが、ウエスト上端の位置を腰回りより上方にまで長く伸ばしたハイウエストタイプや、ウエスト上端の位置を腰回りより下方に短く設定したローウエストタイプとすることもできる。
【０１８４】
参考例１４
次に、本発明の参考例１４について、図２８及び図２９を参照して説明する。
【０１８５】
図２８（ａ）は本発明の参考例１４にかかる骨盤矯正ガードルの全体構成を示す正面図、（ｂ）は背面図である。図２９（ａ）は本発明の参考例１４の変形例にかかる骨盤矯正ガードルの全体構成を示す正面図、（ｂ）は背面図である。
【０１８６】
図２８に示されるように、参考例１４にかかる骨盤矯正ガードル１４０は、上端１２βの位置が腰回りより上方にまで長く伸びたハイウエストタイプのガードル７０βにおいて、前中心に伸縮性生地としてのパワーネット１４３を縫付けてこの部分を二重とし、上端１２βの全周に幅の細い弾性材としての幅の細いオペロンゴム１４４を縫付けている。そして、背面上端から約５ｃｍ下がった位置に幅の広い弾性材としての幅の広いオペロンゴム１４１をステッチ１４２で縫付けて、さらにガードル７０βの前面で交差させ、ガードル７０βの背面の左右の臀部下方に股の中央に届く手前までステッチ１４２で縫い付けて、交差部分の周辺のみは縫付けていない。
【０１８７】
これによって、交差した幅の広いオペロンゴム１４１の縫付けられていない交差部分によって骨盤が内側に引っ張られるため、骨盤矯正ガードル１４０を着用して良い姿勢で真っ直ぐに歩くだけで自然に骨盤が内側へ回転して“ビーナスウォーク”をすることができ、これを何日も続けることによって骨盤の歪みが矯正される。また、骨盤矯正ガードル１４０においては、幅の広いオペロンゴム１４１の交差部分周辺以外の部分を全てステッチ１４２でガードル７０βに縫い付けているため、幅の広いオペロンゴム１４１の位置がずれることがなく、常に効果的な引張り力を付与することができる。
【０１８８】
さらに、ガードル７０βの前中心にパワーネット１４３を縫付けているため、着用したときの下腹部の引き締め効果が向上して、シェイプアップの効果も倍増する。また、ガードル７０βの上端１２βの全周に幅の細いオペロンゴム１４４を縫付けているため、着用したとき腰回りがフィットして心地良い着用感が得られる。
【０１８９】
また、図２９に示されるように、参考例１４の変形例にかかる骨盤矯正ガードル１４５においても、上端１２βの位置が腰回りより上方にまで長く伸びたハイウエストタイプのガードル７０βにおいて、前中心に伸縮性生地としてのパワーネット１４３を縫付けてこの部分を二重とし、上端１２βの全周に幅の細い弾性材としての幅の細いオペロンゴム１４４を縫付けている。そして、前面上端から約５ｃｍ下がった位置に幅の広い弾性材としての幅の広いオペロンゴム１４６をステッチ１４７で縫付けて、さらにガードル７０βの背面で交差させ、ガードル７０βの前面の左右の足付け根部分に股の中央に届く手前までステッチ１４７で縫い付けて、背面交差部分の周辺のみは縫付けていない。
【０１９０】
これによって、交差した幅の広いオペロンゴム１４６の縫付けられていない交差部分によって骨盤が引っ張られるため、骨盤矯正ガードル１４５を着用して良い姿勢で真っ直ぐに歩くだけで自然に骨盤が内側へ回転して“ビーナスウォーク”をすることができ、これを何日も続けることによって骨盤の歪みが矯正される。のみならず、背面で交差した幅の広いオペロンゴム１４６によってヒップ部分が持ち上げられるため、ヒップアップの効果も得ることができる。
【０１９１】
また、骨盤矯正ガードル１４５においては、幅の広いオペロンゴム１４６の交差部分周辺以外の部分を全てステッチ１４７でガードル７０βに縫い付けているため、幅の広いオペロンゴム１４６の位置がずれることがなく、常に効果的な引張り力を付与することができる。さらに、ガードル７０βの前中心にパワーネット１４３を縫付けているため、着用したときの下腹部の引き締め効果が向上して、シェイプアップの効果も倍増する。また、ガードル７０βの上端１２βの全周に幅の細いオペロンゴム１４４を縫付けているため、着用したとき腰回りがフィットして心地良い着用感が得られる。
【０１９２】
参考例１４にかかる骨盤矯正ガードル１４０，１４５においては、幅の広いオペロンゴム１４１，１４６をガードル７０βの表側に縫付けた場合について説明したが、幅の広いオペロンゴム１４１，１４６をガードル７０βの裏側に縫付けることもできる。また、骨盤矯正ガードル１４０，１４５においては、ガードル７０βの前中心に伸縮性生地としてのパワーネット１４３を縫付けた場合について説明したが、もっと広い範囲に伸縮性生地を縫付けても良い。また、ガードル７０βの表側でなく、裏側に縫付けることもできる。
【０１９３】
なお、参考例１４にかかる骨盤矯正ガードル１４０，１４５においては、ウエスト上端１２βの位置が腰回りより上方にまで長く伸びたハイウエストタイプについて説明したが、ウエスト上端の位置を腰回りの高さとしたレギュラータイプや、ウエスト上端の位置を腰回りより下方に短く設定したローウエストタイプとすることもできる。
【０１９４】
参考例１５
次に、本発明の参考例１５について、図３０及び図３１を参照して説明する。図３０（ａ）は本発明の参考例１５にかかる骨盤矯正ガードルの全体構成を示す正面図、（ｂ）は背面斜視図、（ｃ）は背面図である。図３１（ａ）は本発明の参考例１５の変形例にかかる骨盤矯正ガードルの全体構成を示す正面図、（ｂ）は背面斜視図、（ｃ）は背面図である。
【０１９５】
参考例１５から以下に述べる参考例２２まで及び実施の形態１乃至実施の形態３の骨盤矯正ガードルは、ガードルの背面部分の股下から上がった部分に幅がガードルの背面部分の幅一杯またはガードルの前面部分の両脇まで届く開口部を設けて、ガードルの背面部分の股下の上部の左側から右側へ及び右側から左側へ交差して上方へ伸びてガードルの前面左右部分にその先端部分が縫付けられた１対の伸縮性及び弾力性を有する生地からなる背面交差部分を設けた骨盤矯正ガードルである。
【０１９６】
したがって、背面で交差した１対の伸縮性及び弾力性を有する生地からなる背面交差部分によって骨盤が引っ張られ、ヒップが引き締められて正しい姿勢を保つことができ、骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができるものである。
【０１９７】
図３０（ａ），（ｂ），（ｃ）に示されるように、参考例１５にかかる骨盤矯正ガードル１６１は、ガードル本体１６２の後中心１６１ｂを中心にして、ガードル本体１６２の股下１６１ｃから約８ｃｍ上がった位置に下縁を有する略長円形（本明細書においては、「長円形」とは、本来の意味の楕円形と同じ形状とは異なり、１対の半円を２本の直線でつないだ陸上競技場のトラックの如き形状を意味するものとする。）状の高さ約８ｃｍの開口部１６４が設けられており、図３０（ａ）に示されるように、開口部１６４の両端はガードル本体１６２の前面部分の両脇まで達している。
【０１９８】
図３０（ｃ）に示されるように、この開口部１６４の下縁の左側から右側上方へ１対の背面交差部分の一方１６３Ａが伸びており、開口部１６４の下縁の右側から左側上方へ１対の背面交差部分の他方１６３Ｂが伸びていて、それぞれの先端は開口部１６４の下へ潜り込んで、図３０（ａ）に示されるように、ガードル本体１６２の前面部分にロック縫い１６３ｃ，１６３ｄで留められている。そして、開口部１６４は裏側から伸縮性及び弾力性を有する生地であるパワーネット１６５が縫い付けられることによって塞がれている。
【０１９９】
これによって、骨盤矯正ガードル１６１の着用時に１対の背面交差部分１６３Ａ，１６３Ｂの開口部１６４の下へ潜り込んだ部分が直接当たることが防止され、穿き心地が向上するとともに、ヒップの弛んだ部分が開口部１６４から突出することが防止され、また骨盤矯正ガードル１６１が型崩れし難くなるという作用効果が得られる。
【０２００】
ここで、１対の背面交差部分１６３Ａ，１６３Ｂは、表側がサテンネット生地で裏側がパワーネット生地という二重構造になっており、表側のサテンネット生地の部分はガードル本体１６２と一体となっている。即ち、参考例１５にかかる骨盤矯正ガードル１６１のガードル本体１６２は、単に伸縮性を有する生地ではなく、伸縮性及び弾力性を有する生地であるサテンネットからなるものである。したがって、骨盤矯正ガードル１６１によるヒップの締め付け効果及び骨盤の矯正効果がより向上するという作用効果が得られる。
【０２０１】
一方、裏側のパワーネット生地の部分は、表側のサテンネット生地の部分に中縫いで縁だけが縫付けられて一体となっており、さらに一体となった１対の背面交差部分１６３Ａ，１６３Ｂの縁にはコバステッチ１６３ａ，１６３ｂが施されているが、これは装飾効果を高めるため及びより１対の背面交差部分１６３Ａ，１６３Ｂを強化するためのものであって、コバステッチ１６３ａ，１６３ｂによってのみ表側のサテンネット生地の部分と裏側のパワーネット生地の部分が縫付けられている訳ではない。
【０２０２】
また、図３０（ｃ）に示されるように、１対の背面交差部分１６３Ａ，１６３Ｂの交差位置において、１対の背面交差部分の一方１６３Ａの裏側に紐部材２５０の両端が縫付けられており、１対の背面交差部分の他方１６３Ｂが紐部材２５０の中を潜る構造となっている。これによって、１対の背面交差部分１６３Ａ，１６３Ｂが互いの伸縮を妨げることなく、互いに離れてしまうことを防止することができ、１対の背面交差部分１６３Ａ，１６３Ｂによるヒップの引き締め効果を確実に得ることができる。
【０２０３】
そして、ガードル本体１６２は、前中心１６１ａ及び後中心１６１ｂの二箇所で縫い付けられることによって構成されている。これによって、参考例１５にかかる骨盤矯正ガードル１６１の部品となる生地のカット及び縫製が容易になり、大量生産に向いた製品となるという作用効果が得られる。
【０２０４】
かかる構成を有する参考例１５の骨盤矯正ガードル１６１を着用することによって、背面で交差した１対の二重の伸縮性及び弾力性を有する生地からなる背面交差部分１６３Ａ，１６３Ｂによって骨盤が引っ張られ、ヒップが引き締められて正しい姿勢を保つことができる。したがって、骨盤矯正ガードル１６１を着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【０２０５】
このようにして、参考例１５にかかる骨盤矯正ガードル１６１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０２０６】
次に、参考例１５の変形例にかかる骨盤矯正ガードル１６６について、図３１を参照して説明する。この骨盤矯正ガードル１６６は、全体的な構成については上記骨盤矯正ガードル１６１と同様であり、ガードル本体１６２の後中心１６６ｂを中心にして、ガードル本体１６２の股下１６６ｃから約８ｃｍ上がった位置に下縁を有する略長円形状の高さ約８ｃｍの開口部１６４が設けられており、図３１（ａ）に示されるように、開口部１６４の両端はガードル本体１６２の前面部分の両脇まで達している。
【０２０７】
図３１（ｃ）に示されるように、この開口部１６４の下縁の左側から右側上方へ１対の背面交差部分の一方１６８Ａが伸びており、開口部１６４の下縁の右側から左側上方へ１対の背面交差部分の他方１６８Ｂが伸びていて、それぞれの先端は開口部１６４の下へ潜り込んで、図３１（ａ）に示されるように、ガードル本体１６２の前面部分にロック縫い１６８ｃ，１６８ｄで留められている。そして、開口部１６４は裏側から伸縮性及び弾力性を有する生地であるパワーネット１７０が縫い付けられることによって塞がれている。
【０２０８】
ここで、１対の背面交差部分１６８Ａ，１６８Ｂは、表側がサテンネット生地で裏側がパワーネット生地という二重構造になっており、表側のサテンネット生地の部分はガードル本体１６２と一体となっている。即ち、参考例１５の変形例にかかる骨盤矯正ガードル１６６のガードル本体１６２は、単に伸縮性を有する生地ではなく、伸縮性及び弾力性を有する生地であるサテンネットからなるものである。したがって、骨盤矯正ガードル１６２によるヒップの締め付け効果及び骨盤の矯正効果がより向上するという作用効果が得られる。
【０２０９】
一方、裏側のパワーネット生地の部分は、表側のサテンネット生地の部分に中縫いで縁だけが縫付けられて一体となっており、さらに一体となった１対の背面交差部分１６８Ａ，１６８Ｂの縁にはコバステッチ１６８ａ，１６８ｂが施されているが、これは装飾効果を高めるため及びより１対の背面交差部分１６８Ａ，１６８Ｂを強化するためのものであって、コバステッチ１６８ａ，１６８ｂによってのみ表側のサテンネット生地の部分と裏側のパワーネット生地の部分が縫付けられている訳ではない。
【０２１０】
また、図３１（ｃ）に示されるように、１対の背面交差部分１６８Ａ，１６８Ｂの交差位置において、１対の背面交差部分の一方１６８Ａの裏側に紐部材２５０の両端が縫付けられており、１対の背面交差部分の他方１６８Ｂが紐部材２５０の中を潜る構造となっている。これによって、１対の背面交差部分１６８Ａ，１６８Ｂが互いの伸縮を妨げることなく、互いに離れてしまうことを防止することができ、１対の背面交差部分１６８Ａ，１６８Ｂによるヒップの引き締め効果を確実に得ることができる。
【０２１１】
このように、参考例１５の変形例にかかる骨盤矯正ガードル１６６の全体構成は、上記骨盤矯正ガードル１６１と同様であり、したがって骨盤矯正ガードル１６６を着用することによって、上記骨盤矯正ガードル１６１と同様の骨盤矯正効果を始めとする作用効果が得られる。異なる点は、図３１（ａ），（ｂ），（ｃ）に示されるように、開口部１６４の縁に沿ってパイピング１６７が取付けられてパイピング処理が施されている点のみであり、これによって装飾的効果が増し、製品としての見栄えが向上して消費者の購買意欲を増大させるという作用効果が得られる。
【０２１２】
参考例１６
次に、本発明の参考例１６について、図３２及び図３３を参照して説明する。図３２（ａ）は本発明の参考例１６にかかる骨盤矯正ガードルの全体構成を示す正面図、（ｂ）は背面斜視図、（ｃ）は背面図である。図３３（ａ）は本発明の参考例１６の変形例であり、実施の形態１にかかる骨盤矯正ガードルの全体構成を示す正面図、（ｂ）は背面斜視図、（ｃ）は背面図である。
【０２１３】
図３２（ａ），（ｂ），（ｃ）に示されるように、参考例１６にかかる骨盤矯正ガードル１７１は、ガードル本体１６２の後中心１７１ｂを中心にして、ガードル本体１６２の股下１７１ｃから約８ｃｍ上がった位置に下縁を有する略長円形状の高さ約８ｃｍの開口部１６４が設けられており、図３２（ａ）に示されるように、開口部１６４の両端はガードル本体１６２の前面部分の両脇まで達している。
【０２１４】
図３２（ｃ）に示されるように、この開口部１６４の下縁の左側から右側上方へ１対の背面交差部分の一方１７３Ａが伸びており、開口部１６４の下縁の右側から左側上方へ１対の背面交差部分の他方１７３Ｂが伸びていて、それぞれの先端は開口部１６４の下へ潜り込んで、図３２（ａ）に示されるように、ガードル本体１６２の前面部分にロック縫い１７３ｃ，１７３ｄで留められている。そして、開口部１６４は裏側から伸縮性及び弾力性を有する生地であるパワーネット１６５が縫い付けられることによって塞がれている。
【０２１５】
これによって、骨盤矯正ガードル１７１の着用時に１対の背面交差部分１７３Ａ，１７３Ｂの開口部１６４の下へ潜り込んだ部分が直接当たることが防止され、穿き心地が向上するとともに、ヒップの弛んだ部分が開口部１６４から突出することが防止され、また骨盤矯正ガードル１７１が型崩れし難くなるという作用効果が得られる。
【０２１６】
ここで、１対の背面交差部分１７３Ａ，１７３Ｂは、表側がサテンネット生地で裏側がパワーネット生地という二重構造になっており、表側のサテンネット生地の部分はガードル本体１６２と一体となっている。即ち、参考例１６にかかる骨盤矯正ガードル１７１のガードル本体１６２は、単に伸縮性を有する生地ではなく、伸縮性及び弾力性を有する生地であるサテンネットからなるものである。したがって、骨盤矯正ガードル１６２によるヒップの締め付け効果及び骨盤の矯正効果がより向上するという作用効果が得られる。
【０２１７】
一方、裏側のパワーネット生地の部分は、表側のサテンネット生地の部分に中縫いで縁だけが縫付けられて一体となっており、さらに一体となった１対の背面交差部分１７３Ａ，１７３Ｂの縁にはコバステッチ１７３ａ，１７３ｂが施されているが、これは装飾効果を高めるため及びより１対の背面交差部分１７３Ａ，１７３Ｂを強化するためのものであって、コバステッチ１７３ａ，１７３ｂによってのみ表側のサテンネット生地の部分と裏側のパワーネット生地の部分が縫付けられている訳ではない。
【０２１８】
また、図３２（ｃ）に示されるように、１対の背面交差部分１７３Ａ，１７３Ｂの交差位置において、１対の背面交差部分の一方１７３Ａの裏側に紐部材２５０の両端が縫付けられており、１対の背面交差部分の他方１７３Ｂが紐部材２５０の中を潜る構造となっている。これによって、１対の背面交差部分１７３Ａ，１７３Ｂが互いの伸縮を妨げることなく、互いに離れてしまうことを防止することができ、１対の背面交差部分１７３Ａ，１７３Ｂによるヒップの引き締め効果を確実に得ることができる。
【０２１９】
ここまでの構造は、上記参考例１５の骨盤矯正ガードル１６１と同様である。参考例１６にかかる骨盤矯正ガードル１７１が上記参考例１５の骨盤矯正ガードル１６１と異なるのは、図３２（ｂ），（ｃ）に示されるように、１対の背面交差部分１７３Ａ，１７３Ｂの裏側のパワーネット生地の部分（１対の背面交差部分の後端）１７２Ａ，１７２Ｂが、ガードル本体１６２の両脇部分まで伸びて縫付けられている点である。
【０２２０】
これによって、骨盤矯正ガードル１７１を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１７１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０２２１】
このようにして、参考例１６の骨盤矯正ガードル１７１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０２２２】
そして、ガードル本体１６２は、前中心１７１ａ及び後中心１７１ｂの二箇所で縫い付けられることによって構成されている。これによって、参考例１６にかかる骨盤矯正ガードル１７１の部品となる生地のカット及び縫製が容易になり、大量生産に向いた製品となるという作用効果が得られる。
【０２２３】
実施の形態１（参考例１６の変形例）
次に、参考例１６の変形例であり、実施の形態１にかかる骨盤矯正ガードル１７６について、図３３を参照して説明する。この骨盤矯正ガードル１７６は、全体的な構成については上記骨盤矯正ガードル１７１と同様であり、ガードル本体１６２の後中心１７６ｂを中心にして、ガードル本体１６２の股下１７６ｃから約８ｃｍ上がった位置に下縁を有する略長円形状の高さ約８ｃｍの開口部１６４が設けられており、図３３（ａ）に示されるように、開口部１６４の両端はガードル本体１６２の前面部分の両脇まで達している。
【０２２４】
図３３（ｃ）に示されるように、この開口部１６４の下縁の左側から右側上方へ１対の背面交差部分の一方１７８Ａが伸びており、開口部１６４の下縁の右側から左側上方へ１対の背面交差部分の他方１７８Ｂが伸びていて、それぞれの先端は開口部１６４の下へ潜り込んで、図３３（ａ）に示されるように、ガードル本体１６２の前面部分にロック縫い１７８ｃ，１７８ｄで留められている。そして、開口部１６４は裏側から伸縮性及び弾力性を有する生地であるパワーネット１７０が縫い付けられることによって塞がれている。
【０２２５】
ここで、１対の背面交差部分１７８Ａ，１７８Ｂは、表側がサテンネット生地で裏側がパワーネット生地という二重構造になっており、表側のサテンネット生地の部分はガードル本体１６２と一体となっている。即ち、参考例１６の変形例であり、実施の形態１にかかる骨盤矯正ガードル１７６のガードル本体１６２は、単に伸縮性を有する生地ではなく、伸縮性及び弾力性を有する生地であるサテンネットからなるものである。したがって、骨盤矯正ガードル１７６によるヒップの締め付け効果及び骨盤の矯正効果がより向上するという作用効果が得られる。
【０２２６】
一方、裏側のパワーネット生地の部分は、表側のサテンネット生地の部分に中縫いで縁だけが縫付けられて一体となっており、さらに一体となった１対の背面交差部分１７８Ａ，１７８Ｂの縁にはコバステッチ１７８ａ，１７８ｂが施されているが、これは装飾効果を高めるため及びより１対の背面交差部分１７８Ａ，１７８Ｂを強化するためのものであって、コバステッチ１７８ａ，１７８ｂによってのみ表側のサテンネット生地の部分と裏側のパワーネット生地の部分が縫付けられている訳ではない。
【０２２７】
また、図３３（ｃ）に示されるように、１対の背面交差部分１７８Ａ，１７８Ｂの交差位置において、１対の背面交差部分の一方１７８Ａの裏側に紐部材２５０の両端が縫付けられており、１対の背面交差部分の他方１７８Ｂが紐部材２５０の中を潜る構造となっている。これによって、１対の背面交差部分１７８Ａ，１７８Ｂが互いの伸縮を妨げることなく、互いに離れてしまうことを防止することができ、１対の背面交差部分１７８Ａ，１７８Ｂによるヒップの引き締め効果を確実に得ることができる。
【０２２８】
ここまでの構造は、上記参考例１５の骨盤矯正ガードル１６１と同様である。参考例１６の変形例にかかる骨盤矯正ガードル１７６が上記参考例１５の骨盤矯正ガードル１６１と異なるのは、図３３（ｂ），（ｃ）に示されるように、１対の背面交差部分１７８Ａ，１７８Ｂの裏側のパワーネット生地の部分（１対の背面交差部分の後端）１７７Ａ，１７７Ｂが、ガードル本体１６２の両脇部分まで伸びて縫付けられている点である。
【０２２９】
これによって、骨盤矯正ガードル１７６を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１７６を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０２３０】
このように、参考例１６の変形例であり、実施の形態１にかかる骨盤矯正ガードル１７６の全体構成は、上記骨盤矯正ガードル１７１と同様であり、したがって、骨盤矯正ガードル１７６を着用することによって、上記骨盤矯正ガードル１７１と同様の骨盤矯正効果を始めとする作用効果が得られる。異なる点は、図３３（ａ），（ｂ），（ｃ）に示されるように、開口部１６４の縁に沿ってパイピング１６７が取付けられてパイピング処理が施されている点のみであり、これによって装飾的効果が増し、製品としての見栄えが向上して消費者の購買意欲を増大させるという作用効果が得られる。
【０２３１】
実施の形態１（参考例１７）の変形例１
次に、本発明の参考例１７であり、実施の形態１の変形例１について、図３４及び図３５を参照して説明する。図３４（ａ）は本発明の参考例１７にかかる骨盤矯正ガードルの全体構成を示す正面図、（ｂ）は背面斜視図、（ｃ）は背面図である。図３５（ａ）は本発明の参考例１７の変形例にかかる骨盤矯正ガードルの全体構成を示す正面図、（ｂ）は背面斜視図、（ｃ）は背面図である。
【０２３２】
図３４（ａ），（ｂ），（ｃ）に示されるように、参考例１７であり、実施の形態１の変形例１についてにかかる骨盤矯正ガードル１８１は、ガードル本体１６２の後中心１８１ｂを中心にして、ガードル本体１６２の股下１８１ｃから約８ｃｍ上がった位置に下縁を有する略長円形状の高さ約８ｃｍの開口部１６４が設けられており、図３４（ａ）に示されるように、開口部１６４の両端はガードル本体１６２の前面部分の両脇まで達している。
【０２３３】
図３４（ｃ）に示されるように、この開口部１６４の下縁の左側から右側上方へ１対の背面交差部分の一方１８３Ａが伸びており、開口部１６４の下縁の右側から左側上方へ１対の背面交差部分の他方１８３Ｂが伸びていて、それぞれの先端は開口部１６４の下へ潜り込んで、図３４（ａ）に示されるように、ガードル本体１６２の前面部分にロック縫い１８３ｃ，１８３ｄで留められている。そして、開口部１６４は裏側から伸縮性及び弾力性を有する生地であるパワーネット１６５が縫い付けられることによって塞がれている。
【０２３４】
これによって、骨盤矯正ガードル１８１の着用時に１対の背面交差部分１８３Ａ，１８３Ｂの開口部１６４の下へ潜り込んだ部分が直接当たることが防止され、穿き心地が向上するとともに、ヒップの弛んだ部分が開口部１６４から突出することが防止され、また骨盤矯正ガードル１８１が型崩れし難くなるという作用効果が得られる。
【０２３５】
ここで、１対の背面交差部分１８３Ａ，１８３Ｂは、表側がサテンネット生地で裏側がパワーネット生地という二重構造になっており、表側のサテンネット生地の部分はガードル本体１６２と一体となっている。即ち、実施の形態１の変形例１にかかる骨盤矯正ガードル１８１のガードル本体１６２は、単に伸縮性を有する生地ではなく、伸縮性及び弾力性を有する生地であるサテンネットからなるものである。したがって、骨盤矯正ガードル１８１によるヒップの締め付け効果及び骨盤の矯正効果がより向上するという作用効果が得られる。
【０２３６】
一方、裏側のパワーネット生地の部分は、表側のサテンネット生地の部分に中縫いで縁だけが縫付けられて一体となっており、さらに一体となった１対の背面交差部分１８３Ａ，１８３Ｂの縁にはコバステッチ１８３ａ，１８３ｂが施されているが、これは装飾効果を高めるため及びより１対の背面交差部分１８３Ａ，１８３Ｂを強化するためのものであって、コバステッチ１８３ａ，１８３ｂによってのみ表側のサテンネット生地の部分と裏側のパワーネット生地の部分が縫付けられている訳ではない。
【０２３７】
また、図３４（ｃ）に示されるように、１対の背面交差部分１８３Ａ，１８３Ｂの交差位置において、１対の背面交差部分の一方１８３Ａの裏側に紐部材２５０の両端が縫付けられており、１対の背面交差部分の他方１８３Ｂが紐部材２５０の中を潜る構造となっている。これによって、１対の背面交差部分１８３Ａ，１８３Ｂが互いの伸縮を妨げることなく、互いに離れてしまうことを防止することができ、１対の背面交差部分１８３Ａ，１８３Ｂによるヒップの引き締め効果を確実に得ることができる。
【０２３８】
ここまでの構造は、上記参考例１６の骨盤矯正ガードル１７１と同様である。参考例１７であり、実施の形態１の変形例１にかかる骨盤矯正ガードル１８１が上記参考例１６の骨盤矯正ガードル１７１と異なるのは、図３４（ｂ），（ｃ）に示されるように、１対の背面交差部分１８３Ａ，１８３Ｂの裏側のパワーネット生地の部分（１対の背面交差部分の後端）１８２Ａ，１８２Ｂが、ガードル本体１６２の両脇部分をさらに越えて前面左右部分まで伸びて縫付けられている点である。
【０２３９】
これによって、骨盤矯正ガードル１８１を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１８１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０２４０】
このようにして、参考例１７の骨盤矯正ガードル１８１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０２４１】
そして、ガードル本体１６２は、前中心１８１ａ及び後中心１８１ｂの二箇所で縫い付けられることによって構成されている。これによって、参考例１７であり、実施の形態１の変形例１にかかる骨盤矯正ガードル１８１の部品となる生地のカット及び縫製が容易になり、大量生産に向いた製品となるという作用効果が得られる。
【０２４２】
実施の形態１（参考例１７の変形例）の変形例２
次に、参考例１７の変形例であり、実施の形態１の変形例２にかかる骨盤矯正ガードル１８６について、図３５を参照して説明する。この骨盤矯正ガードル１８６は、全体的な構成については上記骨盤矯正ガードル１８１と同様であり、ガードル本体１６２の後中心１８６ｂを中心にして、ガードル本体１６２の股下１８６ｃから約８ｃｍ上がった位置に下縁を有する略長円形状の高さ約８ｃｍの開口部１６４が設けられており、図３５（ａ）に示されるように、開口部１６４の両端はガードル本体１６２の前面部分の両脇まで達している。
【０２４３】
図３５（ｃ）に示されるように、この開口部１６４の下縁の左側から右側上方へ１対の背面交差部分の一方１８８Ａが伸びており、開口部１６４の下縁の右側から左側上方へ１対の背面交差部分の他方１８８Ｂが伸びていて、それぞれの先端は開口部１６４の下へ潜り込んで、図３５（ａ）に示されるように、ガードル本体１６２の前面部分にロック縫い１８８ｃ，１８８ｄで留められている。そして、開口部１６４は裏側から伸縮性及び弾力性を有する生地であるパワーネット１７０が縫い付けられることによって塞がれている。
【０２４４】
ここで、１対の背面交差部分１８８Ａ，１８８Ｂは、表側がサテンネット生地で裏側がパワーネット生地という二重構造になっており、表側のサテンネット生地の部分はガードル本体１６２と一体となっている。即ち、参考例１７の変形例であり、実施の形態１の変形例２にかかる骨盤矯正ガードル１８６のガードル本体１６２は、単に伸縮性を有する生地ではなく、伸縮性及び弾力性を有する生地であるサテンネットからなるものである。したがって、骨盤矯正ガードル１８６によるヒップの締め付け効果及び骨盤の矯正効果がより向上するという作用効果が得られる。
【０２４５】
一方、裏側のパワーネット生地の部分は、表側のサテンネット生地の部分に中縫いで縁だけが縫付けられて一体となっており、さらに一体となった１対の背面交差部分１８８Ａ，１８８Ｂの縁にはコバステッチ１８８ａ，１８８ｂが施されているが、これは装飾効果を高めるため及びより１対の背面交差部分１８８Ａ，１８８Ｂを強化するためのものであって、コバステッチ１８８ａ，１８８ｂによってのみ表側のサテンネット生地の部分と裏側のパワーネット生地の部分が縫付けられている訳ではない。
【０２４６】
また、図３５（ｃ）に示されるように、１対の背面交差部分１８８Ａ，１８８Ｂの交差位置において、１対の背面交差部分の一方１８８Ａの裏側に紐部材２５０の両端が縫付けられており、１対の背面交差部分の他方１８８Ｂが紐部材２５０の中を潜る構造となっている。これによって、１対の背面交差部分１８８Ａ，１８８Ｂが互いの伸縮を妨げることなく、互いに離れてしまうことを防止することができ、１対の背面交差部分１８８Ａ，１８８Ｂによるヒップの引き締め効果を確実に得ることができる。
【０２４７】
ここまでの構造は、上記参考例１５の骨盤矯正ガードル１６１と同様である。参考例１７の変形例、即ち、実施の形態１の変形例２にかかる骨盤矯正ガードル１８６が上記参考例１５の骨盤矯正ガードル１６１と異なるのは、図３５（ｂ），（ｃ）に示されるように、１対の背面交差部分１８８Ａ，１８８Ｂの裏側のパワーネット生地の部分（１対の背面交差部分の後端）１８７Ａ，１８７Ｂが、ガードル本体１６２の両脇部分をさらに越えて前面左右部分まで伸びて縫付けられている点である。
【０２４８】
これによって、骨盤矯正ガードル１８６を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１８６を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０２４９】
このように、参考例１７の変形例にかかる骨盤矯正ガードル１８６の全体構成は、上記骨盤矯正ガードル１８１と同様であり、したがって、骨盤矯正ガードル１８６を着用することによって、上記骨盤矯正ガードル１８１と同様の骨盤矯正効果を始めとする作用効果が得られる。異なる点は、図３５（ａ），（ｂ），（ｃ）に示されるように、開口部１６４の縁に沿ってパイピング１６７が取付けられてパイピング処理が施されている点のみであり、これによって装飾的効果が増し、製品としての見栄えが向上して消費者の購買意欲を増大させるという作用効果が得られる。
【０２５０】
参考例１８
次に、本発明の参考例１８について、図３６及び図３７を参照して説明する。図３６は本発明の参考例１８にかかる骨盤矯正ガードルの全体構成を示す正面図である。図３７は本発明の参考例１８の変形例にかかる骨盤矯正ガードルの全体構成を示す正面図である。
【０２５１】
参考例１８にかかる骨盤矯正ガードル１９０の全体構成は、上記参考例１７の変形例にかかる骨盤矯正ガードル１８６と同様である。したがって、骨盤矯正ガードル１９０の背面の構成については、図３５（ｃ）を参照されたい。参考例１８にかかる骨盤矯正ガードル１９０が上記参考例１７の変形例にかかる骨盤矯正ガードル１８６と異なるのは、図３６に示されるように、１対の背面交差部分１８８Ａ，１８８Ｂの先端が開口部１６４の縁を飾るパイピング１６７の下へ潜り込まずに、ガードル本体１６２の左右脇部分の表面にロック縫い１８８ｃ，１８８ｄで縫付けられている点である。
【０２５２】
これによって、骨盤矯正ガードル１９０の表面の見栄えはやや損なわれるが、その代わり縫製がより容易になり、短時間で製造できるという作用効果が生まれる。その他の部分は、上記参考例１７の変形例にかかる骨盤矯正ガードル１８６と同様であるため、同様の作用効果が得られる。
【０２５３】
即ち、骨盤矯正ガードル１９０を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１９０を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０２５４】
このようにして、参考例１８の骨盤矯正ガードル１９０においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０２５５】
そして、ガードル本体１６２は、前中心１９０ａ及び後中心１９０ｂの二箇所で縫い付けられることによって構成されている。これによって、本参考例１８にかかる骨盤矯正ガードル１９０の部品となる生地のカット及び縫製が容易になり、大量生産に向いた製品となるという作用効果が得られる。
【０２５６】
次に、参考例１８の変形例にかかる骨盤矯正ガードル１９１について、図３７を参照して説明する。この骨盤矯正ガードル１９１は、全体的な構成については上記骨盤矯正ガードル１９０と同様であり、図３７に示されるように、１対の背面交差部分１９２Ａ，１９２Ｂの先端の留め方が異なる。
【０２５７】
即ち、ガードル本体１６２の前面の前中心１９１ａの左右部分に、調節機能付き接続具の一方としての複数の接続位置に取付けられたメンカンを有するカギホック１９３Ａが縫付けられており、一方１対の背面交差部分１９２Ａ，１９２Ｂの先端にはカギホック１９３Ａの複数の接続位置のメンカンのいずれにも取付けられる調節機能付き接続具の他方としてのカギホック１９３Ｂが縫付けられている。これらのカギホック１９３Ａ，１９３Ｂによって、調節機能付き接続具１９３が構成されている。
【０２５８】
したがって、１対の背面交差部分１９２Ａ，１９２Ｂの先端のカギホック１９３Ｂをカギホック１９３Ａの複数の接続位置のメンカンの何処に取付けるかによって１対の背面交差部分１９２Ａ，１９２Ｂによる引っ張り力を調節することができ、１対の背面交差部分１９２Ａ，１９２Ｂによるヒップアップの効果も自由に調節することができる。なお、図３７においては、カギホック１９３Ａの複数の接続位置が３ヵ所の場合を示しているが、２ヶ所でも良いし４ヵ所以上でも構わない。
【０２５９】
その他の部分は、上記参考例１７の変形例にかかる骨盤矯正ガードル１８６と同様であるため、同様の作用効果が得られる。
【０２６０】
即ち、骨盤矯正ガードル１９１を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１９１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。
【０２６１】
これを何日も続けることによって骨盤の歪みが矯正されるとともに、背面交差部分によってヒップ部分が引き上げられるため、ヒップアップの効果も得ることができる。さらに調節機能付き接続具１９３を取付けたことによって、背面交差部分によるヒップ引き上げ効果を自由に調節することができるため、個人の好みによって、或いは矯正の段階に合わせて適切なヒップ引き上げ力を得ることができる。
【０２６２】
このようにして、参考例１８の変形例にかかる骨盤矯正ガードル１９１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０２６３】
そして、ガードル本体１６２は、前中心１９１ａ及び後中心１９１ｂの二箇所で縫い付けられることによって構成されている。これによって、参考例１８の変形例にかかる骨盤矯正ガードル１９１の部品となる生地のカット及び縫製が容易になり、大量生産に向いた製品となるという作用効果が得られる。
【０２６４】
参考例１９
次に、本発明の参考例１９について、図３８乃至図４１を参照して説明する。
【０２６５】
図３８は本発明の参考例１９にかかる骨盤矯正ガードルの全体構成を示す正面図である。図３９は本発明の参考例１９の第１変形例にかかる骨盤矯正ガードルの全体構成を示す正面図である。図４０は本発明の参考例１９の第２変形例にかかる骨盤矯正ガードルの全体構成を示す正面図である。図４１は本発明の参考例１９の第３変形例にかかる骨盤矯正ガードルの全体構成を示す正面図である。
【０２６６】
参考例１９にかかる骨盤矯正ガードル２００の全体構成は、上記参考例１７の変形例にかかる骨盤矯正ガードル１８６と同様である。したがって、骨盤矯正ガードル２００の背面の構成については、図３５（ｃ）を参照されたい。
【０２６７】
参考例１９にかかる骨盤矯正ガードル２００が上記参考例１７の変形例にかかる骨盤矯正ガードル１８６と異なるのは、図３８に示されるように、１対の背面交差部分１８８Ａ，１８８Ｂの先端は骨盤矯正ガードル１８６と同様であるが、１対の背面交差部分１８８Ａ，１８８Ｂの後端（パワーネット生地部材）２０１Ａ，２０１Ｂがガードル本体１６２の前中心２００ａにまで達している点である。その他の部分は、上記参考例１７の変形例にかかる骨盤矯正ガードル１８６と同様であるため、同様以上の作用効果が得られる。
【０２６８】
即ち、骨盤矯正ガードル２００を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２００を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０２６９】
そして、ガードル本体１６２は、前中心２００ａ及び後中心２００ｂの二箇所で縫い付けられることによって構成されている。これによって、参考例１９にかかる骨盤矯正ガードル２００の部品となる生地のカット及び縫製が容易になり、大量生産に向いた製品となるという作用効果が得られる。
【０２７０】
次に、参考例１９の第１変形例にかかる骨盤矯正ガードル２０５について、図３９を参照して説明する。この骨盤矯正ガードル２０５は、全体的な構成については上記骨盤矯正ガードル２００と同様であるが、図３９に示されるように、１対の背面交差部分２０６Ａ，２０６Ｂの先端部分が異なる。
【０２７１】
即ち、１対の背面交差部分２０６Ａ，２０６Ｂの先端部分（サテンネット生地）がガードル本体１６２の前面の前中心２０５ａまで伸びて縫付けられており、１対の背面交差部分２０６Ａ，２０６Ｂの後端（パワーネット生地部材）２０１Ａ，２０１Ｂもガードル本体１６２の前中心２０５ａにまで達している。その他の部分は、上記骨盤矯正ガードル２００と同様であり、サテンネット生地もパワーネット生地も伸縮性を有するとともに弾力性に富むため、同様以上の作用効果が得られる。
【０２７２】
即ち、骨盤矯正ガードル２０５を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２０５を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０２７３】
そして、ガードル本体１６２は、前中心２０５ａ及び後中心２０５ｂの二箇所で縫い付けられることによって構成されている。これによって、参考例１９の第１変形例にかかる骨盤矯正ガードル２０５の部品となる生地のカット及び縫製が容易になり、大量生産に向いた製品となるという作用効果が得られる。
【０２７４】
次に、参考例１９の第２変形例にかかる骨盤矯正ガードル２０７について、図４０を参照して説明する。この骨盤矯正ガードル２０７は、全体的な構成については上記骨盤矯正ガードル２０５と同様であるが、図４０に示されるように、１対の背面交差部分２０６Ａ，２０６Ｂの先端部分の取付け方が異なる。
【０２７５】
即ち、上記骨盤矯正ガードル２０５においては１対の背面交差部分２０６Ａ，２０６Ｂの先端部分は開口部１６４の縁に取付けられたパイピング１６７の下へ潜り込んで、ガードル本体１６２の裏側において縫付けられているが、図４０に示されるように、参考例１９の第２変形例にかかる骨盤矯正ガードル２０７においては、１対の背面交差部分２０６Ａ，２０６Ｂの先端部分はパイピング１６７の下へ潜り込まずに、ガードル本体１６２の表側において縫付けられている。
【０２７６】
これによって、骨盤矯正ガードル２０７の表側の見栄えは少し悪くなるが、縫製が容易になって短時間で製造できるという作用効果が得られる。その他の部分は、上記骨盤矯正ガードル２０５と同様であり、サテンネット生地もパワーネット生地も伸縮性を有するとともに弾力性に富むため、同様の作用効果が得られる。
【０２７７】
即ち、骨盤矯正ガードル２０７を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２０７を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０２７８】
そして、ガードル本体１６２は、前中心２０７ａ及び後中心２０７ｂの二箇所で縫い付けられることによって構成されている。これによって、参考例１９の第２変形例にかかる骨盤矯正ガードル２０７の部品となる生地のカット及び縫製が容易になり、大量生産に向いた製品となるという作用効果が得られる。
【０２７９】
次に、参考例１９の第３変形例にかかる骨盤矯正ガードル２０９について、図４１を参照して説明する。この骨盤矯正ガードル２０９は、全体的な構成については上記骨盤矯正ガードル２０５と同様であるが、図４１に示されるように、１対の背面交差部分２０６Ａ，２０６Ｂの後端１８７Ａ，１８７Ｂの長さが異なる。即ち、１対の背面交差部分２０６Ａ，２０６Ｂの後端１８７Ａ，１８７Ｂがガードル本体１６２の前中心２０９ａまで届いていない。その他の部分は、上記骨盤矯正ガードル２０５と同様であり、サテンネット生地もパワーネット生地も伸縮性を有するとともに弾力性に富むため、同様の作用効果が得られる。
【０２８０】
即ち、骨盤矯正ガードル２０９を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２０９を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０２８１】
そして、ガードル本体１６２は、前中心２０９ａ及び後中心２０９ｂの二箇所で縫い付けられることによって構成されている。これによって、参考例１９の第３変形例にかかる骨盤矯正ガードル２０９の部品となる生地のカット及び縫製が容易になり、大量生産に向いた製品となるという作用効果が得られる。
【０２８２】
このように、参考例１９にかかる骨盤矯正ガードル２００，２０５，２０７，２０９においては、ズボンやスカート等の下に着用して歩くだけで特に意識しなくても自然と、より効果的にかつ確実に“ビーナスウォーク”をすることができ、骨盤を正常な位置に戻して美しいプロポーションを作ることができるとともに、ヒップアップの効果も得ることができる。
【０２８３】
参考例２０
次に、本発明の参考例２０について、図４２乃至図４４を参照して説明する。
【０２８４】
図４２は本発明の参考例２０にかかる骨盤矯正ガードルの全体構成を示す背面図である。図４３は本発明の参考例２０の第１変形例にかかる骨盤矯正ガードルの全体構成を示す背面図である。図４４は本発明の参考例２０の第２変形例にかかる骨盤矯正ガードルの全体構成を示す背面図である。
【０２８５】
参考例２０にかかる骨盤矯正ガードル２１０の全体構成は、参考例１７の変形例にかかる骨盤矯正ガードル１８６と同様であるので、骨盤矯正ガードル２１０の前面については、図３５（ａ）を参照されたい。参考例２０にかかる骨盤矯正ガードル２１０が骨盤矯正ガードル１８６と異なる点は、図４２に示されるように、１対の背面交差部分２１１Ａ，２１１Ｂにステッチが施されていない点のみである。
【０２８６】
前述したように、１対の背面交差部分に施されたステッチは、装飾的効果及び１対の背面交差部分をより強化するためのものであり、１対の背面交差部分を構成する表側のサテンネット生地と裏側のパワーネット生地とは中縫いで縫付けられているため、１対の背面交差部分に施されたステッチは必ずしもなくても良いものである。このように、１対の背面交差部分２１１Ａ，２１１Ｂにステッチが施されていないことによって、製造工程を一工程省略することができ、より短時間で製造できるという作用効果が得られる。その他の部分は、上記骨盤矯正ガードル１８６と同様であり、サテンネット生地もパワーネット生地も伸縮性を有するとともに弾力性に富むため、同様の作用効果が得られる。
【０２８７】
即ち、骨盤矯正ガードル２１０を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２１０を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０２８８】
次に、参考例２０の第１変形例にかかる骨盤矯正ガードル２１３について、図４３を参照して説明する。この骨盤矯正ガードル２１３は、全体的な構成については上記骨盤矯正ガードル２１０と同様であるが、図４３に示されるように、１対の背面交差部分２１４Ａ，２１４Ｂの構成が異なる。
【０２８９】
即ち、１対の背面交差部分２１４Ａ，２１４Ｂの両縁に沿ってパイピング２１５Ａ，２１５Ｂが施されている。これによって、装飾的な効果が得られ、製品としての見栄えが向上して消費者の購買意欲をそそるという作用効果が得られる。その他の部分は、上記骨盤矯正ガードル２１０と同様であり、サテンネット生地もパワーネット生地も伸縮性を有するとともに弾力性に富むため、同様の作用効果が得られる。
【０２９０】
即ち、骨盤矯正ガードル２１３を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２１３を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０２９１】
次に、参考例２０の第２変形例にかかる骨盤矯正ガードル２１６について、図４４を参照して説明する。この骨盤矯正ガードル２１６は、全体的な構成については上記骨盤矯正ガードル２１０と同様であるが、図４４に示されるように、１対の背面交差部分２１７Ａ，２１７Ｂ及びガードル本体１６２の両裾部分の構成が異なる。
【０２９２】
即ち、１対の背面交差部分２１７Ａ，２１７Ｂの両縁に沿って伸縮性のあるレース２１８Ａ，２１８Ｂが縫付けられており、ガードル本体１６２の両裾部分の全周に沿って、同様に伸縮性のあるレース２１８Ｃ，２１８Ｄが縫付けられて施されている。これによって、装飾的な効果が得られ、製品としての見栄えが向上して消費者の購買意欲をそそるだけでなく、ズボンやスラックスやタイトスカート等の下に着用したときに、１対の背面交差部分２１７Ａ，２１７Ｂの両縁及びガードル本体１６２の両裾部分のラインが外から浮き出て見えるという所謂“当たり”を半減でき、見栄えが良くなるという作用効果が得られる。
【０２９３】
その他の部分は、上記骨盤矯正ガードル２１０と同様であり、サテンネット生地もパワーネット生地も伸縮性を有するとともに弾力性に富むため、同様の作用効果が得られる。
【０２９４】
即ち、骨盤矯正ガードル２１６を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２１６を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０２９５】
このように、参考例２０にかかる骨盤矯正ガードル２１０，２１３，２１６においては、ズボンやスカート等の下に着用して歩くだけで特に意識しなくても自然と、より効果的にかつ確実に“ビーナスウォーク”をすることができ、骨盤を正常な位置に戻して美しいプロポーションを作ることができるとともに、ヒップアップの効果も得ることができる。また、参考例２０の第２変形例にかかる骨盤矯正ガードル２１６においては、ズボンやスカート等の下に着用したときに所謂“当たり”を半減することができ、見栄えが良くなるという作用効果が得られる。
【０２９６】
実施の形態２（参考例２１の第２変形例）
次に、本発明の参考例２１の第２変形例であり、実施の形態２にかかる骨盤矯正ガードルについて、図４５及び図４６を参照して説明する。
【０２９７】
図４５（ａ）は本発明の参考例２１の第２変形例であり、実施の形態２にかかる骨盤矯正ガードルの全体構成を示す正面図、（ｂ）は背面斜視図、（ｃ）は背面図である。図４６（ａ）は本発明の参考例２１の第３変形例であり、実施の形態２の変形例にかかる骨盤矯正ガードルの全体構成を示す正面図、（ｂ）は背面斜視図、（ｃ）は背面図である。
【０２９８】
図４５（ａ），（ｂ），（ｃ）に示されるように、本発明の参考例２１の第２変形例であり、実施の形態２にかかる骨盤矯正ガードル２２０の全体構成は、図３３に示される参考例１６の変形例にかかる骨盤矯正ガードル１７６とほぼ同様である。即ち、ガードル本体１６２の後中心２２０ｂを中心にして、ガードル本体１６２の股下２２０ｃから約８ｃｍ上がった位置に下縁を有する略長円形状の高さ約８ｃｍの開口部１６４が設けられており、図４５（ａ）に示されるように、開口部１６４の両端はガードル本体１６２の前面部分の両脇まで達している。
【０２９９】
図４５（ｃ）に示されるように、この開口部１６４の下縁の左側から右側上方へ１対の背面交差部分の一方２２１Ａが伸びており、開口部１６４の下縁の右側から左側上方へ１対の背面交差部分の他方２２１Ｂが伸びていて、それぞれの先端は開口部１６４の下へ潜り込んで、図４５（ａ）に示されるように、ガードル本体１６２の前面部分にロック縫い２２１ｃ，２２１ｄで留められている。そして、開口部１６４は裏側から伸縮性及び弾力性を有する生地であるパワーネット１７０が縫い付けられることによって塞がれている。
【０３００】
ここで、１対の背面交差部分２２１Ａ，２２１Ｂは、表側がサテンネット生地で裏側がパワーネット生地という二重構造になっており、表側のサテンネット生地の部分はガードル本体１６２と一体となっている。即ち、本実施の形態２にかかる骨盤矯正ガードル２２０のガードル本体１６２は、単に伸縮性を有する生地ではなく、伸縮性及び弾力性を有する生地であるサテンネットからなるものである。したがって、骨盤矯正ガードル２２０によるヒップの締め付け効果及び骨盤の矯正効果がより向上するという作用効果が得られる。
【０３０１】
一方、裏側のパワーネット生地の部分は、表側のサテンネット生地の部分に中縫いで縁だけが縫付けられて一体となっており、さらに一体となった１対の背面交差部分２２１Ａ，２２１Ｂの縁にはコバステッチ２２１ａ，２２１ｂが施されているが、これは装飾効果を高めるため及びより１対の背面交差部分２２１Ａ，２２１Ｂを強化するためのものであって、コバステッチ２２１ａ，２２１ｂによってのみ表側のサテンネット生地の部分と裏側のパワーネット生地の部分が縫付けられている訳ではない。
【０３０２】
また、図４５（ｃ）に示されるように、１対の背面交差部分２２１Ａ，２２１Ｂの交差位置において、１対の背面交差部分の一方２２１Ａの裏側に紐部材２５０の両端が縫付けられており、１対の背面交差部分の他方２２１Ｂが紐部材２５０の中を潜る構造となっている。これによって、１対の背面交差部分２２１Ａ，２２１Ｂが互いの伸縮を妨げることなく、互いに離れてしまうことを防止することができ、１対の背面交差部分２２１Ａ，２２１Ｂによるヒップの引き締め効果を確実に得ることができる。
【０３０３】
さらに、開口部１６４の縁に沿ってパイピング１６７が取付けられてパイピング処理が施されており、これによって装飾的効果が増し、製品としての見栄えが向上して消費者の購買意欲を増大させるという作用効果が得られる。
【０３０４】
ここまでの構造は、上記参考例１６の変形例にかかる骨盤矯正ガードル１７６と同様である。本実施の形態２にかかる骨盤矯正ガードル２２０が上記参考例１６の変形例の骨盤矯正ガードル１７６と異なるのは、図４５（ｂ），（ｃ）に示されるように、１対の背面交差部分２２１Ａ，２２１Ｂの裏側のパワーネット生地の部分（１対の背面交差部分の後端）が、ガードル本体１６２の両脇部分まで伸びて縫付けられている点は同じであるが、１対の背面交差部分２２１Ａ，２２１Ｂの裏側のパワーネット生地の部分の形状が異なる点である。
【０３０５】
即ち、１対の背面交差部分２２１Ａ，２２１Ｂの後端が交差位置における幅よりも太くなるとともに後端の形状がＲ形状となっていて、このＲ形状の縁に沿ってステッチ２２１ａ，２２１ｂによって裏側から一度に縫付けられているものである。これによって、縫製をスムーズに行うことができ、大量生産向きの製品となる。その他の部分については、上記参考例１６の変形例の骨盤矯正ガードル１７６と同様であるため、同様の作用効果が得られる。
【０３０６】
即ち、骨盤矯正ガードル２２０を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２２０を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０３０７】
実施の形態２（参考例２１の第３変形例）の変形例
次に、本発明の参考例２１の第３変形例であり、実施の形態２の変形例にかかる骨盤矯正ガードル２２３について、図４６を参照して説明する。この骨盤矯正ガードル２２３は、全体的な構成については上記骨盤矯正ガードル２２０と同様であるが、図４６（ａ），（ｂ）に示されるように、１対の背面交差部分２２４Ａ，２２４Ｂの後端部分の長さが異なる。
【０３０８】
即ち、１対の背面交差部分２２４Ａ，２２４Ｂの後端部分がガードル本体１６２の前面左右部分にまで達しており、後端の形状がＲ形状となっていて、このＲ形状の縁に沿ってステッチ２２４ａ，２２４ｂによって裏側から一度に縫付けられている。これによって、縫製をスムーズに行うことができ、大量生産向きの製品となる。その他の部分については、上記骨盤矯正ガードル２２０と同様であるため、同様の作用効果が得られる。
【０３０９】
即ち、骨盤矯正ガードル２２３を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２２３を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０３１０】
このように、本実施の形態２の変形例にかかる骨盤矯正ガードル２２０，２２３においては、ズボンやスカート等の下に着用して歩くだけで特に意識しなくても自然と、より効果的にかつ確実に“ビーナスウォーク”をすることができ、骨盤を正常な位置に戻して美しいプロポーションを作ることができるとともに、ヒップアップの効果も得ることができる。
【０３１１】
参考例２２
次に、本発明の参考例２２について、図４７及び図４８を参照して説明する。
【０３１２】
図４７は本発明の参考例２２にかかる骨盤矯正ガードルの全体構成を示す正面図である。図４８は本発明の参考例２２の変形例にかかる骨盤矯正ガードルの全体構成を示す正面図である。
【０３１３】
参考例２２にかかる骨盤矯正ガードル２３０の全体構成は、図３６に示される参考例１８にかかる骨盤矯正ガードル１９０とほぼ同様である。異なるのは、図４７に示されるように１対の背面交差部分２３１Ａ，２３１Ｂの裏側のパワーネット生地の部分（１対の背面交差部分２３１Ａ，２３１Ｂの後端）の形状が異なる点である。
【０３１４】
即ち、１対の背面交差部分２３１Ａ，２３１Ｂの後端が交差位置における幅よりも太くなるとともに後端の形状がＲ形状となっていて、このＲ形状の縁に沿ってステッチ２３１ａ，２３１ｂによって裏側から一度に縫付けられているものである。これによって、縫製をスムーズに行うことができ、大量生産向きの製品となる。その他の部分については、上記参考例１８の骨盤矯正ガードル１９０と同様であるため、同様の作用効果が得られる。
【０３１５】
即ち、骨盤矯正ガードル２３０を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２３０を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０３１６】
そして、ガードル本体１６２は、前中心２３０ａ及び後中心２３０ｂの二箇所で縫い付けられることによって構成されている。これによって、参考例２２にかかる骨盤矯正ガードル２３０の部品となる生地のカット及び縫製が容易になり、大量生産に向いた製品となるという作用効果が得られる。
【０３１７】
次に、参考例２２の変形例にかかる骨盤矯正ガードル２３３について、図４８を参照して説明する。参考例２２の変形例にかかる骨盤矯正ガードル２３３の全体構成は、図３７に示される参考例１８の変形例にかかる骨盤矯正ガードル１９１とほぼ同様である。異なるのは、図４８に示されるように１対の背面交差部分２３４Ａ，２３４Ｂの裏側のパワーネット生地の部分（１対の背面交差部分２３４Ａ，２３４Ｂの後端）の形状が異なる点である。
【０３１８】
即ち、１対の背面交差部分２３４Ａ，２３４Ｂの後端が交差位置における幅よりも太くなるとともに後端の形状がＲ形状となっていて、このＲ形状の縁に沿ってステッチ２３４ａ，２３４ｂによって裏側から一度に縫付けられているものである。これによって、縫製をスムーズに行うことができ、大量生産向きの製品となる。その他の部分については、上記参考例１８の変形例の骨盤矯正ガードル１９１と同様であるため、同様の作用効果が得られる。
【０３１９】
即ち、ガードル本体１６２の前面の前中心２３３ａの左右部分に、調節機能付き接続具の一方としての複数の接続位置に取付けられたメンカンを有するカギホック１９３Ａが縫付けられており、一方１対の背面交差部分２３４Ａ，２３４Ｂの先端にはカギホック１９３Ａの複数の接続位置のメンカンのいずれにも取付けられる調節機能付き接続具の他方としてのカギホック１９３Ｂが縫付けられている。これらのカギホック１９３Ａ，１９３Ｂによって、調節機能付き接続具１９３が構成されている。
【０３２０】
したがって、１対の背面交差部分２３４Ａ，２３４Ｂの先端のカギホック１９３Ｂをカギホック１９３Ａの複数の接続位置のメンカンの何処に取付けるかによって１対の背面交差部分２３４Ａ，２３４Ｂによる引っ張り力を調節することができ、１対の背面交差部分２３４Ａ，２３４Ｂによるヒップアップの効果も自由に調節することができる。なお、図４８においては、カギホック１９３Ａの複数の接続位置が３ヵ所の場合を示しているが、２ヶ所でも良いし４ヵ所以上でも構わない。
【０３２１】
そして、骨盤矯正ガードル２３３を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２３３を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。
【０３２２】
これを何日も続けることによって骨盤の歪みが矯正されるとともに、背面交差部分によってヒップ部分が引き上げられるため、ヒップアップの効果も得ることができる。さらに調節機能付き接続具１９３を取付けたことによって、背面交差部分によるヒップ引き上げ効果を自由に調節することができるため、個人の好みによって、或いは矯正の段階に合わせて適切なヒップ引き上げ力を得ることができる。
【０３２３】
このようにして、参考例２２の変形例にかかる骨盤矯正ガードル２３３においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０３２４】
そして、ガードル本体１６２は、前中心２３３ａ及び後中心２３３ｂの二箇所で縫い付けられることによって構成されている。これによって、参考例２２の変形例にかかる骨盤矯正ガードル２３３の部品となる生地のカット及び縫製が容易になり、大量生産に向いた製品となるという作用効果が得られる。
【０３２５】
実施の形態３（参考例２３）
次に、本発明の参考例２３であり、実施の形態３にかかる骨盤矯正ガードル２３６について、図４９を参照して説明する。図４９は本発明の実施の形態３にかかる骨盤矯正ガードルの全体構成を示す正面図である。本実施の形態３にかかる骨盤矯正ガードル２３６の全体構成は、図４１に示される参考例１９の第３変形例にかかる骨盤矯正ガードル２０９とほぼ同様である。異なるのは、図４９に示されるように１対の背面交差部分２３７Ａ，２３７Ｂの裏側のパワーネット生地の部分（１対の背面交差部分２３７Ａ，２３７Ｂの後端）の形状が異なる点である。
【０３２６】
即ち、１対の背面交差部分２３７Ａ，２３７Ｂの後端が交差位置における幅よりも太くなるとともに後端の形状がＲ形状となっていて、このＲ形状の縁に沿ってステッチ２３７ａ，２３７ｂによって裏側から一度に縫付けられているものである。これによって、縫製をスムーズに行うことができ、大量生産向きの製品となる。その他の部分については、上記参考例１９の第３変形例の骨盤矯正ガードル２０９と同様であるため、同様の作用効果が得られる。
【０３２７】
即ち、骨盤矯正ガードル２３６を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２３６を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０３２８】
そして、ガードル本体１６２は、前中心２３６ａ及び後中心２３６ｂの二箇所で縫い付けられることによって構成されている。これによって、本実施の形態３にかかる骨盤矯正ガードル２３６の部品となる生地のカット及び縫製が容易になり、大量生産に向いた製品となるという作用効果が得られる。
【０３２９】
このようにして、本実施の形態３の骨盤矯正ガードル２３６においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０３３０】
参考例２４
次に、本発明の骨盤矯正ガードルの製造方法にかかる参考例２４について、図５０及び図５１を参照して説明する。
【０３３１】
図５０は本発明の骨盤矯正ガードルの製造方法の参考例２４にかかる骨盤矯正ガードルの主な構成部品を示す図である。図５１（ａ）は本発明の参考例２４にかかる骨盤矯正ガードルの製造方法の第１段階を示す図、（ｂ）は第２段階を示す図、（ｃ）は骨盤矯正ガードルの完成状態を示す正面図である。
【０３３２】
参考例２４にかかる骨盤矯正ガードルの製造方法においては、代表例として、上記参考例１７の変形例にかかる骨盤矯正ガードル１８６を製造する場合について説明する。
【０３３３】
図５０に示されるように、参考例２４にかかる骨盤矯正ガードル１８６の製造方法においては、主な部品としてガードル本体１６２の左身頃２４０Ａと右身頃２４０Ｂ及び背面交差部分の裏側を構成する部材２４１Ａ，２４１Ｂが用いられる。左身頃２４０Ａ及び右身頃２４０Ｂには、伸縮性を有する生地としてのサテンネット生地が用いられており、部材２４１Ａ，２４１Ｂには伸縮性及び弾力性を有する生地としてのパワーネット生地が用いられている。
【０３３４】
左身頃２４０Ａ及び右身頃２４０Ｂには、開口部１６４を形成するための抉り部分２４５Ａ，２４５Ｂが設けられており、また背面交差部分１８８Ａ，１８８Ｂの表側を構成する突出部分２４２Ａ，２４２Ｂも一体に設けられている。参考例２４にかかる骨盤矯正ガードル１８６の製造は、まず左身頃２４０Ａの後中心縫い代２４３Ａ，２４４Ａと右身頃２４０Ｂの後中心縫い代２４３Ｂ，２４４Ｂとを縫い合わせて一体化させ、形成された開口部１６４の縁に沿ってパイピング１６７を施すことから開始される。
【０３３５】
図５１（ａ）には、第１段階として左身頃２４０Ａと右身頃２４０Ｂを縫い合わせて、形成された開口部１６４の縁に沿ってパイピング１６７を施し、さらに突出部分２４２Ａ，２４２Ｂと部材２４１Ａ，２４１Ｂとをそれぞれ中縫いで縫い合わせて、部材２４１Ａ，２４１Ｂの後端部分（背面交差部分１８８Ａ，１８８Ｂの後端）はそれぞれ相手側の右身頃２４０Ｂと左身頃２４０Ａの裏側に縫い付け、背面交差部分の一方１８８Ａには紐部材２５０の両端を縫い付けて背面交差部分の他方１８８Ｂを紐部材２５０の中を潜らせ、背面交差部分１８８Ａ，１８８Ｂの先端をそれぞれロック縫い１８８ｃ，１８８ｄで縫い付けたところまでを、裏面から見た状態が示されている。
【０３３６】
続いて、第２段階として、図５１（ｂ）に示されるように、開口部１６４が裏側から伸縮性及び弾力性を有する生地であるパワーネット１７０が縫い付けられることによって塞がれるが、パワーネット１７０はパイピング１６７が施された開口部１６４のみならず、背面交差部分１８８Ａ，１８８Ｂの先端のロック縫い１８８ｃ，１８８ｄの部分までを覆う大きさを有している。パワーネット１７０は、背面交差部分１８８Ａ，１８８Ｂの引き締め作用を妨げることのない位置において、ステッチ１７０ａ，１７０ｂ，１７０ｃ，１７０ｄによって縫付けられている。
【０３３７】
これによって、完成した骨盤矯正ガードル１８６を着用したときに、裏側の大部分がパワーネット１７０によって覆われているので、穿き心地が非常に良いという作用効果が得られる。なお、開口部１６４を裏側から塞ぐ生地としてはパワーネット１７０に限られるものではなく、伸縮性を有する生地であればサテンネット生地、スパンレックス生地を始めとしてどのような生地でも用いることができる。また、開口部１６４を塞ぐことなく開放空間としておいても、骨盤矯正ガードルとしては同様の作用効果を得ることができる。
【０３３８】
そして、第３段階として、図５１（ｃ）に示されるように、左身頃２４０Ａと右身頃２４０Ｂの前中心縫い代２４６Ａ，２４６Ｂを縫い合わせるとともに、股下部分２４７Ａと股下部分２４８Ａとの間、及び股下部分２４７Ｂと股下部分２４８Ｂとの間にそれぞれ股下マチ布２４９Ａ，２４９Ｂを挟んで縫い付けることによって、骨盤矯正ガードル１８６の形態が出来上がる。最後に、腰回り及び両裾回りの始末をして骨盤矯正ガードル１８６が完成する。
【０３３９】
以上説明したように、参考例２４にかかる骨盤矯正ガードル１８６の製造方法においては、ガードル本体１６２の身頃を左身頃２４０Ａと右身頃２４０Ｂに二分して、前中心１８６ａ及び後中心１８６ｂの二箇所において縫い付けるようにしているため、図５０に示されるように、部品となる生地２４０Ａ，２４０Ｂのカットが容易になり、また図５１（ａ），（ｂ），（ｃ）に示されるように縫製も容易になり、大量生産に向いた製造方法となるという作用効果が得られる。
【０３４０】
参考例２４においては、骨盤矯正ガードル１８６の製造方法について説明したが、上記他の実施の形態１乃至実施の形態３またはその変形例或いは参考例にかかる骨盤矯正ガードルについても、概略同様な製造方法によることができる。また、参考例２４においては、背面交差部分１８８Ａ，１８８Ｂの表側を左身頃２４０Ａ，右身頃２４０Ｂと一体とした場合について説明したが、背面交差部分をガードル本体から分離したものとして、ガードル本体の裏側または表側に縫い付ける構成とすることもできる。
【０３４１】
参考例２５
次に、本発明の参考例２５について、図５２及び図５３を参照して説明する。図５２（ａ）は本発明の参考例２５にかかる骨盤矯正ガードルの全体構成を示す正面図、（ｂ）は背面斜視図、（ｃ）は背面図である。図５３（ａ）は本発明の参考例２５の変形例にかかる骨盤矯正ガードルの全体構成を示す正面図、（ｂ）は背面斜視図、（ｃ）は背面図である。
【０３４２】
図５２（ｂ），（ｃ）に示されるように、参考例２５にかかる骨盤矯正ガードル２５１は、背面の開口部２５３の中央部分が大きく上方へ突出して、後中心２５１ｂの縫い代は僅か１ｃｍのみとなっている。このように極端に開口部２５３を大きくしても、本発明にかかる骨盤矯正ガードルによるヒップの締め付け効果は同様に得られる。
【０３４３】
図５２（ｃ）に示されるように、この開口部２５３の下縁の左側から右側上方へ１対の背面交差部分の一方１６８Ａが伸びており、開口部２５３の下縁の右側から左側上方へ１対の背面交差部分の他方１６８Ｂが伸びていて、それぞれの先端は開口部２５３の下へ潜り込んで、図５２（ａ）に示されるように、ガードル本体２５４の前面部分にロック縫い１６８ｃ，１６８ｄで留められている。そして、開口部２５３は裏側から伸縮性及び弾力性を有する生地であるパワーネット２５５が縫い付けられることによって塞がれている。
【０３４４】
これによって、骨盤矯正ガードル２５１の着用時に１対の背面交差部分１６８Ａ，１６８Ｂの開口部２５３の下へ潜り込んだ部分が直接当たることが防止され、穿き心地が向上するとともに、ヒップの弛んだ部分が開口部２５３から突出することが防止され、また骨盤矯正ガードル２５１が型崩れし難くなるという作用効果が得られる。
【０３４５】
ここで、１対の背面交差部分１６８Ａ，１６８Ｂは、表側がサテンネット生地で裏側がパワーネット生地という二重構造になっており、表側のサテンネット生地の部分はガードル本体２５４と一体となっている。即ち、参考例２５にかかる骨盤矯正ガードル２５１のガードル本体２５４は、単に伸縮性を有する生地ではなく、伸縮性及び弾力性を有する生地であるサテンネットからなるものである。したがって、骨盤矯正ガードル２５１によるヒップの締め付け効果及び骨盤の矯正効果がより向上するという作用効果が得られる。
【０３４６】
一方、裏側のパワーネット生地の部分は、表側のサテンネット生地の部分に中縫いで縁だけが縫付けられて一体となっており、さらに一体となった１対の背面交差部分１６８Ａ，１６８Ｂの縁にはコバステッチ１６８ａ，１６８ｂが施されているが、これは装飾効果を高めるため及びより１対の背面交差部分１６８Ａ，１６８Ｂを強化するためのものであって、コバステッチ１６８ａ，１６８ｂによってのみ表側のサテンネット生地の部分と裏側のパワーネット生地の部分が縫付けられている訳ではない。
【０３４７】
また、図５２（ｃ）に示されるように、１対の背面交差部分１６８Ａ，１６８Ｂの交差位置において、１対の背面交差部分の一方１６８Ａの裏側に紐部材２５０の両端が縫付けられており、１対の背面交差部分の他方１６８Ｂが紐部材２５０の中を潜る構造となっている。これによって、１対の背面交差部分１６８Ａ，１６８Ｂが互いの伸縮を妨げることなく、互いに離れてしまうことを防止することができ、１対の背面交差部分１６８Ａ，１６８Ｂによるヒップの引き締め効果を確実に得ることができる。
【０３４８】
かかる構造を有する骨盤矯正ガードル２５１を着用することによって、ヒップが引き締められるとともに骨盤が引っ張られることになり、骨盤が引っ張られてヒップが引き締められて正しい姿勢を保つことができる。したがって、骨盤矯正ガードル２５１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０３４９】
このようにして、参考例２５の骨盤矯正ガードル２５１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０３５０】
そして、ガードル本体２５４は、前中心２５１ａ及び後中心２５１ｂの二箇所で縫い付けられることによって構成されている。これによって、参考例２５にかかる骨盤矯正ガードル２５１の部品となる生地のカット及び縫製が容易になり、大量生産に向いた製品となるという作用効果が得られる。
【０３５１】
次に、参考例２５の変形例にかかる骨盤矯正ガードル２６１について、図５３を参照して説明する。この骨盤矯正ガードル２６１においては、上記骨盤矯正ガードル２５１の開口部２５３よりもさらに開口部が大きくなって、図５３（ａ），（ｂ），（ｃ）に示されるように、開口部２６３がウエスト上端部分まで突き抜けてしまっている。このように、開口部２６３がガードル本体２６４の内部に収まる閉じた穴でなく、上部まで突き抜けた構造であっても、本発明にかかる骨盤矯正ガードルによるヒップの締め付け効果は同様に得ることができる。
【０３５２】
図５３（ｃ）に示されるように、この開口部２６３の下縁の左側から右側上方へ１対の背面交差部分の一方１６８Ａが伸びており、開口部２６３の下縁の右側から左側上方へ１対の背面交差部分の他方１６８Ｂが伸びていて、それぞれの先端は開口部２６３の下へ潜り込んで、図５３（ａ）に示されるように、ガードル本体２６４の前面部分にロック縫い１６８ｃ，１６８ｄで留められている。そして、開口部２６３は裏側から伸縮性及び弾力性を有する生地であるパワーネット２６５が縫い付けられることによって塞がれている。
【０３５３】
これによって、骨盤矯正ガードル２６１の着用時に１対の背面交差部分１６８Ａ，１６８Ｂの開口部２６３の下へ潜り込んだ部分が直接当たることが防止され、穿き心地が向上するとともに、ヒップの弛んだ部分が開口部２６３から突出することが防止され、また骨盤矯正ガードル２６１が型崩れし難くなるという作用効果が得られる。
【０３５４】
ここで、１対の背面交差部分１６８Ａ，１６８Ｂは、表側がサテンネット生地で裏側がパワーネット生地という二重構造になっており、表側のサテンネット生地の部分はガードル本体２６４と一体となっている。即ち、参考例２５の変形例にかかる骨盤矯正ガードル２６１のガードル本体２６４は、単に伸縮性を有する生地ではなく、伸縮性及び弾力性を有する生地であるサテンネットからなるものである。したがって、骨盤矯正ガードル２６１によるヒップの締め付け効果及び骨盤の矯正効果がより向上するという作用効果が得られる。
【０３５５】
一方、裏側のパワーネット生地の部分は、表側のサテンネット生地の部分に中縫いで縁だけが縫付けられて一体となっており、さらに一体となった１対の背面交差部分１６８Ａ，１６８Ｂの縁にはコバステッチ１６８ａ，１６８ｂが施されているが、これは装飾効果を高めるため及びより１対の背面交差部分１６８Ａ，１６８Ｂを強化するためのものであって、コバステッチ１６８ａ，１６８ｂによってのみ表側のサテンネット生地の部分と裏側のパワーネット生地の部分が縫付けられている訳ではない。
【０３５６】
また、図５３（ｃ）に示されるように、１対の背面交差部分１６８Ａ，１６８Ｂの交差位置において、１対の背面交差部分の一方１６８Ａの裏側に紐部材２５０の両端が縫付けられており、１対の背面交差部分の他方１６８Ｂが紐部材２５０の中を潜る構造となっている。これによって、１対の背面交差部分１６８Ａ，１６８Ｂが互いの伸縮を妨げることなく、互いに離れてしまうことを防止することができ、１対の背面交差部分１６８Ａ，１６８Ｂによるヒップの引き締め効果を確実に得ることができる。
【０３５７】
かかる構造を有する骨盤矯正ガードル２６１を着用することによって、ヒップが引き締められるとともに骨盤が引っ張られることになり、骨盤が引っ張られてヒップが引き締められて正しい姿勢を保つことができる。したがって、骨盤矯正ガードル２６１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０３５８】
このようにして、参考例２５の変形例の骨盤矯正ガードル２６１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０３５９】
そして、ガードル本体２６４は、前中心２６１ａ及び後中心２６１ｂの二箇所で縫い付けられることによって構成されている。これによって、参考例２５の変形例にかかる骨盤矯正ガードル２６１の部品となる生地のカット及び縫製が容易になり、大量生産に向いた製品となるという作用効果が得られる。
【０３６０】
上記各実施の形態１乃至実施の形態３並びに参考例においては、開口部１６４，２５３，２６３を裏側から伸縮性及び弾力性を有する生地であるパワーネット１６５，１７０，２５５，２６５を縫い付けることによって塞いだ例について説明したが、開口部１６４，２５３，２６３を伸縮性を有する生地で塞がずに空間にしておくこともできる。通常は、骨盤矯正ガードルの下に下着を着用するため、穿き心地がそれほど損なわれることもなく、またヒップの弛んだ部分が空間から突出することもないからである。
【０３６１】
但し、参考例２５の変形例にかかる骨盤矯正ガードル２６１においては、開口部２６３が大きいため空間にしておくと着用がし難くなるため、伸縮性を有する生地で塞ぐことが好ましい。
【０３６２】
開口部１６４，２５３，２６３を空間のままにしておくことによって、製造工程が一工程省かれて製造が容易になるという作用効果が得られる。
【０３６３】
また、上記各実施の形態１乃至実施の形態３並びに参考例においては、１対の背面交差部分の交差位置において、１対の背面交差部分の一方に紐部材２５０の両端を縫い付けて１対の背面交差部分の他方を紐部材２５０の中を潜らせているが、この紐部材２５０は本発明に必須のものではない。紐部材２５０を縫い付けない構造とすることによって、製造工程が一工程省かれて製造が容易になるという作用効果が得られる。
【０３６４】
さらに、上記各実施の形態１乃至実施の形態３並びに参考例においては、ガードル本体１６２，２５４，２６４のウエスト上端を腰回りの通常のウエスト位置とした例について説明したが、ガードル本体１６２，２５４，２６４のウエスト上端を腰回りより上方にまで長く伸ばしても良い。このようなハイウエストタイプの骨盤矯正ガードルは、着用して真っ直ぐに歩くだけで自然に“ビーナスウォーク”をすることができ、骨盤の歪みを矯正できるだけでなく、腰回りが締め付けられてウエストラインが美しく見えるとともに、寒い時期でも暖かいという作用効果が得られる。
【０３６５】
また、逆にガードル本体１６２，２５４，２６４のウエスト上端を腰回りより下方に短く設定することもできる。このようなローウエストタイプの骨盤矯正ガードルは、着用して真っ直ぐに歩くだけで自然に“ビーナスウォーク”をすることができ、骨盤の歪みを矯正できるだけでなく、若い人を中心に流行しているローライズジーンズ等の腰回りが低いボトムスの下にも着用することができるとともに、交差部分によって足の付け根近傍を内側へ引っ張る効果が最も大きいという特長がある。
【０３６６】
参考例２６
次に、本発明の参考例２６について、図５４を参照して説明する。図５４（ａ）は本発明の参考例２６にかかる骨盤矯正スパッツの全体構成を示す正面図、（ｂ）は背面図である。
【０３６７】
図５４に示されるように、参考例２６にかかる骨盤矯正スパッツ１４８は、幅の広い弾性材としての幅の広いオペロンゴム１５２をスパッツ１４９の背面上端表側にステッチ１５３で縫付けて、スパッツ１４９の前面表側で交差させ、スパッツ１４９の背面表側の左右の臀部下方に股の中央に届く途中までステッチ１５３で縫い付けて、交差部分の周辺のみは縫付けていない。また、スパッツ１４９の上端１５０全周には、幅の細い弾性材としての幅の細いオペロンゴム１５１が縫付けられている。
【０３６８】
これによって、交差した幅の広いオペロンゴム１５２の縫付けられていない交差部分によって骨盤が内側に引っ張られるため、骨盤矯正スパッツ１４８を着用して良い姿勢で真っ直ぐに歩くだけで自然に骨盤が内側へ回転して“ビーナスウォーク”をすることができ、これを何日も続けることによって骨盤の歪みが矯正される。また、骨盤矯正スパッツ１４８においては、幅の広いオペロンゴム１５２の交差部分周辺以外の部分を全てステッチ１５３でスパッツ１４９に縫い付けているため、幅の広いオペロンゴム１５２の位置がずれることがなく、常に効果的な引張り力を付与することができる。また、スパッツ１４９の上端１５０全周には、幅の細いオペロンゴム１５１が縫付けられているため、着用したとき腰回りがフィットして心地良い着用感が得られる。
【０３６９】
さらに、スパッツ１４９はエアロビクス等の運動において、トレーニングウェアとしても着用されることから、骨盤矯正スパッツ１４８を下着として着用して上にズボン、スカート等のボトムスを着用しても良いし、骨盤矯正スパッツ１４８のみをトレーニングウェアとして着用しても良い。ここで、上記参考例１３におけるように、幅の広いオペロンゴム１５２をスパッツ１４９の裏側に縫い付けることによって、通常のスパッツと外見が変わらないことから、よりトレーニングウェアとして着用し易くなる。
【０３７０】
また、幅の広い弾性材としての幅の広いオペロンゴム１５２をスパッツ１４９の前面上端表側または裏側に縫付けて、スパッツ１４９の背面表側または裏側で交差させ、スパッツ１４９の前面表側または裏側の左右の足付け根下方に股の中央に届く途中まで縫い付けて、交差部分の周辺のみは縫付けていないものとしても良い。この場合には、骨盤の歪みが矯正される効果が得られるとともに、ヒップアップの効果も得ることができる。
【０３７１】
なお、参考例２６にかかる骨盤矯正スパッツ１４８においては、スパッツの裾部１４９Ａ，１４９Ｂが膝まで程度の長さの場合を例示したが、より長い六分丈、八分丈のスパッツでも良いし、より短いものでも良い。
【０３７２】
参考例２７
次に、本発明の参考例２７について、図５５を参照して説明する。図５５（ａ）は本発明の参考例２７にかかる骨盤矯正スパッツの全体構成を示す正面図、（ｂ）は背面図である。
【０３７３】
図５５に示されるように、参考例２７にかかる骨盤矯正スパッツ２７０は、スパッツ本体２７１の後中心２７０ｂを中心にして、スパッツ本体２７１の股下２７０ｃから約８ｃｍ上がった位置に下縁を有する略長円形状の高さ約８ｃｍの開口部２７５が設けられており、図５５（ａ）に示されるように、開口部２７５の両端はスパッツ本体２７１の前面部分の両脇まで達している。
【０３７４】
図５５（ｂ）に示されるように、この開口部２７５の下縁の左側から右側上方へ１対の背面交差部分の一方２７２Ａが伸びており、開口部２７５の下縁の右側から左側上方へ１対の背面交差部分の他方２７２Ｂが伸びていて、それぞれの先端は開口部２７５の下へ潜り込んで、図５５（ａ）に示されるように、スパッツ本体２７１の前面部分にロック縫い２７２ｃ，２７２ｄで留められている。そして、開口部２７５は裏側から伸縮性及び弾力性を有する生地であるパワーネット２７４が縫い付けられることによって塞がれている。
【０３７５】
これによって、骨盤矯正スパッツ２７０の着用時に１対の背面交差部分２７２Ａ，２７２Ｂの開口部２７５の下へ潜り込んだ部分が直接当たることが防止され、穿き心地が向上するとともに、ヒップの弛んだ部分が開口部２７５から突出することが防止され、また骨盤矯正スパッツ２７０が型崩れし難くなるという作用効果が得られる。
【０３７６】
ここで、１対の背面交差部分２７２Ａ，２７２Ｂは、表側がサテンネット生地で裏側がパワーネット生地という二重構造になっており、表側のサテンネット生地の部分はスパッツ本体２７１と一体となっている。即ち、参考例２７にかかる骨盤矯正スパッツ２７０のスパッツ本体２７１は、単に伸縮性を有する生地ではなく、伸縮性及び弾力性を有する生地であるサテンネットからなるものである。したがって、骨盤矯正スパッツ２７０によるヒップの締め付け効果及び骨盤の矯正効果がより向上するという作用効果が得られる。
【０３７７】
一方、裏側のパワーネット生地の部分は、表側のサテンネット生地の部分に中縫いで縁だけが縫付けられて一体となっており、さらに一体となった１対の背面交差部分２７２Ａ，２７２Ｂの縁にはコバステッチ２７２ａ，２７２ｂが施されているが、これは装飾効果を高めるため及びより１対の背面交差部分２７２Ａ，２７２Ｂを強化するためのものであって、コバステッチ２７２ａ，２７２ｂによってのみ表側のサテンネット生地の部分と裏側のパワーネット生地の部分が縫付けられている訳ではない。
【０３７８】
また、図５５（ｂ）に示されるように、１対の背面交差部分２７２Ａ，２７２Ｂの交差位置において、１対の背面交差部分の一方２７２Ａの裏側に紐部材２７６の両端が縫付けられており、１対の背面交差部分の他方２７２Ｂが紐部材２７６の中を潜る構造となっている。これによって、１対の背面交差部分２７２Ａ，２７２Ｂが互いの伸縮を妨げることなく、互いに離れてしまうことを防止することができ、１対の背面交差部分２７２Ａ，２７２Ｂによるヒップの引き締め効果を確実に得ることができる。
【０３７９】
そして、スパッツ本体２７１は、前中心２７０ａ及び後中心２７０ｂの二箇所で縫い付けられることによって構成されている。これによって、参考例２７にかかる骨盤矯正スパッツ２７０の部品となる生地のカット及び縫製が容易になり、大量生産に向いた製品となるという作用効果が得られる。
【０３８０】
かかる構成を有する参考例２７の骨盤矯正スパッツ２７０を着用することによって、背面で交差した１対の二重の伸縮性及び弾力性を有する生地からなる背面交差部分２７２Ａ，２７２Ｂによって骨盤が引っ張られ、ヒップが引き締められて正しい姿勢を保つことができる。したがって、骨盤矯正スパッツ２７０を着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【０３８１】
このようにして、参考例２７にかかる骨盤矯正スパッツ２７０においては、ズボンやスカート等の下に、または単独で着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０３８２】
なお、参考例２７にかかる骨盤矯正スパッツ２７０においては、スパッツの裾部が膝まで程度の長さの場合を例示したが、より長い六分丈、八分丈のスパッツでも良いし、より短いものでも良い。
【０３８３】
参考例２８
次に、本発明の参考例２８について、図５６を参照して説明する。図５６（ａ）は本発明の参考例２８にかかる骨盤矯正トレーニングパンツの全体構成を示す正面図、（ｂ）は背面図である。
【０３８４】
図５６に示されるように、参考例２８にかかる骨盤矯正トレーニングパンツ１５５は、幅の広い弾性材としての幅の広いオペロンゴム１５８をトレーニングパンツ１５６の背面上部表側にステッチ１５９で縫付けて、トレーニングパンツ１５６の前面表側で交差させ、トレーニングパンツ１５６の背面表側の左右の臀部下方に股の中央に届く途中までステッチ１５９で縫い付けて、交差部分の周辺のみは縫付けていない。なお、トレーニングパンツ１５６の上端全周には、腰回りの締め具合を調節して結ぶための紐１５７が縫込まれている。
【０３８５】
これによって、交差した幅の広いオペロンゴム１５８の縫付けられていない交差部分によって骨盤が内側に引っ張られるため、骨盤矯正トレーニングパンツ１５５を着用して良い姿勢で真っ直ぐに歩くだけで自然に骨盤が内側へ回転して“ビーナスウォーク”をすることができ、これを何日も続けることによって骨盤の歪みが矯正される。また、骨盤矯正トレーニングパンツ１５５においては、幅の広いオペロンゴム１５８の交差部分周辺以外の部分を全てステッチ１５９でトレーニングパンツ１５６に縫い付けているため、幅の広いオペロンゴム１５８の位置がずれることがなく、常に効果的な引張り力を付与することができる。
【０３８６】
さらに、トレーニングパンツ１５６は種々の運動やトレーニング、ジョギング等において、トレーニングウェアのボトムスとして着用されることから、骨盤矯正トレーニングパンツ１５５のみをトレーニングウェアのボトムスとして着用することができる。ここで、上記参考例１３におけるように、幅の広いオペロンゴム１５８をトレーニングパンツ１５６の裏側に縫い付けることによって、通常のトレーニングパンツと外見が変わらないことから、よりトレーニングウェアのボトムスとして着用し易くなる。
【０３８７】
また、幅の広い弾性材としての幅の広いオペロンゴム１５８をトレーニングパンツ１５６の前面上端表側または裏側に縫付けて、トレーニングパンツ１５６の背面表側または裏側で交差させ、トレーニングパンツ１５６の前面表側または裏側の左右の臀部下方に股の中央に届く途中まで縫い付けて、交差部分の周辺のみは縫付けていないものとしても良い。この場合には、骨盤の歪みが矯正される効果が得られるとともに、ヒップアップの効果も得ることができる。
【０３８８】
参考例２９
次に、本発明の参考例２９について、図５７を参照して説明する。図５７（ａ）は本発明の参考例２９にかかる骨盤矯正トレーニングパンツの全体構成を示す正面図、（ｂ）は背面図である。
【０３８９】
図５７に示されるように、参考例２９にかかる骨盤矯正トレーニングパンツ２８０は、トレーニングパンツ本体２８１の後中心２８０ｂを中心にして、トレーニングパンツ本体２８１の股下２８０ｃから約８ｃｍ上がった位置に下縁を有する略長円形状の高さ約８ｃｍの開口部２８５が設けられており、図５７（ａ）に示されるように、開口部２８５の両端はトレーニングパンツ本体２８１の前面部分の両脇まで達している。
【０３９０】
図５７（ｂ）に示されるように、この開口部２８５の下縁の左側から右側上方へ１対の背面交差部分の一方２８２Ａが伸びており、開口部２８５の下縁の右側から左側上方へ１対の背面交差部分の他方２８２Ｂが伸びていて、それぞれの先端は開口部２８５の下へ潜り込んで、図５７（ａ）に示されるように、トレーニングパンツ本体２８１の前面部分にロック縫い２８２ｃ，２８２ｄで留められている。そして、開口部２８５は裏側から伸縮性及び弾力性を有する生地であるパワーネット２８４が縫い付けられることによって塞がれている。
【０３９１】
これによって、骨盤矯正トレーニングパンツ２８０の着用時に１対の背面交差部分２８２Ａ，２８２Ｂの開口部２８５の下へ潜り込んだ部分が直接当たることが防止され、穿き心地が向上するとともに、ヒップの弛んだ部分が開口部２８５から突出することが防止され、また骨盤矯正トレーニングパンツ２８０が型崩れし難くなるという作用効果が得られる。
【０３９２】
ここで、１対の背面交差部分２８２Ａ，２８２Ｂは、表側がサテンネット生地で裏側がパワーネット生地という二重構造になっており、表側のサテンネット生地の部分はトレーニングパンツ本体２８１と一体となっている。即ち、参考例２９にかかる骨盤矯正トレーニングパンツ２８０のトレーニングパンツ本体２８１は、単に伸縮性を有する生地ではなく、伸縮性及び弾力性を有する生地であるサテンネットからなるものである。したがって、骨盤矯正トレーニングパンツ２８０によるヒップの締め付け効果及び骨盤の矯正効果がより向上するという作用効果が得られる。
【０３９３】
一方、裏側のパワーネット生地の部分は、表側のサテンネット生地の部分に中縫いで縁だけが縫付けられて一体となっており、さらに一体となった１対の背面交差部分２８２Ａ，２８２Ｂの縁にはコバステッチ２８２ａ，２８２ｂが施されているが、これは装飾効果を高めるため及びより１対の背面交差部分２８２Ａ，２８２Ｂを強化するためのものであって、コバステッチ２８２ａ，２８２ｂによってのみ表側のサテンネット生地の部分と裏側のパワーネット生地の部分が縫付けられている訳ではない。
【０３９４】
また、図５７（ｂ）に示されるように、１対の背面交差部分２８２Ａ，２８２Ｂの交差位置において、１対の背面交差部分の一方２８２Ａの裏側に紐部材２８６の両端が縫付けられており、１対の背面交差部分の他方２８２Ｂが紐部材２８６の中を潜る構造となっている。これによって、１対の背面交差部分２８２Ａ，２８２Ｂが互いの伸縮を妨げることなく、互いに離れてしまうことを防止することができ、１対の背面交差部分２８２Ａ，２８２Ｂによるヒップの引き締め効果を確実に得ることができる。
【０３９５】
そして、トレーニングパンツ本体２８１は、前中心２８０ａ及び後中心２８０ｂの二箇所で縫い付けられることによって構成されている。これによって、参考例２９にかかる骨盤矯正トレーニングパンツ２８０の部品となる生地のカット及び縫製が容易になり、大量生産に向いた製品となるという作用効果が得られる。
【０３９６】
かかる構成を有する参考例２９の骨盤矯正トレーニングパンツ２８０を着用することによって、背面で交差した１対の二重の伸縮性及び弾力性を有する生地からなる背面交差部分２８２Ａ，２８２Ｂによって骨盤が引っ張られ、ヒップが引き締められて正しい姿勢を保つことができる。したがって、骨盤矯正トレーニングパンツ２８０を着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【０３９７】
このようにして、参考例２９にかかる骨盤矯正トレーニングパンツ２８０においては、着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０３９８】
上記各実施の形態または参考例においては、幅の広い弾性材としてオペロンゴムを使用した場合についてのみ説明したが、他にもゴムベルト、ゴム紐、等種々の弾性材を使用することができる。同様に、幅の細い弾性材としてもオペロンゴムを使用した場合についてのみ説明したが、他にもゴムベルト、ゴム紐、等種々の弾性材を使用することができる。
【０３９９】
また、上記各実施の形態または参考例においては、伸縮性生地としてパワーネットを使用した場合について説明したが、サテンネットを始めとして他の伸縮性生地を用いても良い。
【０４００】
また、上記各実施の形態または参考例においては、調節機能付き接続具としてカギホックとメンカンの組み合わせを使用した例についてのみ説明したが、調節機能付き接続具としては他にも接着布（マジックテープ（登録商標））、複数の接続位置に取付けられた凹側または凸側を有するドット釦、フックアイテープ、グリッパーテープ、ファッションミニバックル、スナップテープ、等を用いることができる。
【０４０１】
さらに、上記各実施の形態または参考例においては、「伸縮性を有する生地」としてサテンネットを用い、「伸縮性及び弾力性を有する生地」としてパワーネットを用いた場合について説明したが、「伸縮性を有する生地」としてはサテンネット以外にもパワーネット、スパンレックスを始めとする他の生地を用いることもできるし、「伸縮性及び弾力性を有する生地」としてはパワーネット以外にもサテンネットを始めとする他の生地を用いることもできる。即ち、両方の生地としてサテンネットのみを用いても良いし、パワーネットのみを用いることもできる。
【０４０２】
骨盤矯正ガードルのその他の部分の構造、形状、数量、材質、大きさ（幅・長さ・厚さ等）、接続関係等についても、骨盤矯正ガードルの製造方法のその他の工程についても、上記各実施の形態または参考例に限定されるものではない。
【符号の説明】
【０４０３】
１     骨盤
１０ａ     大転子
１１α，１１β，１１γ，２１α，２１β，２１γ，２２α，２２β，２２γ，２５α，２５β，２５γ，３１，３５，４１，４５，５０，５５，６０，６５，７１，７５，８１，８５，９１，１００，１０７，１１５，１１８，１２１，１２４，１２８１３１，１３６，１４０，１４５，１６１，１６６，１７１，１７６，１８１，１８６，１９０，１９１，２００，２０５，２０７，２０９，２１０，２１３，２１６，２２０，２２３，２３０，２３３，２３６，２５１，２６１     骨盤矯正ガードル
１２α，１２β，１２γ     ウエスト上端
１３Ａ，１３Ｂ，２６Ａ，２６Ｂ，３３Ａ，３３Ｂ，３６Ａ，３６Ｂ，４２Ａ，４２Ｂ，４３Ａ，４３Ｂ，５２Ａ，５２Ｂ，５６Ａ，５６Ｂ，６２Ａ，６２Ｂ，６６Ａ，６６Ｂ
交差部分
１６Ａ，１６Ｂ，５１Ａ，５１Ｂ     太もも部分
２０，１３２，１４４，１５１     幅の細い弾性材
２３Ａ，２３Ｂ，３７Ａ，３７Ｂ，７３，７７，８２，８９Ａ，８９Ｂ，９４Ａ，９４Ｂ，９５Ａ，９５Ｂ，１０２，１０９Ａ，１０９Ｂ，１１６，１１９，１２２，１２５，１２８，１３３，１３７，１４１，１４６，１５２，１５８     幅の広い弾性材
２７Ａ，２７Ｂ，２８Ａ，２８Ｂ，３４Ａ，３４Ｂ，３５Ａ，３５Ｂ，６７Ａ，６７Ｂ，６８Ａ，６８Ｂ，７６ａ，７６ｂ，８７Ａ，８７Ｂ，８８Ａ，８８Ｂ，９２Ａ，９２Ｂ，９３Ａ，９３Ｂ，１０５ａ，１０５ｂ，１１０Ａ，１１０Ｂ，１１２Ａ，１１２Ｂ，１９３     調節機能付き接続具
２９，５７Ａ，５７Ｂ，１４３     伸縮性生地
３２Ａ，３２Ｂ，５３Ａ，５３Ｂ，６１Ａ，６１Ｂ     抉り部分
４６     ループ
７０，７０β     ガードル
７２，７８Ａ，７８Ｂ，８６，９２，１０１，１０３Ａ，１０３Ｂ，１０４Ａ，１０４Ｂ，１０８     補強部
７４Ａ，７４Ｂ，７９Ａ，７９Ｂ，８３Ａ，８３Ｂ，８９Ｃ，８９Ｄ，９６Ａ，９６Ｂ，９６Ｃ，９６Ｄ，１０６Ａ，１０６Ｂ，１１３Ａ，１１３Ｂ，１１７，１２０，１２３，１２７，１２９，１３５，１３８，１４２，１４７，１５３，１５９，２２１ａ，２２１ｂ，２２４ａ，２２４ｂ，２３１ａ，２３１ｂ，２３４ａ，２３４ｂ，２３７ａ，２３７ｂ     ステッチ
９０Ａ，９０Ｂ     交差する補強部
１１１Ａ，１１１Ｂ     紐
１４８，２７０     骨盤矯正スパッツ
１４９     スパッツ
１４９Ａ，１４９Ｂ     スパッツの裾部
１５０     スパッツ上端
１５５，２８０     骨盤矯正トレーニングパンツ
１５６     トレーニングパンツ
１６１ａ，１６６ａ，１７１ａ，１７６ａ，１８１ａ，１８６ａ，１９０ａ，１９１ａ，２００ａ，２０５ａ，２０７ａ，２０９ａ，２２０ａ，２２３ａ，２３０ａ，２３３ａ，２３６ａ，２５１ａ，２６１ａ，２７０ａ，２８０ａ     前中心
１６１ｂ，１６６ｂ，１７１ｂ，１７６ｂ，１８１ｂ，１８６ｂ，１９０ｂ，１９１ｂ，２００ｂ，２０５ｂ，２０７ｂ，２０９ｂ，２１０ｂ，２１３ｂ，２１６ｂ，２２０ｂ，２２３ｂ，２３０ｂ，２３３ｂ，２３６ｂ，２５１ｂ，２６１ｂ，２７０ｂ，２８０ｂ
後中心
１６１ｃ，１６６ｃ，１７１ｃ，１７６ｃ，１８１ｃ，１８６ｃ，１９０ｃ，１９１ｃ，２００ｃ，２０５ｃ，２０７ｃ，２０９ｃ，２１０ｃ，２１３ｃ，２１６ｃ，２２０ｃ，２２３ｃ，２３０ｃ，２３３ｃ，２３６ｃ，２５１ｃ，２６１ｃ，２７０ｃ，２８０ｃ
股下
１６２，２５４，２６４     ガードル本体
１６３Ａ，１６３Ｂ，１６８Ａ，１６８Ｂ，１７３Ａ，１７３Ｂ，１７８Ａ，１７８Ｂ，１８３Ａ，１８３Ｂ，１８８Ａ，１８８Ｂ，１９２Ａ，１９２Ｂ，２０６Ａ，２０６Ｂ，２１１Ａ，２１１Ｂ，２１４Ａ，２１４Ｂ，２１７Ａ，２１７Ｂ，２２１Ａ，２２１Ｂ，２２４Ａ，２２４Ｂ，２３１Ａ，２３１Ｂ，２３４Ａ，２３４Ｂ，２３７Ａ，２３７Ｂ，２７２Ａ，２７２Ｂ，２８２Ａ，２８２Ｂ     １対の背面交差部分
１６４，２５３，２６３，２７５，２８５     開口部
１６７，２１５Ａ，２１５Ｂ，２５２，２６２，２７３，２８３     パイピング
１７２Ａ，１７２Ｂ，１７７Ａ，１７７Ｂ，１８２Ａ，１８２Ｂ，１８７Ａ，１８７Ｂ，２０１Ａ，２０１Ｂ，     １対の背面交差部分の後端
２１８Ａ，２１８Ｂ，２１８Ｃ，２１８Ｄ     伸縮性のあるレース
２５０，２７６，２８６     紐部材
２７１     スパッツ本体
２８１     トレーニングパンツ本体
【図１】
0004444359.tif 000002
【図２】
0004444359.tif 000003
【図３】
0004444359.tif 000004
【図４】
0004444359.tif 000005
【図５】
0004444359.tif 000006
【図６】
0004444359.tif 000007
【図７】
0004444359.tif 000008
【図８】
0004444359.tif 000009
【図９】
0004444359.tif 000010
【図１０】
0004444359.tif 000011
【図１１】
0004444359.tif 000012
【図１２】
0004444359.tif 000013
【図１３】
0004444359.tif 000014
【図１４】
0004444359.tif 000015
【図１５】
0004444359.tif 000016
【図１６】
0004444359.tif 000017
【図１７】
0004444359.tif 000018
【図１８】
0004444359.tif 000019
【図１９】
0004444359.tif 000020
【図２０】
0004444359.tif 000021
【図２１】
0004444359.tif 000022
【図２２】
0004444359.tif 000023
【図２３】
0004444359.tif 000024
【図２４】
0004444359.tif 000025
【図２５】
0004444359.tif 000026
【図２６】
0004444359.tif 000027
【図２７】
0004444359.tif 000028
【図２８】
0004444359.tif 000029
【図２９】
0004444359.tif 000030
【図３０】
0004444359.tif 000031
【図３１】
0004444359.tif 000032
【図３２】
0004444359.tif 000033
【図３３】
0004444359.tif 000034
【図３４】
0004444359.tif 000035
【図３５】
0004444359.tif 000036
【図３６】
0004444359.tif 000037
【図３７】
0004444359.tif 000038
【図３８】
0004444359.tif 000039
【図３９】
0004444359.tif 000040
【図４０】
0004444359.tif 000041
【図４１】
0004444359.tif 000042
【図４２】
0004444359.tif 000043
【図４３】
0004444359.tif 000044
【図４４】
0004444359.tif 000045
【図４５】
0004444359.tif 000046
【図４６】
0004444359.tif 000047
【図４７】
0004444359.tif 000048
【図４８】
0004444359.tif 000049
【図４９】
0004444359.tif 000050
【図５０】
0004444359.tif 000051
【図５１】
0004444359.tif 000052
【図５２】
0004444359.tif 000053
【図５３】
0004444359.tif 000054
【図５４】
0004444359.tif 000055
【図５５】
0004444359.tif 000056
【図５６】
0004444359.tif 000057
【図５７】
0004444359.tif 000058